(57)【特許請求の範囲】
【請求項１】
視聴覚番組の視聴者が操作する視聴覚端末であって；
前記視聴覚番組を再生する再生手段と；
前記視聴者による再生操作により再生された前記視聴覚番組の中から前記視聴覚番組を提供する番組提供主体により前記視聴覚番組内に所定の時間の間隔で設けられた信号である再生認証ポイントを検出する再生検出手段と；
前記再生検出手段により前記再生認証ポイントが検出された時刻を出力するクロックと；
前記視聴者が前記視聴覚番組を正常に視聴していることを認証する視聴覚の認証主体に伝達するために、検出された前記再生認証ポイント並びに前記再生認証ポイントが検出された時刻を前記視聴覚の認証主体が有する視聴覚認証システムに送信する送信手段と；
前記視聴覚番組を提供する番組提供主体が前記視聴覚番組に固有のタイミングで前記視聴者に所定の動作を要求する前記視聴覚番組に固有の動作指示情報に基づき、前記視聴者に前記動作を指示する動作指示手段と；
前記視聴者が前記視聴覚番組を正常に視聴していることを認証する視聴覚の前記認証主体に伝達するために、前記動作指示手段により前記動作が指示されるたびに前記視聴者がおこなう前記視聴者の応答動作を検出するモーションセンサと；
前記モーションセンサにより検出した検出結果から得られる前記視聴者の応答動作に関する情報を前記送信手段で送信可能な信号に信号化する信号化手段とを備え；
前記送信手段は、前記視聴覚端末が出力する情報を前記視聴の認証を得るために前記視聴覚の認証主体が有する視聴覚認証システムに送信するように構成された；
視聴覚端末。
【請求項２】
２以上の前記再生認証ポイントが検出された時刻から前記視聴者による再生操作履歴を解析して出力する視聴解析手段を備え；
前記送信手段は、前記視聴解析手段により出力された再生操作履歴を、前記視聴を認証するために、さらに前記視聴覚の認証主体が有する視聴覚認証システムに送信するように構成された；
請求項１に記載の視聴覚端末。
【請求項３】
前記再生操作履歴に基づき、前記視聴者が所定の範囲内の再生速度により所定の時間だけ前記視聴覚番組の前記視聴をおこなったことを認証する前記再生操作履歴に基づく視聴認証を出力する視聴認証手段を備え；
前記送信手段は、前記視聴認証手段により出力される前記再生操作履歴に基づく視聴認証を、さらに前記視聴覚の認証主体が有する視聴覚認証システムに送信するように構成された；
請求項２に記載の視聴覚端末。
【請求項４】
視聴覚番組の視聴者が操作する視聴覚端末であって；
前記視聴覚番組を再生する再生手段と；
前記視聴覚番組を提供する番組提供主体が前記視聴覚番組に固有のタイミングで前記視聴者に所定の動作を要求する前記視聴覚番組に固有の動作指示情報に基づき、前記視聴者に前記動作を指示する動作指示手段と；
前記視聴者が前記視聴覚番組を正常に視聴していることを認証する視聴覚の認証主体に伝達するために、前記動作指示手段により前記動作が指示されるたびに前記視聴者がおこなう前記視聴者の応答動作を検出するモーションセンサと；
前記モーションセンサにより検出した検出結果から得られる前記視聴者の応答動作に関する情報を送信可能な信号に信号化する信号化手段と；
前記視聴覚端末が出力する情報を前記視聴の認証を得るために前記視聴覚の認証主体が有する視聴覚認証システムに送信する送信手段とを備える；
視聴覚端末。
【請求項５】
前記モーションセンサにより検出した検出結果から得られる前記視聴者の応答動作を相互に比較することにより、前記応答動作の差異を定量的に把握する応答動作比較手段と；
前記応答動作比較手段により定量的に把握された前記応答動作の差異を前記視聴覚の認証主体が定める所定の基準に照らして評価する視聴者認証手段とを備える；
請求項４に記載の視聴覚端末。
【請求項６】
視聴覚番組の視聴者が操作する視聴覚端末を制御するためのプログラムであって；
前記視聴覚番組を前記視聴者による前記視聴覚端末の操作に従って再生して提示する処理と；
前記視聴者による再生操作により再生された前記視聴覚番組の中から前記視聴覚番組を提供する番組提供主体により前記視聴覚番組内に所定の時間の間隔で設けられた信号である再生認証ポイントを検出する処理と；
前記再生認証ポイントが検出された時刻を出力する処理と；
前記視聴者が前記視聴覚番組を正常に視聴していることを認証する視聴覚の認証主体に伝達するために、検出された前記再生認証ポイント並びに前記再生認証ポイントが検出された時刻を前記視聴覚の認証主体が有する視聴覚認証システムに送信する処理と；
前記視聴覚番組を提供する番組提供主体が前記視聴覚番組に固有のタイミングで前記視聴者に所定の動作を要求する前記視聴覚番組に固有の動作指示情報に基づき、前記視聴者に前記動作を指示する処理と；
前記視聴者が前記視聴覚番組を正常に視聴していることを認証する視聴覚の認証主体に伝達するために前記動作が指示されるたびに前記視聴者がおこなう前記視聴者の応答動作をモーションセンサにより検出する処理と；
前記モーションセンサにより検出した検出結果から得られる前記視聴者の応答動作に関する情報を送信可能な信号に信号化する処理と；
前記視聴覚端末が出力する情報を前記視聴の認証を得るために前記視聴覚の認証主体が有する視聴覚認証システムに送信する処理とをおこなうように構成された；
プログラム。
【請求項７】
視聴覚番組の視聴者が操作する視聴覚端末を制御するためのプログラムであって；
前記視聴覚番組を前記視聴者による前記視聴覚端末の操作に従って再生して提示する処理と；
前記視聴覚番組を提供する番組提供主体が前記視聴覚番組に固有のタイミングで前記視聴者に所定の動作を要求する前記視聴覚番組に固有の動作指示情報に基づき、前記視聴者に前記動作を指示する処理と；
前記視聴者が前記視聴覚番組を正常に視聴していることを認証する視聴覚の認証主体に伝達するために、前記動作が指示されるたびに前記視聴者がおこなう前記視聴者の応答動作をモーションセンサにより検出する処理と；
前記モーションセンサにより検出した検出結果から得られる前記視聴者の応答動作に関する情報を送信可能な信号に信号化する処理と；
前記視聴覚端末が出力する情報を前記視聴の認証を得るために前記視聴覚の認証主体が有する視聴覚認証システムに送信する処理とをおこなうように構成された；
プログラム。
【請求項８】
視聴覚番組の視聴者が前記視聴覚番組を正常に視聴していることを認証する視聴覚認証システムであって；
前記視聴覚番組に所定の時間の間隔で前記視聴覚番組の番組進行時間を画定する信号である再生認証ポイントを設ける再生認証ポイント設置手段と；
前記視聴覚番組を前記視聴者の要求に応じて前記視聴者が操作する視聴覚端末に送信する番組送信手段と；
前記視聴者が前記視聴覚端末を用いて前記視聴覚番組を再生することにより検出される前記視聴覚番組を提供する番組提供主体が前記視聴覚番組内に所定の時間の間隔で設けた信号である再生認証ポイントを受信する受信手段と；
前記受信手段により前記再生認証ポイントを受信した時刻を出力するクロックと；
前記視聴を認証するために、前記再生認証ポイント並びに前記再生認証ポイントを受信した時刻を記録する認証記録手段と；
前記視聴覚番組を提供する番組提供主体が前記視聴覚番組に固有のタイミングで前記視聴者に所定の動作を要求する情報によりなる前記視聴覚番組に固有の動作指示情報を作成する動作指示情報作成手段と；
前記視聴者が操作する視聴覚端末に前記動作指示情報を送信する動作指示情報送信手段と；
受信した前記視聴者の応答動作に関する情報を前記視聴者が前記視聴覚番組を前記視聴したことを認証する情報に加工する受信情報加工手段とを備え；
前記受信情報加工手段は、受信した前記視聴者の応答動作に関する情報を解析し、前記視聴者の応答動作を特定する動作解析特定部を有し；
前記受信手段は、前記視聴者が前記視聴覚番組を正常に視聴していることを伝達するために返信する、前記視聴者が操作する視聴覚端末が出力する前記視聴覚端末が備えるモーションセンサにより検出した検出結果から得られる前記視聴者の応答動作に関する情報を受信するように構成され；
前記認証記録手段は、前記視聴を認証するために、前記視聴覚認証システムが出力する前記視聴者が前記視聴覚番組を前記視聴したことを認証する情報を記録するように構成された；
視聴覚認証システム。
【請求項９】
前記受信手段は、さらに前記視聴者が操作する視聴覚端末により記録された前記再生認証ポイント並びに前記再生認証ポイントを前記視聴覚端末が検出した時刻を受信するように構成され；
前記認証記録手段は、さらに前記視聴覚端末により記録された前記再生認証ポイント並びに前記再生認証ポイントを前記視聴覚端末が検出した時刻を記録するように構成された；
請求項８に記載の視聴覚認証システム。
【請求項１０】
２以上の前記再生認証ポイントを受信した時刻から前記視聴者による再生操作履歴を解析して出力する視聴解析手段を備え；
前記認証記録手段は、前記視聴解析手段により出力された受信時刻に基づく再生操作履歴をさらに記録するように構成された；
請求項８に記載の視聴覚認証システム。
【請求項１１】
２以上の前記視聴者が操作する視聴覚端末により記録された前記再生認証ポイント並びに前記再生認証ポイントを前記視聴覚端末が検出した時刻から前記視聴者による再生操作履歴を解析して出力する視聴解析手段を備え；
前記認証記録手段は、前記視聴解析手段により出力された記録時刻に基づく再生操作履歴をさらに記録するように構成された；
請求項９に記載の視聴覚認証システム。
【請求項１２】
前記再生操作履歴に基づき、前記視聴者が所定の範囲内の再生速度により所定の時間だけ前記視聴覚番組の前記視聴をおこなったことを認証する前記再生操作履歴に基づく視聴認証を出力する視聴認証手段を備え；
前記認証記録手段は、前記視聴認証手段により出力された前記再生操作履歴に基づく視聴認証を、さらに記録するように構成された；
請求項１０又は請求項１１に記載の視聴覚認証システム。
【請求項１３】
視聴覚番組の視聴者が前記視聴覚番組を正常に視聴していることを認証する視聴覚認証システムであって；
前記視聴覚番組を前記視聴者の要求に応じて前記視聴者が操作する視聴覚端末に送信する番組送信手段と；
前記視聴覚番組を提供する番組提供主体が前記視聴覚番組に固有のタイミングで前記視聴者に所定の動作を要求する情報によりなる前記視聴覚番組に固有の動作指示情報を作成する動作指示情報作成手段と；
前記視聴者が操作する視聴覚端末に前記動作指示情報を送信する動作指示情報送信手段と；
受信した前記視聴者の応答動作に関する情報を前記視聴者が前記視聴覚番組を前記視聴したことを認証する情報に加工する受信情報加工手段とを備え；
前記受信情報加工手段は、受信した前記視聴者の応答動作に関する情報を解析し、前記視聴者の応答動作を特定する動作解析特定部を有し；
前記視聴者が前記視聴覚番組を正常に視聴していることを伝達するために返信する、前記視聴者が操作する視聴覚端末が出力する前記視聴覚端末が備えるモーションセンサにより検出した検出結果から得られる前記視聴者の応答動作に関する情報を受信する受信手段と；
前記視聴を認証するために、前記視聴覚認証システムが出力する前記視聴者が前記視聴覚番組を前記視聴したことを認証する情報を記録する認証記録手段とをさらに備える；
視聴覚認証システム。
【請求項１４】
前記モーションセンサにより検出した検出結果から得られる前記視聴者の複数の応答動作を相互に比較することにより、前記応答動作の差異を定量的に把握する応答動作比較手段と；
前記応答動作比較手段により定量的に把握された前記応答動作の差異を前記視聴覚の認証主体が定める所定の基準に照らして評価する視聴者認証手段とを備える；
請求項１３に記載の視聴覚認証システム。
【請求項１５】
視聴覚番組の視聴者が前記視聴覚番組を正常に視聴していることを認証する視聴覚認証システムを制御するためのプログラムであって；
前記視聴覚番組に所定の時間の間隔で前記視聴覚番組の番組進行時間を画定する信号である再生認証ポイントを設ける処理と；
前記視聴者が操作する視聴覚端末の要求に応じて前記視聴覚番組を前記視聴覚端末に送信する処理と；
前記視聴者が前記視聴覚端末を用いて前記視聴覚番組を再生することにより検出される前記視聴覚番組を提供する番組提供主体が前記視聴覚番組内に所定の時間の間隔で設けた信号である再生認証ポイントを前記視聴者が操作する視聴覚端末から受信する処理と；
前記再生認証ポイントを受信した時刻を出力する処理と；
前記視聴を認証するために、前記再生認証ポイント並びに前記再生認証ポイントを受信した時刻を記録する処理と；
前記視聴覚番組を提供する番組提供主体が前記視聴覚番組に固有のタイミングで前記視聴者に所定の動作を要求する情報によりなる前記視聴覚番組に固有の動作指示情報を作成する処理と；
前記動作指示情報を前記視聴者が操作する視聴覚端末に送信する処理と；
前記視聴者が前記視聴覚番組を正常に視聴していることを伝達するために返信する、前記視聴者が操作する視聴覚端末が出力する前記視聴覚端末が備えるモーションセンサにより検出した検出結果から得られる前記視聴者の応答動作に関する情報を受信する処理と；
受信した前記視聴者の応答動作に関する情報を前記視聴者が前記視聴覚番組を前記視聴したことを認証する情報に加工する処理と；
受信した前記視聴者の応答動作に関する情報を解析し、前記視聴者の応答動作を特定する処理と；
前記視聴を認証するために、前記視聴覚認証システムが出力する前記視聴者が前記視聴覚番組を前記視聴したことを認証する情報を記録する処理とをおこなうように構成された；
プログラム。
【請求項１６】
視聴覚番組の視聴者が前記視聴覚番組を正常に視聴していることを認証する視聴覚認証システムを制御するためのプログラムであって；
前記視聴者が操作する視聴覚端末の要求に応じて前記視聴覚番組を前記視聴覚端末に送信する処理と；
前記視聴覚番組を提供する番組提供主体が前記視聴覚番組に固有のタイミングで前記視聴者に所定の動作を要求する情報によりなる前記視聴覚番組に固有の動作指示情報を作成する処理と；
前記動作指示情報を前記視聴者が操作する視聴覚端末に送信する処理と；
前記視聴者が前記視聴覚番組を正常に視聴していることを伝達するために返信する、前記視聴者が操作する視聴覚端末が出力する前記視聴覚端末が備えるモーションセンサにより検出した検出結果から得られる前記視聴者の応答動作に関する情報を受信する処理と；
受信した前記視聴者の応答動作に関する情報を前記視聴者が前記視聴覚番組を前記視聴したことを認証する情報に加工する処理と；
受信した前記視聴者の応答動作に関する情報を解析し、前記視聴者の応答動作を特定する処理と；
前記視聴を認証するために、前記視聴覚認証システムが出力する前記視聴者が前記視聴覚番組を前記視聴したことを認証する情報を記録する処理とをおこなうように構成された；
プログラム。
【発明の詳細な説明】
【技術分野】
【０００１】
この発明は、通信教育、自習型教育等の遠隔教育に関し、特に視聴者が実際の遠隔教育番組を視聴しているか否か認証をするための装置及びプログラムに関する。
【背景技術】
【０００２】
遠隔教育では、テレビ放送やラジオ放送等の電波媒体、ＶＴＲ、ＣＤ−ＲＯＭ又はＤＶＤ等の磁気媒体、書籍や冊子などの紙媒体、インターネット等の電子媒体を利用した番組を用いて、受講者の学習がおこなわれている。従来、通信教育、自習型教育等の遠隔教育では、受講者に試験問題を出し、その解答を提出させることによって内容の理解度を確認し、それを受講者の学習度の判断基準としている。
【０００３】
図２０は電波媒体である衛星放送を用いて遠隔教育を実施する場合の、視聴覚認証の方式を示す図である。図において、１は番組の映像素材、２は放送局、３は放送衛星で静止軌道衛星でもよくまた低軌道衛星でもよい。４は衛星放送受信チューナ、５はテレビである。８は通信回線で、公衆回線でもよくまた専用回線でもよい。１２は回答用紙、１３はＦＡＸ、１４は郵送で、民間事業者による宅配便でもよい。１５は遠隔教育のセンターである。
【０００４】
このように構成された遠隔教育において、教育教材である映像素材１は番組として放送局２、放送衛星３を経由し放映される。視聴者は衛星放送受信チューナ４を介しテレビ５より番組を視聴する。視聴者は番組を視聴した後に、回答用紙１２に記入して、通信回線８を介してＦＡＸによりセンター１５に送信したり、郵送で回答用紙をセンター１５に送る。
【０００５】
しかしながら、従来の遠隔教育では、受講者の視聴の有無を確実に捕捉することができなかった。即ち、遠隔教育による視聴の確認をするために確認試験をしているが、この試験問題に対する解答の理解度確認だけでは、本当に番組を見ているかどうかが分からないという課題があった。受講者は番組を視聴していなくても、知っていることであれば正しい解答を出すことが可能である。
【０００６】
また、試験問題の解答として提出されたものに対して本人確認をすることができないという課題もある。
【０００７】
さらに、解答の回収は郵送、ＦＡＸ等となるので視聴の確認まで時間がかかるという課題もあった。
【０００８】
これら従来の遠隔教育の課題を解決する発明として、特許文献１に開示される発明が知られている。特許文献１では、視聴覚番組の視聴者が視聴する該視聴覚番組に固有の所定の文字列からなる視聴確認コードを、該視聴者が視聴覚の認証主体に伝達することにより該視聴者による該視聴覚番組の視聴を認証する発明の開示がなされている。
【先行技術文献】
【特許文献】
【０００９】
【特許文献１】特許第３４９８０５７号公報  （請求項１、図１、図３参照）
【発明の概要】
【発明が解決しようとする課題】
【００１０】
特許文献１に開示される発明は、発明の開示の以前に知られた発明と比較して優れた発明である一方で、視聴覚番組の視聴者が所定の文字列からなる視聴確認コードを視聴者が操作する視聴覚端末を通じて視聴覚の認証主体に伝達する際に、視聴者が視聴中の視聴覚番組から暫時視線を外して視聴覚端末を操作する視聴者の手元を確認する必要が生じる可能性があるという課題があった。特に、視聴覚の認証主体による視聴の認証は、視聴覚番組における重要な情報部分を提示するタイミングにおいておこなわれることが効果的であるが、視聴者が視聴覚番組における重要な情報部分において視聴者に提示された視聴確認コードを視聴者が操作する視聴覚端末に入力するために視聴者が視聴覚番組から暫時視線を外した結果、視聴者が視聴覚番組で提示される重要な映像や字幕による説明などを見逃してしまうという可能性を指摘することができる。
【００１１】
本発明は、上記のような課題を解決するためになされたもので、視聴者による視聴覚番組の視聴覚の確認、特に遠隔教育における視聴覚の認証をおこなうために適した視聴覚端末並びに視聴覚認証システム及びこれらの装置を制御するためのプログラムを提供することを目的とする。
【課題を解決するための手段】
【００１２】
上記目的を達成するために、請求項１に記載の視聴覚端末は、例えば図１１に示す視聴覚番組の視聴者が操作する視聴覚端末６０であって；視聴覚番組を再生する再生手段６１と；該視聴者による再生操作により再生された該視聴覚番組の中から該視聴覚番組を提供する番組提供主体により該視聴覚番組内に所定の時間の間隔で設けられた信号である再生認証ポイント１１０（図１２、図１３参照）を検出する再生検出手段６２と；再生検出手段６２により再生認証ポイント１１０が検出された時刻を出力するクロック６３と；該視聴者が該視聴覚番組を正常に視聴していることを認証する視聴覚の認証主体に伝達するために、該検出された再生認証ポイント１１０並びに再生認証ポイント１１０が検出された時刻を該視聴覚の認証主体が有する視聴覚認証システム８０（図１６参照）に送信する送信手段とを備える。
【００１３】
このように構成することにより、視聴覚番組の視聴者は、該視聴者が操作する視聴覚端末が備える該視聴覚番組を再生する再生手段により、該視聴覚番組を再生して視聴することができる。また、該視聴者による再生操作により再生された該視聴覚番組の中から該視聴覚番組を提供する番組提供主体により該視聴覚番組内に所定の時間の間隔で設けられた信号である再生認証ポイントを検出する再生検出手段により、該視聴覚番組の情報の中から該再生認証ポイントを検出することができる。また、該再生検出手段により該再生認証ポイントが検出された時刻を出力するクロックにより、該再生認証ポイントが検出された時刻の情報を出力して該再生認証ポイントが検出された時刻の情報を視聴の認証を得るために用いることができる。また、該視聴者が該視聴覚番組を正常に視聴していることを認証する視聴覚の認証主体に伝達するために、検出された該再生認証ポイント並びに該再生認証ポイントが検出された時刻を該視聴覚の認証主体が有する視聴覚認証システムに送信する送信手段により、検出された該再生認証ポイント並びに該再生認証ポイントが検出された時刻を該視聴覚の認証主体が有する視聴覚認証システムに送信することができる。このため、該視聴覚の認証主体による該視聴者が該視聴覚番組を該視聴したことについての認証を得ることができる。
【００１４】
また、請求項２に記載の視聴覚端末は、請求項１に記載の視聴覚端末において、例えば図１１に示す２以上の再生認証ポイント１１０（図１２、図１３参照）が検出された時刻から該視聴者による再生操作履歴を解析して出力する視聴解析手段６６を備え；送信手段６５は、視聴解析手段６６により出力された再生操作履歴（視聴覚端末）１１１ａ（図１４参照）を、該視聴を認証するために、さらに該視聴覚の認証主体が有する視聴覚認証システム８０（図１６参照）に送信するように構成されている。
【００１５】
このように構成することにより、視聴覚番組の視聴者は、該視聴者が操作する視聴覚端末が備える２以上の該再生認証ポイントが検出された時刻から該視聴者による再生操作履歴を解析して出力する視聴解析手段により、該視聴者による該再生操作履歴を出力して得ることができる。また、該視聴覚端末が備える送信手段は、該視聴解析手段により出力された再生操作履歴を、該視聴を認証するために、さらに該視聴覚の認証主体が有する視聴覚認証システムに送信するように構成されたことにより、該再生操作履歴を該視聴覚の認証主体が有する視聴覚認証システムに送信することができる。このため、該視聴覚の認証主体による該視聴者が該視聴覚番組を該視聴したことについての認証を得ることができる。
【００１６】
また、請求項３に記載の視聴覚端末は、請求項２に記載の視聴覚端末において、例えば図１１に示す視聴覚端末６０は、再生操作履歴（視聴覚端末）１１１ａ（図１４参照）に基づき、該視聴者が所定の範囲内の再生速度により所定の時間だけ該視聴覚番組の該視聴をおこなったことを認証する該再生操作履歴に基づく視聴認証を出力する視聴認証手段６７を備え；送信手段６５は、視聴認証手段６７により出力される再生操作履歴（視聴覚端末）１１１ａに基づく視聴認証（視聴覚端末）１１４ａ（図１４参照）を、さらに該視聴覚の認証主体が有する視聴覚認証システム８０（図１６参照）に送信するように構成されている。
【００１７】
このように構成することで、視聴覚番組の視聴者は、該視聴者が操作する視聴覚端末が備える、該再生操作履歴に基づき、該視聴者が所定の範囲内の再生速度により所定の時間だけ該視聴覚番組の該視聴をおこなったことを認証する該再生操作履歴に基づく視聴認証を出力する視聴認証手段により、該再生操作履歴に基づく視聴認証を出力して得ることができる。また、該送信手段は、該視聴認証手段により出力される該再生操作履歴に基づく視聴認証を、さらに該視聴覚の認証主体が有する視聴覚認証システムに送信するように構成されたことにより、該再生操作履歴に基づく視聴認証を該視聴覚の認証主体が有する視聴覚認証システムに送信することができる。このため、該再生操作履歴に基づく視聴認証に基づき、該視聴覚の認証主体による該視聴者が該視聴覚番組を該視聴したことについての認証を得ることができる。
【００１８】
また、請求項４に記載の視聴覚端末は、請求項１乃至請求項３のいずれか１項に記載の視聴覚端末において、例えば視聴覚端末６０（図１１参照）に視聴覚端末２０（図１参照）の機能を組み込んだ視聴覚番組の視聴者が操作する図１８に示す視聴覚端末６０ａであって；該視聴覚番組を提供する番組提供主体が該視聴覚番組に固有のタイミングで該視聴者に所定の動作を要求する該視聴覚番組に固有の動作指示情報１０１（図３参照）に基づき、該視聴者に該動作を指示する動作指示手段２２（図１参照）と；該視聴者が該視聴覚番組を正常に視聴していることを認証する視聴覚の認証主体に伝達するために動作指示手段２２（図１参照）により該動作が指示されるたびに該視聴者がおこなう該視聴者の応答動作を検出するモーションセンサ２３（図１参照）と；モーションセンサ２３により検出した検出結果から得られる該視聴者の応答動作に関する情報を該送信手段で送信可能な信号に信号化する信号化手段２４（図１参照）とを備え；該送信手段は、該視聴覚端末が出力する情報を該視聴の認証を得るために該視聴覚の認証主体が有する視聴覚認証システムに送信するように構成されている。
【００１９】
このように構成することにより、視聴覚の認証主体は、視聴覚番組の視聴者が、請求項１乃至請求項３のいずれか１項に記載の視聴覚端末であって；該視聴覚番組を提供する番組提供主体が該視聴覚番組に固有のタイミングで該視聴者に所定の動作を要求する該視聴覚番組に固有の動作指示情報に基づき、該視聴者に該動作を指示する動作指示手段と；該視聴者が該視聴覚番組を正常に視聴していることを認証する視聴覚の認証主体に伝達するために該動作指示手段により該動作が指示されるたびに該視聴者がおこなう該視聴者の応答動作を検出するモーションセンサと；該モーションセンサにより検出した検出結果から得られる該視聴者の応答動作に関する情報を該送信手段で送信可能な信号に信号化する信号化手段とを備え；該送信手段は、該視聴覚端末が出力する情報を該視聴の認証を得るために該視聴覚の認証主体が有する視聴覚認証システムに送信するように構成された該視聴覚端末を用いる場合には、該視聴者に所定の動作を頻繁に要求することなく、該視聴覚の認証主体による厳密な該視聴の認証をおこなうことができる。
【００２０】
また、請求項５に記載のプログラムは、例えば図１５に示すように、視聴覚番組の視聴者が操作する視聴覚端末６０（図１１参照）を制御するためのプログラムであって；該視聴覚番組を該視聴者による視聴覚端末６０の操作に従って再生して提示する処理と；該視聴者による再生操作により再生された該視聴覚番組の中から該視聴覚番組を提供する該番組提供主体により該視聴覚番組内に所定の時間の間隔で設けられた信号である再生認証ポイント１１０（図１２、図１３参照）を検出する処理と；再生認証ポイント１１０が検出された時刻を出力する処理と；該視聴者が該視聴覚番組を正常に視聴していることを認証する視聴覚の認証主体に伝達するために、検出された再生認証ポイント１１０並びに再生認証ポイント１１０が検出された時刻を該視聴覚の認証主体が有する視聴覚認証システム８０（図１６参照）に送信する処理とをおこなうように構成されている。
【００２１】
このように構成することにより、プログラムは、視聴覚番組の視聴者が操作する視聴覚端末を適切に制御して、該視聴覚番組を該視聴者による該視聴覚端末の操作に従って再生して提示する処理により、該視聴者による操作に従って、該視聴者に該視聴覚番組を再生して提示することができる。また、該視聴者による再生操作により再生された該視聴覚番組の中から該視聴覚番組を提供する番組提供主体により該視聴覚番組内に所定の時間の間隔で設けられた信号である再生認証ポイントを検出する処理により、該視聴覚番組の情報の中から該再生認証ポイントを検出することができる。また、該再生認証ポイントが検出された時刻を出力する処理により、該再生認証ポイントが検出された時刻の情報を出力して利用することができる。また、該視聴者が該視聴覚番組を正常に視聴していることを認証する視聴覚の認証主体に伝達するために、該検出された該再生認証ポイント並びに該再生認証ポイントが検出された時刻を該視聴覚の認証主体が有する視聴覚認証システムに送信する処理により、該再生認証ポイント並びに該再生認証ポイントが検出された時刻を該視聴覚の認証主体が有する視聴覚認証システムに送信することができる。このため、該再生認証ポイントの情報並びに該再生認証ポイントが検出された時刻の情報に基づき、該視聴覚の認証主体による該視聴者が該視聴覚番組を該視聴したことについての認証を得ることができる。
【００２２】
また、請求項６に記載の視聴覚端末を制御するためのプログラムは、請求項５に記載の視聴覚端末を制御するためのプログラムにおいて、例えば視聴覚端末６０（図１１参照）に視聴覚端末２０（図１参照）の機能を組み込んだ視聴覚番組の視聴者が操作する視聴覚端末６０ａ（図１８参照）を制御するための制御プログラム（不図示）であって；該視聴覚番組を提供する番組提供主体が該視聴覚番組に固有のタイミングで該視聴者に所定の動作を要求する該視聴覚番組に固有の動作指示情報１０１（図３参照）に基づき、該視聴者に該動作を指示する処理と；該視聴者が該視聴覚番組を正常に視聴していることを認証する視聴覚の認証主体に伝達するために該動作が指示されるたびに該視聴者がおこなう該視聴者の応答動作をモーションセンサ２３（図１参照）により検出する処理と；モーションセンサ２３により検出した検出結果から得られる該視聴者の応答動作に関する情報を送信可能な信号に信号化する処理と；該視聴覚端末が出力する情報を該視聴の認証を得るために該視聴覚の認証主体が有する視聴覚認証システムに送信する処理とをおこなうように構成されている。
【００２３】
このように構成することにより、本制御プログラムは、視聴覚端末を制御するための請求項５に記載のプログラムであって；該視聴覚番組を提供する番組提供主体が該視聴覚番組に固有のタイミングで該視聴者に所定の動作を要求する該視聴覚番組に固有の動作指示情報に基づき、該視聴者に該動作を指示する処理と；該視聴者が該視聴覚番組を正常に視聴していることを認証する視聴覚の認証主体に伝達するために該動作が指示されるたびに該視聴者がおこなう該視聴者の応答動作をモーションセンサにより検出する処理と；該モーションセンサにより検出した検出結果から得られる該視聴者の応答動作に関する情報を送信可能な信号に信号化する処理と；該視聴覚端末が出力する情報を該視聴の認証を得るために該視聴覚の認証主体が有する視聴覚認証システムに送信する処理とをおこなうように構成されたことにより、該視聴者に所定の動作を頻繁に要求することなく、該視聴覚の認証主体による厳密な視聴の認証をおこなうことができる。
【００２４】
また、請求項７に記載の視聴覚認証システムは、例えば図１６に示す視聴覚番組の視聴者が該視聴覚番組を正常に視聴していることを認証する視聴覚認証システム８０であって；該視聴覚番組に所定の時間の間隔で該視聴覚番組の番組進行時間を画定する信号である再生認証ポイントを設ける再生認証ポイント設置手段８１と；該視聴覚番組を該視聴者の要求に応じて該視聴者が操作する視聴覚端末６０（図１１参照）に送信する番組送信手段８２と；該視聴者が視聴覚端末６０を用いて該視聴覚番組を再生することにより検出される該視聴覚番組を提供する番組提供主体が該視聴覚番組内に所定の時間の間隔で設けた信号である再生認証ポイント１１０（図１２、図１３参照）を受信する受信手段８３と；受信手段８３により再生認証ポイント１１０を受信した時刻を出力するクロック８４と；該視聴を認証するために、再生認証ポイント１１０並びに再生認証ポイント１１０を受信した時刻を記録する認証記録手段９２とを備える。
【００２５】
このように構成することにより、視聴覚の認証主体は、該視聴覚の認証主体が有する視聴覚番組の視聴者が該視聴覚番組を正常に視聴していることを認証する視聴覚認証システムであって、該視聴覚認証システムが備える、該視聴覚番組に所定の時間の間隔で該視聴覚番組の番組進行時間を画定する信号である再生認証ポイントを設ける再生認証ポイント設置手段により、該視聴覚番組の番組進行時間を画定する所定の時間の間隔において、該視聴覚番組に該再生認証ポイントを設置することができる。また、該視聴覚番組を該視聴者の要求に応じて該視聴者が操作する視聴覚端末に送信する番組送信手段により、該視聴者が操作する該視聴覚端末に該視聴覚番組を送信して該視聴者に該視聴覚番組を提示することができる。また、該視聴者が該視聴覚端末を用いて該視聴覚番組を再生することにより検出される該視聴覚番組を提供する番組提供主体が該視聴覚番組内に所定の時間の間隔で設けた信号である再生認証ポイントを受信する受信手段により、該視聴者が操作する視聴覚端末により返信される該再生認証ポイントを受信することができる。また、該受信手段により該再生認証ポイントを受信した時刻を出力するクロックにより、該再生認証ポイントを受信した時刻の情報を出力して認証をおこなうことができる。また、該視聴を認証するために、該再生認証ポイント並びに該再生認証ポイントを受信した時刻を記録する認証記録手段により、該再生認証ポイント並びに該再生認証ポイントを受信した時刻を認証記録を構成する情報として記録することができる。このため、該認証記録に基づき、該視聴者による該視聴覚番組の該視聴を認証することができる。
【００２６】
また、請求項８に記載の視聴覚認証システムは、請求項７に記載の視聴覚認証システムにおいて、例えば図１６に示す視聴覚認証システム８０が備える受信手段８３は、さらに該視聴者が操作する視聴覚端末６０（図１１参照）により記録された再生認証ポイント１１０（図１２、図１３参照）並びに再生認証ポイント１１０を検出した時刻を受信するように構成され；認証記録手段９２は、さらに視聴覚端末６０により記録された再生認証ポイント１１０（図１２、図１３参照）並びに再生認証ポイント１１０を検出した時刻を記録するように構成されている。
【００２７】
このように構成することにより、視聴覚の認証主体は、該視聴覚の認証主体が有する視聴覚認証システムが備える該受信手段が、さらに該視聴者が操作する視聴覚端末により記録された該再生認証ポイント並びに該再生認証ポイントを検出した時刻を受信するように構成されたことにより、該視聴者が該視聴覚端末を高速電気通信回線網に接続して該視聴覚番組を視聴することができない場合にも、該視聴覚端末が備える記録手段に記録された該再生認証ポイント並びに該再生認証ポイントを検出した時刻を受信することにより該視聴者が該視聴覚端末により該視聴覚番組を再生した時刻並びに該視聴覚番組の再生時間を把握することができる。また、認証記録手段は、さらに該視聴覚端末により記録された該再生認証ポイント並びに該再生認証ポイントを検出した時刻を記録するように構成されたことにより、該再生認証ポイント並びに該再生認証ポイントを検出した時刻を認証記録を構成する情報として記録することができる。このため、該認証記録に基づき、該視聴者による該視聴覚番組の該視聴を認証することができる。
【００２８】
また、請求項９に記載の視聴覚認証システムは、請求項７に記載の視聴覚認証システムにおいて、例えば図１６に示す視聴覚認証システム８０は、２以上の再生認証ポイント１１０（図１２、図１３参照）を受信した時刻から該視聴者による再生操作履歴を解析して出力する視聴解析手段８５を備え；認証記録手段９２は、視聴解析手段８５により出力された受信時刻に基づく再生操作履歴（視聴覚認証システム）１１１ｂ（図１４参照）をさらに記録するように構成されている。
【００２９】
このように構成することにより、視聴覚の認証主体は、該視聴覚の認証主体が有する視聴覚認証システムが備える２以上の該再生認証ポイントを受信した時刻から該視聴者による再生操作履歴を解析して出力する視聴解析手段により、受信時刻に基づく再生操作履歴を得ることができる。また、認証記録手段が、該視聴解析手段により出力された受信時刻に基づく再生操作履歴をさらに記録することにより、受信時刻に基づく再生操作履歴を認証記録を構成する情報として記録することができる。このため、該認証記録に基づき、該視聴者が該視聴覚番組を該視聴したことについての認証をおこなうことができる。
【００３０】
また、請求項１０に記載の視聴覚認証システムは、請求項８に記載の視聴覚認証システムにおいて、例えば図１６に示す視聴覚認証システム８０が備える２以上の該視聴者が操作する視聴覚端末６０（図１１参照）により記録された再生認証ポイント１１０（図１２、図１３参照）並びに再生認証ポイント１１０を視聴覚端末６０が検出した時刻から該視聴者による再生操作履歴を解析して出力する視聴解析手段８５を備え；認証記録手段９２は、視聴解析手段８５により出力された記録時刻に基づく再生操作履歴（視聴覚認証システム）１１１ｃ（図１４参照）をさらに記録するように構成されている。
【００３１】
このように構成することにより、視聴覚の認証主体は、該視聴覚の認証主体が有する視聴覚認証システムが備える、２以上の該視聴者が操作する視聴覚端末により記録された該再生認証ポイント並びに該再生認証ポイントを検出した時刻から該視聴者による再生操作履歴を解析して出力する視聴解析手段により、記録時刻に基づく再生操作履歴を得ることができる。また、認証記録手段は、該視聴解析手段により出力された記録時刻に基づく再生操作履歴をさらに記録することにより、記録時刻に基づく再生操作履歴を認証記録を構成する情報として記録することができる。このため、該認証記録に基づき、該視聴者が該視聴覚番組を視聴したことについての認証をおこなうことができる。
【００３２】
また、請求項１１に記載の視聴覚認証システムは、請求項９又は請求項１０に記載の視聴覚認証システムにおいて、例えば図１６に示す再生操作履歴１１１（図１４参照）に基づき、該視聴者が所定の範囲内の再生速度により所定の時間だけ該視聴覚番組の該視聴をおこなったことを認証する再生操作履歴１１１に基づく視聴認証を出力する視聴認証手段８６を備え；認証記録手段９２は、視聴認証手段８６により出力された再生操作履歴１１１に基づく視聴認証（視聴覚認証システム）１１４ｂ（図１４参照）を、さらに記録するように構成されている。
【００３３】
このように構成することにより、視聴覚の認証主体は、該視聴覚の認証主体が有する視聴覚認証システムが備える、該再生操作履歴に基づき、該視聴者が所定の範囲内の再生速度により所定の時間だけ該視聴覚番組の該視聴をおこなったことを認証する再生操作履歴に基づく視聴認証を出力する視聴認証手段により、該再生操作履歴に基づく視聴認証を得ることができる。また、認証記録手段は、該視聴認証手段により出力された該再生操作履歴に基づく視聴認証を、さらに記録するように構成されたことにより、該再生操作履歴に基づく視聴認証を認証記録を構成する情報として記録することができる。このため、該認証記録に基づき、該視聴覚の認証主体は、該視聴者が該視聴覚番組を該視聴したことについての認証をおこなうことができる。
【００３４】
また、請求項１２に記載の視聴覚認証システムは、請求項７乃至請求項１１のいずれか１項に記載の視聴覚認証システムにおいて、例えば図１６に示す視聴覚認証システム８０に視聴覚認証システム４０（図８参照）の機能を組み込んだ視聴覚番組の視聴者が前記視聴覚番組を正常に視聴していることを認証する視聴覚認証システム８０ａ（図１９参照）であって；該視聴覚番組を提供する番組提供主体が該視聴覚番組に固有のタイミングで該視聴者に所定の動作を要求する情報によりなる該視聴覚番組に固有の動作指示情報１０１（図３参照）を作成する動作指示情報作成手段４２（図８参照）と；該視聴者が操作する視聴覚端末に動作指示情報１０１を送信する動作指示情報送信手段４３（図８参照）と；受信した該視聴者の応答動作に関する情報を該視聴者が該視聴覚番組を該視聴したことを認証する情報に加工する受信情報加工手段４５（図８参照）とを備え；受信情報加工手段４５は、受信した該視聴者の応答動作に関する情報を解析し、該視聴者の応答動作を特定する動作解析特定部４５ａ（図９参照）を有し；受信手段４４（図８参照）は、該視聴者が該視聴覚番組を正常に視聴していることを伝達するために返信する、該視聴者が操作する視聴覚端末が出力する該視聴覚端末が備えるモーションセンサ２３（図１参照）により検出した検出結果から得られる該視聴者の応答動作に関する情報を受信するように構成され；認証記録手段５３（図８参照）は、該視聴を認証するために、該視聴覚認証システムが出力する該視聴者が該視聴覚番組を該視聴したことを認証する情報を記録するように構成されている。
【００３５】
このように構成することにより、視聴覚の認証主体は、請求項７乃至請求項１１のいずれか１項に記載の視聴覚認証システムであって；該視聴覚番組を提供する番組提供主体が該視聴覚番組に固有のタイミングで該視聴者に所定の動作を要求する情報によりなる該視聴覚番組に固有の動作指示情報を作成する動作指示情報作成手段と；該視聴者が操作する視聴覚端末に該動作指示情報を送信する動作指示情報送信手段と；受信した該視聴者の応答動作に関する情報を該視聴者が該視聴覚番組を該視聴したことを認証する情報に加工する受信情報加工手段とを備え；該受信情報加工手段は、受信した該視聴者の応答動作に関する情報を解析し、該視聴者の応答動作を特定する動作解析特定部を有し；該受信手段は、該視聴者が該視聴覚番組を正常に視聴していることを伝達するために返信する、該視聴者が操作する視聴覚端末が出力する該視聴覚端末が備えるモーションセンサにより検出した検出結果から得られる該視聴者の応答動作に関する情報を受信するように構成され；該認証記録手段は、該視聴を認証するために、該視聴覚認証システムが出力する該視聴者が該視聴覚番組を該視聴したことを認証する情報を記録するように構成されたことにより、該視聴者に所定の動作を頻繁に要求することなく、該視聴覚の認証主体による厳密な該視聴の認証をおこなうことができる。
【００３６】
また、請求項１３に記載のプログラムは、例えば図１７に示すように、視聴覚番組の視聴者が該視聴覚番組を正常に視聴していることを認証する視聴覚認証システム８０（図１６参照）を制御するためのプログラムであって；該視聴覚番組に所定の時間の間隔で該視聴覚番組の番組進行時間を画定する信号である再生認証ポイント１１０（図１２、図１３参照）を設ける処理と；該視聴者が操作する視聴覚端末６０（図１１参照）の要求に応じて該視聴覚番組を視聴覚端末６０に送信する処理と；該視聴者が視聴覚端末６０を用いて該視聴覚番組を再生することにより検出される該視聴覚番組を提供する番組提供主体が該視聴覚番組内に所定の時間の間隔で設けた信号である再生認証ポイント１１０を該視聴者が操作する視聴覚端末６０から受信する処理と；再生認証ポイント１１０を受信した時刻を出力する処理と；該視聴を認証するために、再生認証ポイント１１０並びに再生認証ポイント１１０を受信した時刻を記録する処理とをおこなうように構成されている。
【００３７】
このように構成することにより、プログラムは、視聴覚認証システムを制御することにより、該視聴覚番組に所定の時間の間隔で該視聴覚番組の番組進行時間を画定する信号である再生認証ポイントを設ける処理により、該視聴覚番組の情報に該視聴覚番組の番組提供主体が定める所定の時間の間隔で該再生認証ポイントの情報を加えて設けることができる。また、該視聴者が操作する視聴覚端末の要求に応じて該視聴覚番組を該視聴覚端末に送信する処理により、該視聴覚端末に該視聴覚番組を送信することができる。また、該視聴者が該視聴覚端末を用いて該視聴覚番組を再生することにより検出される該視聴覚番組を提供する番組提供主体が該視聴覚番組内に所定の時間の間隔で設けた信号である再生認証ポイントを該視聴者が操作する視聴覚端末から受信する処理により、該視聴覚端末から該再生認証ポイントを受信することができる。また、該再生認証ポイントを受信した時刻を出力する処理により、該再生認証ポイントを受信した時刻を出力することができる。また、該視聴を認証するために、該再生認証ポイント並びに該再生認証ポイントを受信した時刻を記録する処理により、該再生認証ポイント並びに該再生認証ポイントを受信した時刻を認証記録を構成する情報として記録することができる。このため、該認証記録に基づき、該視聴者が該視聴覚番組を該視聴したことについての認証をおこなうことができる。
【００３８】
また、請求項１４に記載の視聴覚認証システムを制御するためのプログラムは、請求項１３に記載の視聴覚認証システムを制御するためのプログラムにおいて、例えば視聴覚認証システム８０（図１６参照）を制御するための図１７に示す制御プログラムに視聴覚認証システム４０（図８参照）を制御するための制御プログラム（図１０参照）がおこなう制御処理を組み込んだ、視聴覚認証システム８０に視聴覚認証システム４０の機能を組み込んだ視聴覚番組の視聴者が前記視聴覚番組を正常に視聴していることを認証する視聴覚認証システム８０ａ（図１９参照）を制御するためのプログラム（不図示）であって；該視聴覚番組を提供する番組提供主体が該視聴覚番組に固有のタイミングで該視聴者に所定の動作を要求する情報によりなる該視聴覚番組に固有の動作指示情報１０１（図３参照）を作成する処理と；動作指示情報１０１を該視聴者が操作する視聴覚端末に送信する処理と；該視聴者が該視聴覚番組を正常に視聴していることを伝達するために返信する、該視聴者が操作する視聴覚端末が出力する該視聴覚端末が備えるモーションセンサ２３（図１参照）により検出した検出結果から得られる該視聴者の応答動作に関する情報を受信する処理と；受信した該視聴者の応答動作に関する情報を該視聴者が該視聴覚番組を該視聴したことを認証する情報に加工する処理と；受信した該視聴者の応答動作に関する情報を解析し、該視聴者の応答動作を特定する処理と；該視聴を認証するために、該視聴覚認証システムが出力する該視聴者が該視聴覚番組を該視聴したことを認証する情報を記録する処理とをおこなうように構成されている。
【００３９】
このように構成することにより、本制御プログラムは、視聴覚認証システムを制御するための請求項１３に記載のプログラムであって；該視聴覚番組を提供する番組提供主体が該視聴覚番組に固有のタイミングで該視聴者に所定の動作を要求する情報によりなる該視聴覚番組に固有の動作指示情報を作成する処理と；該動作指示情報を該視聴者が操作する視聴覚端末に送信する処理と；該視聴者が該視聴覚番組を正常に視聴していることを伝達するために返信する、該視聴者が操作する視聴覚端末が出力する該視聴覚端末が備えるモーションセンサにより検出した検出結果から得られる該視聴者の応答動作に関する情報を受信する処理と；受信した該視聴者の応答動作に関する情報を該視聴者が該視聴覚番組を該視聴したことを認証する情報に加工する処理と；受信した該視聴者の応答動作に関する情報を解析し、該視聴者の応答動作を特定する処理と；該視聴を認証するために、該視聴覚認証システムが出力する該視聴者が該視聴覚番組を該視聴したことを認証する情報を記録する処理とをおこなうように構成されたことにより、該視聴者に所定の動作を頻繁に要求することなく、該視聴覚の認証主体による厳密な該視聴の認証をおこなうことができる。
【発明の効果】
【００４０】
以上のように、本発明によれば、視聴者による視聴覚番組の視聴覚の確認、特に遠隔教育における視聴覚の認証をおこなうために適した視聴覚端末並びに視聴覚認証システム及びこれらの装置を制御するためのプログラムを提供することができる。
【図面の簡単な説明】
【００４１】
【図１】本発明の第一の実施の形態に係る視聴覚端末の構成を例示するブロック図である。
【図２】本発明の第一の実施の形態に係る視聴覚端末が備える信号化手段の構成を例示するブロック図である。
【図３】本発明の第一の実施の形態に係る動作指示情報を構成する情報について例示する説明図である。
【図４】本発明の第一の実施の形態に係る動作応答情報を構成する情報について例示する説明図である。
【図５】本発明の第一の実施の形態に係る認証記録を構成する情報について例示する説明図である。
【図６】本発明の第一の実施の形態に係る視聴覚端末を操作する視聴者による応答動作について例示する説明図である。
【図７】本発明の第一の実施の形態に係る視聴覚端末を制御するためのプログラムの実行処理を例示するフローチャートである。
【図８】本発明の第二の実施の形態に係る視聴覚認証システムの構成を例示するブロック図である。
【図９】本発明の第二の実施の形態に係る視聴覚認証システムが備える受信情報加工手段の構成を例示するブロック図である。
【図１０】本発明の第二の実施の形態に係る視聴覚認証システムを制御するためのプログラムの実行処理を例示するフローチャートである。
【図１１】本発明の第三の実施の形態に係る視聴覚端末の構成を例示するブロック図である。
【図１２】本発明の第三の実施の形態に係る再生認証ポイントを構成する情報について例示する説明図である。
【図１３】本発明の第三の実施の形態に係る再生認証ポイントを設置する所定の時間の間隔について例示する説明図である。
【図１４】本発明の第三の実施の形態に係る認証記録を構成する情報について例示する説明図である。
【図１５】本発明の第三の実施の形態に係る視聴覚端末を制御するためのプログラムの実行処理を例示するフローチャートである。
【図１６】本発明の第三の実施の形態に係る視聴覚認証システムの構成を例示するブロック図である。
【図１７】本発明の第三の実施の形態に係る視聴覚認証システムを制御するためのプログラムの実行処理を例示するフローチャートである。
【図１８】本発明の他の実施の形態に係る視聴覚端末の構成を例示するブロック図である。
【図１９】本発明の他の実施の形態に係る視聴覚認証システムの構成を例示するブロック図である。
【図２０】従来の放送を用いた視聴認証方式を示す概念図である。
【発明を実施するための形態】
【００４２】
［実施例１］
以下、本発明の第一の実施の形態について詳述する。図１に示す本実施の形態の視聴覚端末２０は、視聴覚番組の視聴者が片手で手軽に把持して操作することができる携帯端末（図６参照）として設けられている。もちろん、本実施の形態の視聴覚端末２０は、携帯電話、ＰＤＡ（Ｐｅｒｓｏｎａｌ‐Ｄｉｇｉｔａｌ‐Ａｓｓｉｓｔａｎｔ）、ノート・パソコンあるいはデスクトップ・パソコンとして設けられていてもよい。
【００４３】
図１は、本発明の第一の実施の形態に係る視聴覚端末２０の基本構成を例示するブロック図である。視聴覚端末２０は、再生手段２１、動作指示手段２２、モーションセンサ２３、信号化手段２４、応答動作記録手段２５、応答動作比較手段２６、視聴者認証手段２７、クロック２８、送信手段２９、応答動作履歴データベース３１、記録手段３１の各装置を備える。また、視聴覚端末２０は、視聴覚端末２０の制御をおこなう制御装置であるマイクロ・プロセッサ３０を備える。また、再生手段２１、動作指示手段２２、モーションセンサ２３、信号化手段２４、クロック２８、送信手段２９には、それぞれの機能を支援するためのランダム・アクセス・メモリ（ＲＡＭ）３３がそれぞれに設けられている。視聴覚端末２０が備える各装置の機能の詳細については以下に順次説明する。
【００４４】
また、図２は、視聴覚端末２０（図１参照）が備える信号化手段２４が有する認証装置である動作の認証部２４ａ、応答の認証部２４ｂ、時間の認証部２４ｃを示すブロック図（詳細図）である。信号化手段２４が有する各認証装置の機能の詳細については以下に順次説明する。
【００４５】
まず、図１を参照して、視聴覚端末２０が備える各装置並びに各装置の機能の詳細について説明する。図１に示す視聴覚端末２０が備える再生手段２１は、視聴覚番組の番組提供主体により提供される視聴覚番組を映像と音声とにより視聴者に提示することができる視聴覚再生装置である。再生手段２１は、チューナ（不図示）を有することにより放送された視聴覚番組を受信して再生することができる。また、再生手段２１は、マルチメディア・プレイヤ（不図示）を有することにより再生可能な記録媒体に記録された視聴覚番組の情報を読み出して再生することができる。また、再生手段２１は、情報通信機（無線ＬＡＮ通信機（ルーター））（不図示）を有することにより、電気通信回線を通じて送信可能化された視聴覚番組を電気通信回線を通じた情報通信をおこなうことにより再生することができる。もっとも、再生手段２１は、チューナ、マルチメディア・プレイヤ、情報通信機（無線ＬＡＮ通信機（ルーター））のいずれか１つのみを有して視聴覚番組を再生するものとしてもよい。
【００４６】
図１に示す再生手段２１は液晶表示画面（図６参照）と空気伝導スピーカー（不図示）とを有する。あるいは、再生手段２１は、プラズマ表示画面を有するものとして視認性を高めるものとしてもよいし、有機エレクトロルミネッセンス表示画面を有するものとして液晶表示画面では必要なバックライトを廃止してさらなる軽量化をおこなうものとしてもよい。あるいは、再生手段２１は、骨伝導スピーカーを有するものとして視聴者が視聴覚番組を視聴する際にも周囲の音を聞くことができるように設けるものとしてもよい。あるいは、再生手段２１は、映像又は音声のどちらか一方のみにより視聴覚番組を視聴者に提示するように設けるものとしてもよい。
【００４７】
図１に示す再生手段２１が有する情報通信機（無線ＬＡＮ通信機（ルーター））（不図示）は、公衆無線ＬＡＮ（不図示）に接続して情報通信をおこなうことができるように設けられている。このため、再生手段２１が有する情報通信機（無線ＬＡＮ通信機（ルーター））は、視聴覚の認証主体が有する視聴覚認証システム４０（図８参照）によりＷＡＮにおいてストリーミング（ストリーム配信）される送信可能化された視聴覚番組を情報通信をおこなうことにより再生して視聴者に提示することができる。
【００４８】
あるいは、図１に示す再生手段２１は携帯電話用の無線通信機を有するものとして、携帯電話用の電波を介したパケット通信によるストリーミング（ストリーム配信）を受信して視聴覚番組を再生するように設けるものとしてもよい。この場合には、視聴覚番組の視聴者は、より多くの他の機会を利用して視聴覚番組を視聴することができる。あるいは、再生手段２１は、プログレッシブ・ダウンロード方式の情報通信をおこなうことができるように設けることにより、視聴覚番組を再生手段２１により再生して視聴した後も視聴覚番組の情報を視聴覚端末２０が備える記録手段３２に記録して繰り返し視聴覚番組を視聴することができるように設けるものとしてもよい。
【００４９】
なお、図１に示す再生手段２１が有する情報通信機（無線ＬＡＮ通信機（ルーター））（不図示）が情報通信をおこなう際には、視聴覚番組の情報とともに、動作指示情報１０１の情報（図３参照）を視聴覚の認証主体が有する視聴覚認証システム４０（図８参照）から受信することができるように設けられている。
【００５０】
また、図１に示す再生手段２１が有する情報通信機（無線ＬＡＮ通信機（ルーター））（不図示）が、公衆無線ＬＡＮ（不図示）に接続できない情報通信環境にある場合も存在する。この場合には、再生手段２１は、再生手段２１が有するチューナ（不図示）を用いて放送通信衛星（不図示）により放送される視聴覚番組を受信して再生することができるように設けられている。あるいは、再生手段２１が有するチューナは、地上波放送網（不図示）により放送される視聴覚番組を受信して視聴覚番組を再生するように設けるものとしてもよい。あるいは、再生手段２１が有するチューナは、有線放送網（不図示）により放送される視聴覚番組を受信して再生するように設けるものとしてもよい。あるいは、再生手段２１が有するチューナは、アナログ放送により放送される視聴覚番組を受信して再生するように設けるものとしてもよい。
【００５１】
なお、再生手段２１が有するチューナ（不図示）が視聴覚番組の放送を受信する場合には、再生手段２１が有するチューナは、視聴覚の認証主体が有する視聴覚認証システム４０（図８参照）により作成されて放送施設により放送された動作指示情報１０１（図３参照）の放送を同時に受信して情報を読み取ることができるように設けられている。
【００５２】
また、図１に示す再生手段２１が有するマルチメディア・プレイヤ（不図示）は再生可能な記録媒体に記録された視聴覚番組の情報を読み出して視聴覚番組を再生することができるように設けられている。このため、再生手段２１は、電磁気学的又は光学的に再生可能な記録媒体に記録された視聴覚番組を再生することができる。再生手段２１が有するマルチメディア・プレイヤは、例えば、ＣＤ‐Ｒ（Ｃｏｍｐａｃｔ‐Ｄｉｓｃ‐Ｒｅｃｏｒｄａｂｌｅ）、ＤＶＤ（Ｄｉｇｉｔａｌ‐Ｖｅｒｓａｔｉｌｅ‐Ｄｉｓｃ）、光磁気ディスク（Ｍａｇｎｅｔｏ‐Ｏｐｔｉｃａｌ‐ｄｉｓｃ）、ＲＯＭ（Ｒｅａｄ‐Ｏｎｌｙ‐Ｍｅｍｏｒｙ）に記録された情報を読み出して再生することができる。もっとも、再生手段２１が有するマルチメディア・プレイヤは、あらゆる規格の再生可能な記録媒体を再生することができるように設けることができる。
【００５３】
なお、本実施の形態において、図１に示す再生手段２１が有するマルチメディア・プレイヤ（不図示）が再生する再生可能な記録媒体には、視聴覚番組の情報のほかに、あらかじめ、視聴覚の認証主体により作成された動作指示情報１０１（図３参照）の情報が記録されるように設けられている。このため、再生手段２１が有するマルチメディア・プレイヤは、再生可能な記録媒体から、視聴覚番組の情報とともに、動作指示情報１０１（図３参照）の情報を読み出して利用することができる。
【００５４】
なお、図１に示す再生手段２１が有するマルチメディア・プレイヤ（不図示）が再生する再生可能な記録媒体に記録される情報は、本実施の形態においてはデジタル信号方式により記録されるように設けられているが、あるいは、再生手段２１が有するマルチメディア・プレイヤ（不図示）が再生する再生可能な記録媒体に記録される情報は、アナログ信号方式により記録されるものとしてもよい。
【００５５】
ここで、図３を参照して、動作指示情報１０１について説明する。図３は、本発明の第一の実施の形態に係る動作指示情報１０１を構成する情報について例示する説明図である。動作指示情報１０１は、視聴覚番組の番組提供主体が視聴覚番組に固有のタイミングにおいて視聴者に所定の動作を要求して指示をおこなう情報として視聴覚認証システム４０（図８参照）と視聴覚端末２０（図１参照）との間で情報通信される情報である。動作指示情報１０１は動作指示情報１０１を構成する複数の情報が組み合わされて構成されている。もっとも、動作指示情報１０１は他の情報の構成により設けるものとしてもよい。
【００５６】
図３に示す動作指示情報１０１を構成する「番組ＩＤ」について説明する。「番組ＩＤ」は視聴者が視聴する視聴覚番組を特定するために視聴覚番組に固有に付される情報である。「番組ＩＤ」は、視聴覚の認証主体が提供する視聴覚番組の中から一の視聴覚番組を識別するために視聴覚の認証主体により与えられる情報である。
【００５７】
図３に示す動作指示情報１０１を構成する「指示ＩＤ」は、視聴覚番組に固有のタイミングにおいて作成される動作指示情報１０１を個別に識別するために視聴覚の認証主体により与えられる情報である。「指示ＩＤ」は、一の視聴覚番組において与えられる動作指示情報１０１の総数と、一の視聴覚番組において動作指示情報１０１に与えられる１から始まる連続昇順番号とにより構成されるように設けられている。
【００５８】
図３に示す動作指示情報１０１を構成する「指示ＩＤ」は、具体的に例えば、一の視聴覚番組において与えられる動作指示情報１０１の総数が２０個であったとすると、一の視聴覚番組において最初に作成される動作指示情報１０１の「指示ＩＤ」は、「１／２０」として与えられる。もっとも、本実施の形態に示すように「番組ＩＤ」と「指示ＩＤ」とを個別の情報として分けて設けることなく、「指示ＩＤ」の情報に視聴覚番組を識別するための「番組ＩＤ」の情報に相当する情報を付け加えて設けることにより、「指示ＩＤ」の情報のみにより視聴覚番組の情報と動作指示情報１０１の情報とを併せて視聴覚番組と動作指示情報１０１とを個別に識別することができるように設けるものとしてもよい。
【００５９】
図３に示す動作指示情報１０１を構成する「視聴者ＩＤ」は、後に詳述するように、視聴覚番組の番組提供主体が視聴覚番組の提供の対象とする視聴者本人に対して、視聴覚の認証主体が発行する視聴者本人に固有の情報である。なお、本実施の形態では、「視聴者ＩＤ」は「視聴者ＩＤ」に固有の「パスワード」（視聴者簡易認証情報）（不図示）とともに視聴覚の認証主体により発行されるように設けられている。本実施の形態では、「視聴者ＩＤ」並びに「視聴者ＩＤ」に固有の「パスワード」（視聴者簡易認証情報）は、いずれも２０文字の英数テキスト文字列によりなる文字列情報により構成されている。もっとも、「視聴者ＩＤ」並びに「パスワード」の情報の構成は２０文字の英数テキスト文字列に限られることなく、視聴覚の認証主体が適宜決定することができる。
【００６０】
図３に示す動作指示情報１０１を構成する「送信時刻」は、後に詳述する視聴覚の認証主体が有する視聴覚認証システム４０（図８参照）が視聴者に動作指示情報１０１を送信した時刻が記録された情報である。「送信時刻」は、後に詳述するように、視聴覚認証システム４０が制御処理をおこなう時刻を出力するクロック４９（図８参照）が出力する動作指示情報送信手段４３（図８参照）が動作指示情報１０１を視聴者が操作する視聴覚端末２０（図１参照）に送信した時刻を記録した時刻である。「送信時刻」は、後に詳述するように、視聴覚認証システム４０が、視聴者との通信に要した時間（２次情報）を画定するために用いることができる時刻である。
【００６１】
図３に示す動作指示情報１０１を構成する「指示時刻」は、後に詳述する視聴覚端末２０（図１参照）が備えるクロック２８（図１参照）が出力する動作指示手段２２（図１参照）が視聴者に動作を指示した時刻が記録される情報である。このため、視聴覚認証システム４０（図８参照）が備える動作指示情報送信手段４３（図８参照）が動作指示情報１０１を送信する際には、「指示時刻」の情報には何も記録されていない状態（ブランク）で動作指示情報１０１の送信がおこなわれるように設けられている。「指示時刻」は、視聴者が操作する視聴覚端末２０（図１参照）が動作指示情報１０１を視聴覚認証システム４０から受信した後に、視聴覚端末２０が制御処理をおこなう時刻を出力するクロック２８（図１参照）が出力する動作指示手段２２（図１参照）が視聴者に動作を指示した時刻が記録される時刻として設けられている。「指示時刻」は、後に詳述する視聴者が応答に要した時間（２次情報）を画定するために用いることができる時刻である。
【００６２】
図３に示す動作指示情報１０１を構成する「指示動作」の情報は、視聴覚の認証主体が視聴者に要求する所定の動作を示す情報である。「指示動作」の情報は、例えば、視聴者に「振って下さい」との情報を示して動作の指示をおこなうことで、視聴者に視聴者が操作する視聴覚端末２０（図１参照）を、振り方（運動）の詳細を問わずに振る動作を指示するように設けることができる。
【００６３】
あるいは、図３に示す動作指示情報１０１を構成する「指示動作」の情報は、例えばより定量的に、視聴者が操作する視聴覚端末２０（図１参照）を３次元空間中において運動させるべき運動の詳細な情報を指定して、具体的に指定した３軸６自由度の直交座標系を用いて示した３軸６自由度の直交座標系の各自由度における加速度及び角加速度の時系列毎の値の情報として動作を指定して指示をおこなうことができる。またあるいは、「指示動作」の情報では、視聴覚認証システム４０（図８参照）又は視聴覚端末２０が記録する視聴者が以前におこなった動作の情報を視聴者に示して動作の指示をおこなうことにより、視聴者に再度、視聴者が以前におこなった動作と同じ動作をおこなうように動作の指示をおこなうこともできる。
【００６４】
図３に示す動作指示情報１０１を構成する「認証基準」の情報では、まず、「指示動作」の情報により指示した動作に応じて視聴者がおこなう応答動作を、視聴覚の認証主体が定める認証基準に基づくことにより、どのような情報の取得の方法及び条件により検出して検出結果（１次情報）とするかが定められている。また、検出した検出結果（１次情報）をどのような情報処理をおこなうことにより視聴者の応答動作の情報として指標化した情報（２次情報）とするかが定められている。また、指標化された視聴者の応答動作の情報（２次情報）をどのような判断基準により認証して認証結果（３次情報）とするかということについての情報が視聴覚の認証主体により記録されている。視聴覚端末２０並びに視聴覚認証システム４０（図８参照）は、動作指示情報１０１を構成する「認証基準」の情報に基づき、視聴者の応答動作を評価して認証をおこなうように設けられている。
【００６５】
ここで、図１に戻って、動作指示情報１０１（図３参照）を用いた視聴者への具体的な動作の指示の方法について説明する。図１に示す動作指示手段２２は、動作指示情報１０１（図３参照）に基づき、視聴者に動作を指示するインターフェース装置である。
【００６６】
図１に示す動作指示手段２２は、情報通信機能を有する再生手段２１から動作指示情報１０１（図３参照）を伝達される。もっとも、動作指示手段２２が独自に情報通信機能を有するように設けることにより、再生手段２１を介することなく、動作指示手段２２が直接に情報通信をおこなうことができるように設けるものとして、動作指示手段２２が動作指示情報１０１（図３参照）を直接に視聴覚の認証主体が有する視聴覚認証システム４０（図８参照）から得ることができるように設けるものとしてもよい。
【００６７】
図１に示す動作指示手段２２は、動作指示情報１０１（図３参照）に基づき、例えば、再生手段２１が有する液晶表示画面（図６参照）の一部の領域に、「振って下さい」との視聴覚番組の番組提供主体が視聴者に視聴者が片手で把持して操作する視聴覚端末２０を振るように要求する動作の指示を端的に示した文字列により表示することができるように設けられている。もっとも、動作指示情報１０１の情報に基づき、さらに具体的に「縦に振って下さい」との文字列を表示するように設けるものとしてもよい。
【００６８】
また、図１に示す動作指示手段２２は、さらに複雑な動作の指示をおこなう場合には、再生手段２１が有する液晶表示画面（図６参照）の一部の領域に、アニメーション（不図示）を用いた視覚的な動作の見本を視聴者に示して動作を指示するように設けるものとしてもよい。動作指示手段２２により再生手段２１が有する液晶表示画面の一部の領域に表示されるアニメーションを用いた動作の見本は、例えば、３次元空間内において視聴覚端末２０を運動させるべき軌跡と速度の見本をアニメーションにより表示するものとしてもよい。このように構成すると、視聴者はおこなうべき複雑な応答動作を直感的に知ることができ、アニメーションに倣って応答動作をおこなえばよいから、視聴覚番組の視聴の妨げになりにくい。また、動作指示手段２２により視聴者にアニメーションを用いた動作の見本を示す際には、再生手段２１が有する空気伝導スピーカー（不図示）を用いて、視聴者に注意を促す通知音を例えば１秒間出力するように設けるものとしてもよい。
【００６９】
もっとも、図１に示す動作指示手段２２は、視聴者に動作の指示をおこなうことができればよいから、例えば、視聴者に所定の動作を指示する命令コードを伝達するために、所定の回数だけ点滅する発光点滅装置などの視覚的表示装置を有して動作の指示をおこなうものとしてもよい。あるいは、動作指示手段２２は、視聴者に言葉を用いて動作を指示するスピーカー装置などの聴覚的表示装置を有して動作の指示をおこなうものとしてもよい。あるいは、動作指示手段２２は、所定の動作を指示する命令コードを伝達するために所定の回数だけ振動する振動モータを用いた振動発生装置などの触覚的表示装置を有して動作の指示をおこなうものとしてもよい。もっとも、動作指示手段２２を用いて再生手段２１に動作の指示を表示する代わりに、視聴覚番組の出演者が視聴覚番組の中で暫時視聴覚番組の進行を中止して視聴者に動作の指示を呼びかけるものとしてもよい。このように構成すると、動作の指示を視聴覚番組の進行を停止しておこなうことができるので、動作の指示並びに視聴者による応答動作が視聴覚番組の進行と重畳することを防ぐことができる。
【００７０】
図１に示すモーションセンサ２３は、視聴者がおこなう応答動作を検出する検出装置である。視聴者は、動作指示手段２２による指示に従って、視聴者が視聴覚番組を正常に視聴していることを認証する視聴覚の認証主体に伝達するために応答動作をおこなう。本実施の形態のモーションセンサ２３は、視聴覚端末２０の内部に固定されて設けられた３軸６自由度加速度センサ（不図示）を有する。３軸６自由度加速度センサは、視聴覚端末２０の重心位置付近に固定されるように設けられている。視聴者は視聴覚端末２０を片手で把持して操作することができる。このため、３軸６自由度加速度センサは、視聴覚端末２０の３次元空間内における運動を検出することで、視聴者の応答動作を間接的に検出することができる。
【００７１】
もっとも、別の実施の形態では、図１に示すモーションセンサ２３が有する３軸６自由度加速度センサ（不図示）に代えて、３軸３自由度加速度センサを有するように設けることもできる。ここで、加速度センサが検出する３自由度は、前後、左右、上下方向の直交座標軸上の加速度を検出するように設けるものとしてもよいし、あるいは、ピッチ、ロール、ヨー方向の角加速度を検出するように設けるとしてもよい。加速度センサが検出する自由度を３つに抑えれば、加速度センサの構造をより単純化して設けることができる。
【００７２】
特に図１に示すモーションセンサ２３が有する３軸６自由度加速度センサ（不図示）による視聴者の応答動作の検出においても、携帯端末により視聴覚番組を視聴する視聴者への動作の指示は、「左右に振って下さい」、「上下に振って下さい」あるいは単純に「振って下さい」との動作の指示が多くなるので、視聴覚の認証主体が、視聴覚の認証主体が定める認証基準において、３軸６自由度加速度センサが視聴者の応答動作を検出することができる自由度のうちから視聴の認証の判断に用いる検出の自由度を左右方向、上下方向の２つの自由度のみに限定しても、十分に視聴の認証をおこなうことができる。したがって、加速度センサによる視聴者の応答動作の検出は、これらにさらに前後方向の自由度を含めた３つの直交座標軸上の自由度でも十分であるものといえる。
【００７３】
もっとも、より複雑な「８の字に振って下さい」との動作の指示に対する視聴者の応答動作の検出も３軸３自由度加速度センサによる検出によりおこなうことができる。視聴者による応答動作は、動作応答情報１０１（図３参照）により指示される動作と比較することができればよいから、図１に示すモーションセンサ２３が有する３軸６自由度加速度センサ（不図示）の場合のように、必ずしも６自由度（６チャンネル）で視聴者の応答動作を捉える必要はない。極端には、１自由度（１チャンネル）の加速度センサによる検出を検出結果（１次情報）として用いる場合にも、視聴者の応答動作を指示された動作と比較するように設けることができる。
【００７４】
本実施の形態において、視聴覚の認証主体は、視聴覚の認証主体が定める認証基準により、図１に示すモーションセンサ２３が有する３軸６自由度加速度センサ（不図示）が検出する視聴者の応答動作の検出を検出結果（１次情報）として抽出する条件を定めることができる。例えば、「左右に振って下さい」、「上下に振って下さい」の指示に対する視聴者の応答動作は、通常、視聴者の手首又は肘を中心にした回転運動となるので、モーションセンサ２３が有する３軸６自由度加速度センサが検出する視聴者の応答動作の検出のうち、左右方向、上下方向に加えてヨー方法の回転とピッチ方向の回転とを加えた４つの自由度（４チャンネル）の検出を検出結果として採用し、残る２つの自由度（２チャンネル）の情報は検出結果（１次情報）として採用しない（信号取得しない）ように設けるものとすれば、不要な信号取得及び情報処理をおこなうことなく、速やかに適切な信号化（情報化）をおこなうことができる。
【００７５】
あるいは、図１に示すモーションセンサ２３が有する３軸６自由度加速度センサ（不図示）は、視聴覚端末２０の本体内部から有線コードにより引き出されて設けられた視聴者が視聴覚端末２０の操作に用いるコントローラの内部に固定して設けるものとしてもよい。このように視聴覚端末の一部を本体から別体のコントローラとして構成すると、視聴覚端末２０の本体をデスクトップ・パソコンのように自由に動かし難いものとした場合にも、モーションセンサ２３が有する３軸６自由度加速度センサを介して視聴者の応答動作を多自由度の運動の情報として好適に信号化（情報化）することができる。
【００７６】
図１に示すモーションセンサ２３が有する３軸６自由度加速度センサ（不図示）は、加速度と角加速度を３次元空間における６つの自由度（前後、左右、上下方向の加速度並びにピッチ、ロール、ヨー方向の角加速度）に分解して検出することができるように設けられている。３軸６自由度加速度センサは各自由度の検出を随時出力する。３軸６自由度加速度センサは、ＭＥＭＳ（Ｍｉｃｒｏ‐Ｅｌｅｃｔｒｏ‐Ｍｅｃｈａｎｉｃａｌ‐Ｓｙｓｔｅｍｓ）技術を用いて小型に設けられている。３軸６自由度加速度センサは、好ましくは、複数の静電容量型の加速度検出回路を一体に樹脂モールドして一の半導体パッケージとして得た加速度兼角加速度センサである。
【００７７】
あるいは、別個にパッケージされた複数の加速度センサにより加速度と角加速度とを別個に検出するものとしてもよいし、加速度又は角加速度のいずれか一方のみを検出するものとしてもよい。あるいは、より精密に角加速度を検出し得るミラー又は光ファイバーを用いたレーザー光の光路差を測定する光学式の角加速度計を用いるものとしてもよい。あるいは、ＭＥＭＳ技術を用いることなく、より安価な機械式の加速度計を用いるものとしてもよい。
【００７８】
また、図１に示すモーションセンサ２３は、３軸６自由度加速度センサ（不図示）の他に視聴覚端末２０に固定して設けられたカメラ（不図示）を補助的に有する。モーションセンサ２３が有するカメラにより視聴者の応答動作を撮影することで、視聴者の応答動作を検出することができる。カメラにより撮影した視聴者がおこなった応答動作の映像を画像解析することで、視聴者の応答動作を検出することができる。モーションセンサ２３が有する検出装置は、視聴者の応答動作（モーション）を検出することができればよい。このため、モーションセンサ２３が有する検出装置は、カメラの他にも、例えば、光学式変位計又は超音波式変位計などの公知の変位計であってもよい。また、モーションセンサ２３はカメラ（不図示）を有することなく、３軸６自由度加速度センサ（不図示）のみにより視聴者の応答動作を検出するように設けるものとしてもよいし、あるいは、モーションセンサ２３はカメラ（不図示）のみを有するように設けるものとしてもよい。
【００７９】
視聴者の応答動作を検出する方法として、（３軸６自由度）加速度センサを用いるときは、図１に示す視聴覚端末２０に例えばゲーム用として備えられる加速度センサを利用することができる利点がある。また、視聴者の応答動作を検出する方法として、カメラを用いるときは、視聴覚端末２０に備えられる写真撮影用のカメラを利用して、動作検出用のソフトを追加するように設けることで本実施の形態の視聴覚端末２０を実現することができる利点がある。
【００８０】
また、図１に示す送信手段２９は、視聴覚端末２０が出力する情報を視聴覚の認証主体が有する視聴覚認証システム４０（図８参照）に送信するように設けられている。具体的には、送信手段２９は公衆無線ＬＡＮ（不図示）に接続して情報通信をおこなう情報通信機（無線ＬＡＮ通信機（ルーター））（不図示）である。
【００８１】
もっとも、送信手段２９は視聴覚の認証主体が有する視聴覚認証システム４０（図８参照）と情報通信をおこなうことができればよいから、送信手段２９はＷＡＮに接続されたＬＡＮに有線ケーブルを用いて接続して視聴覚認証システム４０（図８参照）と情報通信をおこなうものとしてもよい。あるいは、送信手段２９は直接ＷＡＮに無線又は有線で接続して視聴覚認証システム４０（図８参照）と情報通信をおこなうものとしてもよい。あるいは、送信手段２９は視聴覚認証システム４０（図８参照）と同じＬＡＮに無線又は有線で接続して視聴覚認証システム４０（図８参照）と情報通信をおこなうものとしてもよい。あるいは、送信手段２９は直接聴覚認証システム４０（図８参照）と無線又は有線で接続して情報通信をおこなうものとしてもよい。あるいは、送信手段２９は携帯電話用の電波を用いて情報通信をおこなうものとしてもよい。
【００８２】
なお、送信手段２９による情報通信の方式は、ＨＴＴＰ（ＨｙｐｅｒＴｅｘｔ‐Ｔｒａｎｓｆｅｒ‐Ｐｒｏｔｏｃｏｌ）によるものとして設けられているが、ＳＳＬ（Ｓｅｃｕｒｅ‐Ｓｏｃｋｅｔｓ‐Ｌａｙｅｒ）により暗号化をおこなうものとしてもよい。あるいは、ＳＭＴＰ（Ｓｉｍｐｌｅ‐Ｍａｉｌ‐Ｔｒａｎｓｆｅｒ‐Ｐｒｏｔｏｃｏｌ）により電子メールを用いて通信をおこなうものとしてもよい。送信手段２９による情報通信の方式は、任意の規格の通信方式によりおこなうように設けることができる。
【００８３】
また、図１に示す信号化手段２４は、モーションセンサ２３により検出した検出結果（１次情報）から得られる視聴者の応答動作に関する情報（１次情報、２次情報、３次情報）を送信手段２９で送信可能な信号に信号化する情報処理装置である。信号化手段２４は、モーションセンサ２３による検出から視聴覚の認証主体により定められた認証基準に基づき、有用な信号（情報）を抽出した結果に得られる検出結果（１次情報）と、検出結果（１次情報）から得られる視聴者の応答動作に関する情報（１次情報、２次情報、３次情報）とを作成して送信手段２９で送信可能な信号に信号化して送信手段２９に受け渡す。
【００８４】
例えば、まず、図１に示す信号化手段２４は、視聴覚の認証主体が定める認証基準に基づき、モーションセンサ２３による視聴者の応答動作の検出を視聴の認証に有用な検出信号（１次情報）として信号化する。続いて、信号化手段２４は、視聴覚の認証主体が定める認証基準に基づき、視聴者の応答動作に関する情報を指標化することで指標値である２次情報を作成する。また、信号化手段２４は、指標値である２次情報について認証基準に基づき認証判断をおこなうことで、認証結果である３次情報を作成する。最後に、信号化手段２４は、信号化手段２４が有する全ての情報（１次情報、２次情報、３次情報）を送信手段２９により送信することができるように信号化して送信手段２９に受け渡す。
【００８５】
具体的に例えば、図１に示す信号化手段２４は、モーションセンサ２３が有する３軸６自由度加速度センサ（不図示）による視聴者の応答動作の検出を認証基準に基づき必要な信号（情報）の取得（取捨選択）をおこなうことにより信号化して、検出結果（１次情報）を作成することができる。信号化手段２４は、動作指示手段２２が視聴者に動作を指示した後の適切な時間（例えば、３分間）において、３軸６自由度加速度センサ（不図示）による検出からアナログ出力電圧信号情報を取得（信号化）する。この際に、アナログ出力電圧信号情報を取得する時間は、視聴者の応答動作を待機する時間に他ならないため、信号化手段２４は、認証基準に基づいて、視聴者に指示する動作に応じて、適切に視聴者の応答動作を信号化することができる。認証基準は、前述の動作指示情報１０１（図３参照）を構成する「認証基準」の情報として視聴覚端末２０に伝達されている。
【００８６】
また、図１に示す信号化手段２４は、モーションセンサ２３が備える３軸６自由度加速度センサ（不図示）による視聴者の応答動作の検出からアナログ出力電圧信号を作成する際に、信号化に際して、帯域フィルター（不図示）などを用いることで、あるいは、情報取得のサンプリング・レートを変更することで、情報の取捨選択をおこなうことができる。３軸６自由度加速度センサ（不図示）による検出に含まれるノイズと視聴覚の認証主体が視聴者による有効な応答動作であるものと認める信号との閾値は、信号化手段２４により、視聴覚の認証主体が定める認証基準に基づいて、視聴者に指示する動作に応じて適切に定めることができる。この際、ノイズ信号は信号フィルターの閾値に基づき、視聴者の応答動作とは区別されて除外される。
【００８７】
続いて、信号化手段２４が有するアナログ／デジタル変換回路（不図示）を用いて適切なサンプリング・レートによりアナログ信号をデジタル信号に変換する。この際のサンプリング・レートは視聴者がおこなった応答動作を十分に捉えられるように、信号化手段２４が、認証基準に基づいて、視聴者に指示する動作に応じて、適切に定めるように設けられている。
【００８８】
このようにして得られる検出結果（１次情報）は、信号化手段２４により、視聴覚の認証主体が定める認証基準に基づくとともに、視聴者に指示する動作に応じて、適切な条件において信号化される。信号化手段２４により信号化された検出結果（１次情報）は、送信手段２９により視聴覚の認証主体が有する視聴覚認証システム４０（図８参照）に送信される。
【００８９】
なお、信号化手段２４がおこなう信号化には情報通信のための信号化を含むように設けることができる。視聴覚の認証主体は、送信手段２９によりおこなわれる検出結果（１次情報）の送信を受信することにより、視聴者の応答動作の情報を把握することができる。また、信号化手段２４が信号化した検出結果（１次情報）に基づき、視聴覚認証システム４０（図８参照）を用いて、検出結果（１次情報）をさらに認証基準に照らして順次加工して認証をおこなうことで、視聴者が視聴覚番組を視聴したことについての認証をおこなうことができる。
【００９０】
また、図１に示す信号化手段２４は、視聴覚の認証主体が定める認証基準に照らして、検出結果（１次情報）を例えば数値解析を用いて加工することで、視聴者の応答動作に関する情報を、視聴覚の認証主体が定める認証基準に基づき指標化した情報である２次情報として作成することができる。例えば、視聴覚の認証主体が定める認証基準として「応答動作と指示した動作との軌跡の差異が最大で７ｍｍ以下であること」が定められている場合には、信号化手段２４は、前述の通り適切に信号化された検出結果（１次情報）を数値解析を用いて加工することにより、検出結果（１次情報）の派生情報である「応答動作と指示した動作との軌跡の差異の最大値」の情報（２次情報）を作成することができる。
【００９１】
具体的には、まず、図１に示す信号化手段２４が有する３軸６自由度加速度センサ（不図示）を用いて検出された検出結果（時系列に取得された視聴覚端末２０の運動の加速度の情報（デジタル信号情報））（１次情報）について数値解析をおこなうことにより、視聴者の応答動作（視聴覚端末２０の運動の軌跡（直交座標軸上））の情報を得る場合には、検出結果（３軸６自由度加速度センサが検出する直交座標系の３軸上の自由度における時系列に取得された視聴覚端末２０の運動の加速度の情報（デジタル信号情報））（１次情報）を時間で１階積分するように数値解析をおこなうことにより、視聴者の応答動作の速度（視聴覚端末２０の運動の速度）の情報を得ることができる。また、同じく検出結果（時系列に取得された視聴覚端末２０の運動の加速度の情報（デジタル信号情報））（１次情報）を時間で２階積分するように数値解析をおこなうことにより、視聴者の応答動作の軌跡（直交座標軸上）（視聴覚端末２０の運動の軌跡又は変位の情報（直交座標軸上））の情報を得ることができる。
【００９２】
また同様に、図１に示す信号化手段２４が有する３軸６自由度加速度センサ（不図示）を用いて検出された検出結果（時系列に取得された視聴覚端末２０の運動の角加速度の情報（デジタル信号情報））（１次情報）について数値解析をおこなうことにより、視聴者の応答動作（視聴覚端末２０の運動の軌跡（直交座標軸周り））の情報を得る場合には、検出結果（３軸６自由度加速度センサ（不図示）が検出する直交座標系の３軸周りの自由度における視聴覚端末２０の運動の時系列に取得された角加速度の情報（デジタル信号情報））（１次情報）を時間で１階積分するように数値解析をおこなうことにより、視聴者の応答動作（視聴覚端末２０の運動）の角速度の情報を得ることができる。また、同じく検出結果（時系列に取得された視聴覚端末２０の運動の角加速度の情報（デジタル信号情報））（１次情報）を時間で２階積分するように数値解析をおこなうことにより、視聴者の応答動作の軌跡（直交座標軸周り）（視聴覚端末２０の運動の軌跡又は回転角度（直交座標軸周り））の情報を得ることができる。
【００９３】
このように、図１に示す信号化手段２４は、モーションセンサ２３が有する３軸６自由度加速度センサ（不図示）が検出する視聴者の応答動作（視聴覚端末２０の運動）の加速度の情報（デジタル信号情報）（１次情報）を数値解析をおこなうことにより任意の次元の運動の情報に加工することができることにより、視聴者の応答動作（視聴覚端末２０の運動）の情報を視聴覚の認証主体が定める認証基準に基づく任意の次元において、デジタル信号情報により定量的に示される運動の情報として信号化することができる。
【００９４】
また、図１に示す信号化手段２４は、これらの数値解析により得られた視聴者の応答動作（視聴覚端末２０の運動）の軌跡と指示した動作の軌跡との差異の最大値（２次情報）を定量的に算出することができるように設けられている。視聴者の応答動作（視聴覚端末２０の運動）を運動の軌跡の次元（単位：ｍｍ）において比較するように設けることは、視聴者の応答動作（視聴覚端末２０の運動）を加速度（単位：ｍ／ｓ＾２）、角加速度（単位：ｒａｄ／ｓ＾２）、速度（単位：ｍ／ｓ）、角速度（単位：ｒａｄ／ｓ）の各次元において比較する場合に比べて、視聴覚の認証主体が直観的に運動の差異（軌跡の差異）を把握して比較することができる比較方法であるものということができるから、視聴者の応答動作を好適に指標化して指標値として示すことができる比較方法であるものといえる。
【００９５】
また、図１に示す信号化手段２４が、視聴者の応答動作（視聴覚端末２０の運動）を軌跡の次元において情報化することは、後に詳述するモーションセンサ２３が有するカメラ（不図示）により視聴者の応答動作を検出する場合の視聴者の応答動作の情報との情報の次元の統一を図るうえにおいても、好適であるものといえる（モーションセンサ２３が有するカメラ（不図示）により視聴者の応答動作を検出する場合には、視聴者の応答動作は、まず、軌跡の次元において検出される）。このため、モーションセンサ２３が有する３軸６自由度加速度センサ（不図示）により検出した視聴者の応答動作（視聴覚端末２０の運動）の加速度の情報を数値解析を用いることにより軌跡の次元（単位：ｍｍ）の情報として得ることは、視聴者の応答動作を指標化する方法として極めて有益な方法であるものといえる。もっとも、このような数値解析をおこなうことなく、モーションセンサ２３が有する３軸６自由度加速度センサ（不図示）が検出した視聴者の応答動作（視聴覚端末２０の運動）を、加速度、角加速度、速度、角速度の各次元において直接比較するように設けるものとしてもよい。
【００９６】
図１に示す信号化手段２４は、解析した視聴者の応答動作（視聴覚端末２０の運動）の軌跡と動作指示手段２２が指示した動作の軌跡との差異を比較した結果、解析した視聴者による応答動作（視聴覚端末２０の運動）の軌跡と動作指示手段２２が指示した動作の軌跡との差異の最大値を、例えば、５ｍｍであるものと、認証基準に基づく指標値（２次情報）として算出する。また、信号化手段２４は作成した認証基準に基づく指標値（２次情報）を送信手段２９で送信可能な信号に信号化して送信手段２９に受け渡す。また、送信手段２９は認証基準に基づく指標値（２次情報）を視聴覚の認証主体に送信する。このため、視聴覚の認証主体は視聴者の応答動作の情報を認証基準に基づき指標化した指標値（２次情報）を把握することができる。また、視聴覚の認証主体は、視聴者の応答動作を認証基準に基づき指標化した指標値（２次情報）に基づき、視聴覚認証システム４０（図８参照）を用いて認証基準に基づく認証判断をおこなうことで、視聴者が視聴覚番組を視聴したことについての認証をおこなうことができる。
【００９７】
また、図１に示す信号化手段２４は、認証基準に基づき指標化した指標値（例えば、「視聴者の応答動作の軌跡と指示した動作の軌跡との差異の最大値は５ｍｍである」とする情報）（２次情報）を視聴覚の認証主体が定める認証基準に照らして判断することにより独自に認証判断をおこなうことができるように設けられている。信号化手段２４がおこなった認証判断の結果（３次情報）は、例えば、「信号化手段２４は視聴者が応答動作を正しくおこなったものと認める」ものとする認証情報（３次情報）として送信手段２９が送信可能なように信号化手段２４により信号化することができるように設けられている。なお、視聴覚端末２０が出力する認証情報である３次情報についても、送信手段２９により視聴覚の認証主体が有する視聴覚認証システム４０（図８参照）に送信されるように設けられている。
【００９８】
以上の図１に示す信号化手段２４による信号化においては、例えば、まず、モーションセンサ２３により検出した視聴者の応答動作の信号（情報）から、認証基準に基づいて信号（情報）の取捨選択をおこなうことにより視聴の認証に有用な検出結果（１次情報）を作成して信号化した。続いて、信号化手段２４は、検出結果（１次情報）の情報から視聴覚の認証主体が定める認証基準に基づいて視聴者の応答動作の指標化をおこなうことにより、視聴者の応答動作を指標化した指標値である２次情報を作成した。さらに、信号化手段２４は、視聴者の応答動作を指標化した指標値である２次情報から認証基準に基づいて認証判断をおこなうことにより認証結果である３次情報を作成した。このように、信号化手段２４は、モーションセンサ２３による視聴者の応答動作の検出の信号（情報）から派生的に視聴覚の認証主体が定める認証基準に基づく情報の加工を重ねることにより、視聴者による視聴覚番組の視聴を認証する情報を作成して信号化することができる。
【００９９】
なお、図１に示すモーションセンサ２３が有する３軸６自由度加速度センサ（不図示）の検出から得た検出結果であるアナログ出力電圧信号（１次情報）をオペレーショナル・アンプリファイア（Ｏｐｅｒａｔｉｏｎａｌ‐Ａｍｐｌｉｆｉｅｒ）を用いて微積分演算をおこなうことにより、アナログ出力電圧信号情報のまま、視聴者の応答動作（視聴覚端末２０の運動）の解析をおこなうように設けるものとしてもよい。また、オペレーショナル・アンプリファイアにより解析したアナログ出力電圧信号情報（２次情報）をアナログ／デジタル変換回路（不図示）を用いてデジタル出力電圧信号情報に変換するように設けるものとしてもよい。
【０１００】
また、図１に示すモーションセンサ２３は、３軸６自由度加速度センサ（不図示）の他にも、補助的に視聴覚端末２０に固定されて設けられたカメラ（不図示）を有している。このため、信号化手段２４は、視聴者の応答動作をモーションセンサ２３が有するカメラにより検出するとともに、モーションセンサ２３が有するカメラにより撮影された映像を画像解析することで、視聴者の応答動作に関する情報を得ることができるように設けられている。
【０１０１】
具体的には、まず、図１に示す信号化手段２４は、視聴者の応答動作を検出するための特徴点（例えば、視聴者の掌の位置）を視聴者の応答動作を検出するカメラ（不図示）により撮影された映像（検出）の中に定めるように設けられている。続いて、一連の映像を構成するそれぞれの画像の中に特徴点を連続的に抽出するとともに、抽出した特徴点を時系列において追跡して得られる情報を検出結果（一次情報）として取得するように設けられている。このように、信号化手段２４は、モーションセンサ２３が有するカメラにより撮影された視聴者の応答動作を撮影した映像（検出）から、視聴者がおこなった応答動作の情報（例えば、視聴者が掌を振る運動）をカメラに対する視聴者の相対的な運動の情報（検出結果）（１次情報）（例えば、視聴者の掌の運動の軌跡の情報）として取得することができるように設けられている。
【０１０２】
あるいは別の場合には、図１に示す信号化手段２４は、特徴点をカメラ（不図示）により撮影される視聴者以外の、例えば風景の映像（検出）の中に定めるように設けることもできる。この場合には、検出した特徴点を時系列で追跡することにより、３次元空間（風景）に対するカメラの運動の軌跡の情報を検出結果（１次情報）として取得することができる。あるいは、３次元空間（風景）に対するカメラの運動の軌跡の情報を検出結果（１次情報）として確定することなく、さらに任意の原点に対して座標変換をおこなうことにより、カメラが固定された視聴覚端末２０を片手で把持して操作する視聴者がおこなう応答動作（例えば、肘を中心とした視聴者の下腕部の回転角度（腕の振り角度））の情報を検出結果（１時情報）として取得するように設けるものとしてもよい。
【０１０３】
またさらに別の場合には、図１に示す信号化手段２４は、カメラ（不図示）により撮影された風景の映像（検出）の中に２点の目印とする特徴点を定めることにより、視聴者がおこなう応答動作の軌跡の情報をより立体的な運動情報（検出結果）（１次情報）として取得するように設けることもできる。例えば、２点の特徴点が一連の風景を撮影した映像（検出）を構成するそれぞれの画像の中で一定の距離間隔を保ったまま、時系列において、映像の中で平行運動並びに回転運動をするものと解析がなされた場合を例に挙げる。この場合には、カメラの光軸方向に対して垂直の撮影平面内において、カメラが固定して設けられた視聴覚端末２０を把持して操作する視聴者の腕が、撮影された風景（３次元空間）に対して平行運動並びに回転運動をおこなっているものと捉えて、視聴者の応答動作の軌跡の情報（検出結果）（１次情報）を取得することができる。
【０１０４】
また例えば、同じく２点の特徴点が一連の風景の映像（検出）を構成するそれぞれの画像の中で接近運動あるいは離間運動をするものと解析がなされた場合を例に挙げる。この場合には、図１に示す信号化手段２４は、カメラ（不図示）の光軸方向に対して、カメラ並びにカメラが固定して設けられた視聴覚端末２０を把持して操作する視聴者の腕が前進運動あるいは後退運動をおこなっているものと捉えて、視聴者の応答動作の軌跡の情報（検出結果）（１次情報）を取得することができる。
【０１０５】
もっとも、図１に示す信号化手段２４は、視聴者がおこなう応答動作を、カメラ（不図示）に対する相対運動として検出結果（１次情報）を取得することができればよいから、３次元空間中に完全に固定された視聴覚端末２０に固定して設けられたカメラ（例えば、デスクトップ・パソコンに固定されて設けられたカメラ）により視聴者がおこなう応答動作を撮影した映像（検出）を用いて画像解析をおこなうことにより、視聴者の応答動作を検出するものとしてもよい。この場合には、固定されたカメラは視聴覚端末の一部であるものと見ることができ、視聴者による応答動作は、例えば視聴者の手を振る動作である。
【０１０６】
なお、図１に示す視聴覚端末２０に固定して設けられたカメラ（不図示）により撮影された映像（検出）を画像解析することにより、視聴者の応答動作（視聴覚端末２０の運動）の情報の解析をおこなう場合には、前述の３軸６自由度加速度センサ（不図示）の場合と同様に、数値解析を用いることにより、カメラにより撮影された映像（検出）におけるフレーム・レート（撮影速度）により規定される一定の時間の間隔において連続して撮影された画像と画像との間における特徴点の変位（直交座標軸上）又は回転角度（直交座標軸周り）の情報（デジタル信号情報）（１次情報）を時間で１階微分するように数値解析をおこなうことにより、視聴者の応答動作（視聴覚端末２０の運動）の速度又は角速度の情報を、同じく特徴点の変位（直交座標軸上）又は回転角度（直交座標軸周り）の情報（デジタル信号情報）（１次情報）を時間で２階微分するように数値解析をおこなうことにより、視聴者の応答動作（視聴覚端末２０の運動）の加速度又は角加速速度の情報を得ることができる。
【０１０７】
続いて図４を参照して信号化手段２４（図１参照）が作成する応答動作情報１０２について説明する。本実施の形態においては、信号化手段２４（図１参照）により、モーションセンサ２３（図１参照）により検出した検出結果から得られる視聴者の応答動作に関する情報は、例えば、動作応答情報１０２として作成されるように設けられている。動作応答情報１０２は、前述の動作指示情報１０１（図３参照）の情報を構成情報として含むように設けられている。このため、動作指示情報１０１を構成する「番組ＩＤ」、「指示ＩＤ」、「視聴者ＩＤ」、「送信時刻」、「指示時刻」、「指示動作」、「認証基準」の各情報が動作応答情報１０２を構成する情報として含まれるように設けられている。
【０１０８】
図４に示す動作応答情報１０２を構成する「検出時刻」には、視聴覚端末２０（図１参照）が備えるクロック２８（図１参照）が出力するモーションセンサ２３（図１参照）が視聴者の応答動作を検出した時刻が記録されるように設けられている。後に詳述する視聴覚端末２０が制御処理をおこなう時刻を出力するクロック２８が出力する「検出時刻」は、前述の動作指示情報１０１（図３参照）を構成する同じくクロック２８が出力する動作指示手段２２（図１参照）が視聴者に動作を指示した「指示時刻」とともに、視聴者が応答に要した時間（２次情報）を画定する時刻として用いることができる。
【０１０９】
また、図４に示す動作応答情報１０２を構成する「応答動作」の情報には、モーションセンサ２３（図１参照）が有する３軸６自由度加速度センサ（不図示）により検出されて信号化手段２４（図１参照）により信号化された検出結果（１次情報）がデジタル信号情報として記録されるように設けられている。また、「応答動作」の情報には、さらにモーションセンサ２３（図１参照）が補助的に有するカメラ（不図示）により検出されて信号化手段２４（図１参照）による画像処理により抽出された特徴点の運動の情報（検出結果）（１次情報）が記録されるように設けられている。なお、図４に図示する動作応答情報１０２を構成する「指示時刻」の情報は、動作指示情報１０１（図３参照）を構成する情報であるが、動作応答情報１０２を構成する情報を判りやすく図示するために動作指示情報１０１から書き出して図示しているものである。もっとも、動作応答情報１０２は他の情報の構成により設けるものとしてもよい。
【０１１０】
ここで図２に戻って、信号化手段２４の詳細な構成について説明する。図１及び図２に示す信号化手段２４は、具体的な認証情報（３次情報）を出力する動作の認証部２４ａと応答の認証部２４ｂと時間の認証部２４ｃとを有するように設けられている。本実施の形態においては、個別具体的な視聴覚の認証主体が定める認証基準に基づく認証判断（３次情報）の出力は信号化手段２４が有するこれら専用の認証部においておこなわれるように設けられている。また、これら専用の認証部から出力される認証情報（３次情報）は、送信手段２９（図１参照）により視聴覚の認証主体が有する視聴覚認証システム４０（図８参照）に送信されて、後に詳述するように、視聴覚認証システム４０が備える認証記録手段５３（図８参照）により記録記録１０７（図５参照）を構成する情報として視聴覚の認証主体により記録されるように設けられている。
【０１１１】
図２に示す信号化手段２４は、モーションセンサ２３（図１参照）が検出した視聴者の応答動作と動作指示手段２２（図１参照）により視聴者に指示した動作とが視聴覚の認証主体が定める所定の基準に照らして一致することを認証する動作の認証部２４ａを有する。本実施の形態においては、信号化手段２４が有する動作の認証部２４ａは、モーションセンサ２３が有する３軸６自由度加速度センサ（不図示）が検出した視聴者の応答動作と動作指示手段２２が視聴者に指示した動作とが視聴覚の認証主体が定める所定の基準（例えば、「加速度の差異が最大で１．２Ｇ以下の場合に動作が一致するものと認める」と定める認証基準）に照らして一致するものと認証する場合に、動作認証（視聴覚端末）１０３ａ（図５参照）を出力するように設けられている。
【０１１２】
まず、図２に示す信号化手段２４は、モーションセンサ２３（図１参照）が検出した視聴者の応答動作を認証基準に従って、検出結果（１次情報）として取得するように設けられている。また、信号化手段２４が有する動作の認証部２４ａは、動作指示情報１０１（図３参照）を構成する「認証基準」の情報を参照することにより、視聴覚の認証主体が定める認証基準に従って、視聴者の応答動作の情報を指標化した２次情報を作成するように設けられている。具体的には、まず、動作の認証部２４ａは、視聴者の応答動作（視聴覚端末２０（図１参照）の運動）を、検出結果（１次情報）に基づき、直交座標系の３次元空間における時系列に取得された加速度の情報として作成する。一方、動作指示手段２２（図１参照）により指示された動作の情報は、視聴覚の認証主体により、動作指示情報１０１（図３参照）を構成する「指示動作」に、同じく、時系列に示される加速度の情報として記録されている。
【０１１３】
図２に示す動作の認証部２４ａは、視聴者の応答動作（視聴覚端末２０（図１参照）の運動）を示す時系列に取得された加速度の情報と「指示動作」の運動を示す時系列に示された加速度の情報との差異の最大値（２次情報）を算出するように設けられている。動作の認証部２４ａは、認証基準に従い比較した加速度の差異が時系列を通じて、例えば、最大で０．６Ｇの差異（２次情報）を有するものと具体的に算出することができる。また、動作の認証部２４ａは、視聴者の応答動作を指標化した２次情報を認証基準（例えば、「時系列を通じて相互に比較した加速度の差異が最大で１．２Ｇ以下であること」と定める認証基準）に基づいて認証判断をおこなうことにより、認証をおこなうことができる。なお、動作の認証部２４ａが出力する認証結果（３次情報）の情報の内容は、例えば、「動作の認証部２４ａは、視聴者の応答動作が指示した動作と一致するものと認める」とするものである。
【０１１４】
図２に示す動作の認証部２４ａが、視聴者がおこなった応答動作と動作指示手段２２（図１参照）により視聴者に指示した動作が一致するものと認めた場合には、動作の認証部２４ａは、動作認証（視聴覚端末）１０３ａ（図５参照）（３次情報）を出力するように設けられている。なお、動作の認証部２４ａが動作認証（視聴覚端末）１０３ａ（３次情報）を出力した場合には、動作の認証部２４ａによる動作の認証がなされたことを視聴者に通知するために、動作の認証部２４ａが再生手段２１（図１参照）を用いて映像と音声による通知（例えば、「認証ＯＫ」（図６参照）との文字と通知音を視聴者に提示する）をおこなうように設けられている。このため、視聴者は動作の認証部２４ａによる動作の認証を認識して応答動作を終了し、再び視聴覚番組の視聴に集中することができる。
【０１１５】
また、図２に示す信号化手段２４は、動作の認証部２４ａの他に、応答の認証部２４ｂを有する。応答の認証部２４ｂは、動作指示情報１０１（図３参照）の総数とモーションセンサ２３が有する３軸６自由度加速度センサ（不図示）により検出した視聴者の応答動作の検出の総数とを比較する動作応答率（２次情報）が視聴覚の認証主体が定める所定の基準（例えば、「動作応答率が８０％以上の場合に認証をおこなう」と定める認証基準）を満たす場合に、動作応答率に基づく視聴認証（視聴覚端末）１０５ａ（図５参照）（３次情報）を出力するように設けられている。
【０１１６】
図２に示す応答の認証部２４ｂは、前述の動作の認証部２４ａと同様に、動作指示情報１０１（図３参照）を構成する「認証基準」に基づき、モーションセンサ２３（図１参照）が有する３軸６自由度加速度センサ（不図示）による視聴者の応答動作の検出の総数（検出結果）（１次情報）の情報を取得するように設けられている。また、応答の認証部２４ｂは、動作指示情報１０１を構成する「指示ＩＤ」の情報に視聴覚の認証主体により記録される動作指示情報１０１の総数を参照するように設けられている。具体的には、応答の認証部２４ｂは、動作指示情報１０１を構成する情報である「指示ＩＤ」の情報において、例えば「１／２０」というように、「（送信する動作指示情報１０１の識別番号（１から始まる連続昇順番号））／（送信する動作指示情報１０１の総数（＝２０個））」を示す情報が視聴覚の認証主体により与えられる動作指示情報１０１の総数を参照するように設けられている。このため、応答の認証部２４ｂは、認証基準に基づき、モーションセンサ２３による視聴者の応答動作の検出の総数と、動作指示情報１０１の総数とを比較する動作応答率を、視聴者の応答動作を指標化した２次情報として作成することができる。
【０１１７】
例えば、図２に示す応答の認証部２４ｂがおこなう認証判断において、視聴覚端末２０（図１参照）が備えるモーションセンサ２３（図１参照）が有する３軸６自由度加速度センサ（不図示）が視聴者の応答動作を検出することにより作成された動作応答情報１０２（図４参照）の総数（モーションセンサ２３による応答動作の検出数）が一の視聴覚番組を通じて１９個であったとする。この場合には、応答の認証部２４ｂは、動作応答率（２次情報）を１９個（モーションセンサ２３による応答動作の検出数）／２０個（動作指示情報１０１の総数）により、９５％であるものと算出することができる。また例えば、動作指示情報１０１（図３参照）を構成する「認証基準」の情報において、「動作応答率は８０％以上の場合に視聴の認証をおこなう」ものと定める認証基準が視聴覚の認証主体により与えられていたとすれば、応答の認証部２４ｂは、視聴者による応答が動作応答率（２次情報）に基づく視聴の認証の条件を満たしていることを認証することができる。
【０１１８】
図２に示す応答の認証部２４ｂが応答動作率（２次情報）に基づいて認証をおこなう場合には、応答の認証部２４ｂは、動作応答率に基づく視聴認証（視聴覚端末）１０５ａ（図５参照）（３次情報）を出力するように設けられている。動作応答率に基づく視聴認証（視聴覚端末）１０５ａ（３次情報）が出力された場合には、応答の認証部２４ｂによる応答の認証がなされたことを視聴者に通知するために、応答の認証部２４ｂが再生手段２１（図１参照）を用いて映像と音声による通知（例えば、「認証ＯＫ」（図６参照）との文字と通知音を視聴者に提示する）をおこなうように設けられている。このため、視聴者は応答の認証部２４ｂによる視聴の認証を認識して応答動作を終了し、視聴覚番組の視聴に集中することができる。
【０１１９】
また、図２に示す信号化手段２４は、動作の認証部２４ａ、応答の認証部２４ｂの他に、時間の認証部２４ｃを有する。ここで、視聴覚端末２０（図１参照）は、視聴覚端末２０が制御処理をおこなう時刻を出力するクロック２８（図１参照）を備えるように設けられている。クロック２８は、視聴覚端末２０が制御処理をおこなう全ての時刻を出力することができるように設けられている。信号化手段２４が有する時間の認証部２４ｃは、クロック２８が出力するモーションセンサ２３（図１参照）により視聴者の応答動作を検出した時刻が、クロック２８が出力する動作指示手段２２（図１参照）により視聴者に動作を指示した時刻から視聴覚の認証主体が定める所定の時間の範囲内（例えば、認証基準により定められる３分間以内）である場合に、視聴者が応答に要した時間（２次情報）が適正であるものと認める視聴者が応答に要した時間に基づく時間認証（視聴覚端末）１０４（図５参照）（３次情報）を出力する。
【０１２０】
図２に示す時間の認証部２４ｃによる認証判断において、クロック２８（図１参照）が出力するモーションセンサ２３（図１参照）が視聴者の応答動作を検出した時刻は動作応答情報１０２（図４参照）を構成する「検出時刻」として記録されている。また、同じくクロック２８が出力する動作指示手段２２（図１参照）が視聴者に動作を指示した時刻は、動作指示情報１０１（図３参照）を構成する「指示時刻」として記録されている。時間の認証部２４ｃは、モーションセンサ２３による視聴者の応答動作の検出に基づき、モーションセンサ２３による視聴者の応答動作の検出を認証基準に基づいて検出結果（応答動作情報１０２を構成する「応答動作」）（１次情報）として取得する。また、クロック２８が出力する「検出時刻」の情報を構成情報として加えた動作応答情報１０２を作成する。また、動作応答情報１０２を構成する情報には、動作指示情報１０１が記録されている。このため、時間の認証部２４ｃは、視聴覚の認証主体が定める認証基準に基づき、「指示時刻」から「検出時刻」までの視聴者が応答に要した時間（例えば、１分間であったものとする）を視聴者の応答動作を指標化した情報である２次情報として作成する。
【０１２１】
また、図２に示す時間の認証部２４ｃは、視聴者の応答動作を指標化した２次情報を「認証基準」の情報に照らして評価をおこなう。「認証基準」の情報は、動作指示情報１０１（図３参照）を構成する「認証基準」の情報として視聴覚の認証主体により与えられている。時間の認証部２４ｃは、視聴者が応答に要した時間（２次情報）が「認証基準」に基づく所定の時間の範囲内（例えば、認証基準が「視聴者が応答に要した時間は３分間以内を適正であるものと認める」と定める場合における３分間以内）である場合に、視聴者が応答に要した時間（２次情報）が適正であるものと認める。また、時間の認証部２４ｃが、視聴者が応答に要した時間が適正であるものと認める場合に、視聴者が応答に要した時間に基づく時間認証（視聴覚端末）１０４ａ（図５参照）（３次情報）を出力する。時間の認証部２４ｃにより視聴者が応答に要した時間に基づく時間認証（視聴覚端末）１０４ａ（３次情報）が出力された場合には、時間の認証部２４ｃによる認証がなされたことを視聴者に通知するために、時間の認証部２４ｃが再生手段２１（図１参照）を用いて映像と音声による通知（例えば、「認証ＯＫ」（図６参照）との文字と通知音を視聴者に提示する）をおこなうように設けられている。このため、視聴者は時間の認証部２４ｃによる時間の認証を認識して応答動作を終了し、視聴覚番組の視聴に集中することができる。
【０１２２】
また、図２に示す信号化手段２４は、動作の認証部２４ａ、応答の認証部２４ｂ、時間の認証部２４ｃにより出力される認証結果（３次情報）に基づき、さらに、視聴者の応答動作に関する情報を作成することができるように設けられている。例えば、信号化手段２４は、「動作、応答、時間の全ての認証基準を満たしていることを認める」ものとするとの認証の情報（３次情報）をさらに作成することができる。また例えば、「応答の認証部２４ｂによる認証の基準を満たさない」とする情報を作成することもできる。また例えば、認証結果（３次情報）の情報に基づいてさらに統計をおこなうことにより、統計的な認証（３次情報）をおこなうこともできる。このように、信号化手段２４は、認証基準に基づき、モーションセンサ２３（図１参照）により検出した検出結果から得られる視聴者の応答動作に関する情報を作成するとともに、送信手段２９（図１参照）により送信可能な信号に信号化することができる。
【０１２３】
また、図２に示す信号化手段２４により信号化された情報（１次情報、２次情報、３次情報）は送信手段２９（図１参照）により視聴覚の認証主体が有する視聴覚認証システム４０（図８参照）に送信することができるように設けられている。このため、視聴覚端末２０（図１参照）が本実施の形態に示す信号化手段２４並びに動作の認証部２４ａ、応答の認証部２４ｂ、時間の認証部２４ｃを備える場合には、視聴覚認証システム４０においては、同様の機能を有する情報加工装置又は認証装置を備えなくともよい。もっとも、視聴覚認証システム４０においても同様の機能を有する情報加工装置又は認証装置を備えるとともに、視聴覚認証システム４０において独自に情報処理又は認証処理をおこなうことにより、視聴覚端末２０による情報処理又は認証処理を確認するように設けるものとしてもよい。あるいは、視聴覚端末２０では認証結果（３次情報）までを作成することなく、例えば、モーションセンサ２３（図１参照）により検出した検出結果（１次情報）のみを視聴覚認証システム４０に送信するものとして、続く情報処理（２次情報、３次情報の作成）を視聴覚認証システム４０によりおこなうものとしてもよい。
【０１２４】
ここで図１に戻って、視聴者認証について説明する。図１に示す応答動作記録手段２５は、信号化手段２４が出力する動作応答情報１０２（図４参照）を応答動作記録手段２５に接続された大容量記憶装置（ハードディスク）である応答動作履歴データベース３１に記録するデータベース管理システムである。このため、応答動作履歴データベース３１は、モーションセンサ２３により検出して信号化手段２４により動作応答情報１０２として作成された検出結果（動作応答情報１０２を構成する「応答動作」の情報）を応答動作履歴として記録しておくことができる。動作応答情報１０２はモーションセンサ２３により検出した検出結果に基づく情報である。もっとも、応答動作記録手段２５には、モーションセンサ２３により検出した検出結果（１次情報）が記録できればよいから、モーションセンサ２３により検出した検出結果をそのまま記録するように設けるものとしてもよい。また、応答動作記録手段２５と応答動作履歴データベース３１とを一体のデータベース装置として設けるものとしてもよい。
【０１２５】
図１に示す応答動作記録手段２５は、応答動作履歴データベース３１が記録する応答動作履歴（動作応答情報１０２（図４参照））の情報を任意の検索条件により検索して抽出することができる。具体的には、応答動作記録手段２５は、同一の視聴者がおこなった同一の動作の指示に基づく他の検出結果（動作応答情報１０２を構成する「応答動作」）を応答動作履歴から検索して抽出することができるように設けられている。
【０１２６】
図１に示すモーションセンサ２３により検出した検出結果（１次情報）は、信号化手段２４により情報が加工されることにより、動作応答情報１０２（図４参照）を構成する「応答動作」の情報として応答動作履歴データベース３１に記録されるように設けられている。また、動作応答情報１０２を構成する情報としては、動作応答情報１０２に対応する情報である動作指示情報１０１（図３参照）が記録されるように設けられている。また、動作指示情報１０１を構成する情報としては、「視聴者ＩＤ」、「指示動作」、「指示ＩＤ」の情報が記録されるように設けられている。このため、応答動作記録手段２５は、「視聴者ＩＤ」及び「指示動作」が同一で、かつ、「指示ＩＤ」が異なることを検索条件として応答動作履歴を検索することで、同一の視聴者がおこなった同一の動作の指示に基づく他の検出結果（動作応答情報１０２を構成する「応答動作」）を検索して抽出することができる。
【０１２７】
また、図１に示す応答動作比較手段２６は、モーションセンサ２３が最後に検出した検出結果（動作応答情報１０２（図４参照））と応答動作記録手段２５により検索されて抽出された他の検出結果（動作応答情報１０２）とを比較することができるように設けられている。応答動作比較手段２６は、複数の動作応答情報１０２を構成する「応答動作」を相互に比較することによりモーションセンサ２３により検出した検出結果の差異（２次情報）を定量的に把握することができる。
【０１２８】
図１に示す応答動作比較手段２６は、動作応答情報１０２（図４参照）を１対１の動作応答情報１０２を同士の情報において比較することができるように設けられている。また、応答動作比較手段２６は、統計的手法を用いることにより、多数の動作応答情報１０２を構成する「応答動作」の例えば、平均値又は中央値を算出することができるように設けられている。また、応答動作比較手段２６は、統計的手法により算出した例えば、多数の動作応答情報１０２を構成する「応答動作」の平均値を、１の動作応答情報１０２を構成する「応答動作」と比較することができるように設けられている。あるいは、応答動作比較手段２６は、他の統計値、例えば、多数の動作応答情報１０２を構成する「応答動作」の中央値を、１の動作応答情報１０２を構成する「応答動作」と比較するように設けることもできる。本実施の形態においては、応答動作比較手段２６は、応答動作記録手段２５が検出して抽出した、同一の視聴者がおこなった同一の動作の指示に基づく他の全ての検出結果（動作応答情報１０２を構成する「応答動作」）の平均値と、モーションセンサ２３が最後に検出した検出結果（動作応答情報１０２を構成する「応答動作」）とを定量的に比較して「応答動作」の差異（２次情報）を出力するように設けられている。
【０１２９】
このように、最後に検出した検出結果（動作応答情報１０２（図４参照）を構成する「応答動作」）と比較する他の検出結果として、最後に検出した検出結果を除く過去の全ての検出結果（動作応答情報１０２を構成する「応答動作」）の平均値（あるいは統計値）を用いることには利点がある。このときは、検出結果に特異なものが例えば一つ含まれていても、基準とする比較対象が大きく変化することがなく、安定した比較が可能となる。あるいは、過去の検出結果として典型的な一つの検出結果（動作応答情報１０２を構成する「応答動作」）を基準とする比較対象としてもよい。例えば、最初の検出結果（動作応答情報１０２を構成する「応答動作」）をその基準とする比較対象とする。このようにすれば、視聴開始時の視聴者と現時点の視聴者とが同一か否かを認証することができる。さらに、視聴開始から数回、例えば３から５回分の平均値をとり、それを基準とする比較対象としてもよい。このようにすると、数回の動作の中に特異なものが含まれていたとしても、数回の平均をとることにより、基準とする比較対象を安定した値として、視聴開始時の視聴者と現時点の視聴者とが同一か否かを認証することが可能となる。
【０１３０】
また、図１に示す視聴者認証手段２７は、応答動作比較手段２６により定量的に把握された「応答動作」の差異（２次情報）を視聴覚の認証主体が定める所定の基準に照らして評価する認証装置である。視聴者認証手段２７は、モーションセンサ２３が最後に検出した検出結果（動作応答情報１０２（図４参照））と応答動作記録手段２５により検索されて抽出された他の検出結果（動作応答情報１０２）（平均値）との差異が視聴覚の認証主体が定める基準の範囲内（例えば、認証基準が「加速度の差異が最大で１．２Ｇ以下の場合に視聴者本人と認める」と定める場合に、加速度の差異が最大で１．２Ｇ以下の範囲内）であると認める場合に、最後にモーションセンサ２３により検出した検出結果に係る応答動作をおこなった視聴者を、番組提供主体が視聴覚番組を提供する視聴者本人であるもの認証する。視聴者認証手段２７は、最後に応答動作をおこなった視聴者が視聴者本人であるものと認証する場合に、視聴者認証（視聴覚端末）１０６ａ（図５参照）（３次情報）を出力する。出力された視聴者認証（視聴覚端末）１０６ａ（３次情報）は送信手段２９により視聴覚の認証主体が有する視聴覚認証システム４０（図８参照）に送信される。
【０１３１】
図１に示す視聴者認証手段２７が視聴者が視聴者本人であるものと認証をおこなうための判断材料として用いる視聴者がおこなう「応答動作」は、視聴者本人が無意識におこなう動作の情報を含む冗長な情報である。このため、視聴者本人がおこなう「応答動作」は、視聴者本人のみにより再現可能な「応答動作」であるとともに、「応答動作」の情報は、視聴者本人を特定するための認証鍵情報として好適な情報であるものということができる。また、本実施の形態の視聴覚端末２０及び視聴覚認証システム４０（図８参照）を用いることにより、視聴覚番組の視聴者は、視聴覚番組の視聴を妨げられることなく、視聴者本人がおこなう「応答動作」の冗長な情報をモーションセンサ２３により瞬時に作成して視聴覚の認証主体が有する視聴覚認証システム４０（図８参照）に送信することができる。また、視聴覚の認証主体は、視視聴覚認証システム４０（図８参照）を用いることにより、聴覚番組を視聴する視聴者を視聴者本人であるものと厳密に認証することができる。視聴者認証手段２７による視聴者の認証は、視聴者に要求する動作を適切に決定することにより、視聴者に要求する全ての動作についておこなうものとしてもよい。この場合には、視聴者本人を特定することができる適切な動作を指示するように定める視聴覚の認証主体が定める認証基準に基づくとともに、信号化手段２４を用いて認証結果（３次情報）を統計的手法により集計して認証をおこなうものとすればよい。
【０１３２】
また、図１に示す視聴覚端末２０が本実施の形態に示す応答動作記録手段２５、応答動作比較手段２６、視聴者認証手段２７、応答動作履歴データベース３１を備える場合には、視聴覚認証システム４０（図８参照）においては、同様の機能を有する情報加工装置又は認証装置を備えなくともよい。もっとも、視聴覚認証システム４０（図８参照）においても同様の機能を有する情報加工装置又は認証装置を備えるとともに、視聴覚認証システム４０（図８参照）においても独自に情報処理又は認証処理をおこなうことにより、視聴覚端末２０による視聴者の認証を確認するものとしてもよい。
【０１３３】
なお、図１に示す本実施の形態の送信手段２９は、視聴覚端末２０が接続する公衆無線ＬＡＮ（不図示）の通信速度を試験的な通信をおこなうことにより判断することができるように設けられている。送信手段２９が、視聴覚端末２０が高速で情報通信をおこなうことができる通信環境にあるものと判断する場合には、送信手段２９は、視聴覚端末２０と視聴覚認証システム４０（図８参照）との間の情報通信量の総量に配慮する必要がない。このため、送信手段２９は、視聴者がストリーミング（ストリーム配信）により視聴覚番組を視聴する間においても高速、大容量の双方向情報通信をおこなうことにより、視聴覚認証システム４０（図８参照）に動作応答情報１０２（図４参照）等の送信をおこなうように設けられている。
【０１３４】
一方、図１に示す送信手段２９が、視聴覚端末２０が接続する公衆無線ＬＡＮ（不図示）において高速、大容量の双方向情報通信をおこなうことができない通信環境にあると判断する場合には、次のような構成として設けるものとしてもよい。まず、送信手段２９は、視聴者による（放送又は再生可能な記録媒体を介した）視聴覚番組の視聴中においては視聴覚認証システム４０（図８参照）との情報通信を控える。そして、視聴者による視聴覚番組の視聴後に、視聴者が操作する視聴覚端末２０が高速で情報通信をおこなうことができる通信環境に接続し、その情報通信速度が十分であるものと送信手段２９が判断した状態において、視聴覚端末２０が備える記憶手段３２に保存しておいた動作応答情報１０２（図４参照）等の情報を一括して、一時に、視聴覚認証システム４０（図８参照）に送信するように構成する。このように設けることにより、視聴覚端末２０が接続する公衆無線ＬＡＮ（不図示）において高速、大容量の双方向情報通信をおこなうことができない通信環境にある場合においても、視聴覚の認証主体による視聴者が視聴覚番組を視聴したことについての認証をおこなうことができる。
【０１３５】
ここで、視聴覚の認証主体が視聴者に指示する所定の動作について説明する。図１に示すモーションセンサ２３を用いて視聴者の応答動作を好適に検出するためには、視聴覚の番組主体により要求されて指示される所定の動作は適切な動作であることが望ましい。本実施の形態において、所定の動作は、視聴覚番組を提供する番組提供主体が、単独で決定して指示する動作として設けられている。もっとも、適切な動作の指示であれば、番組提供主体の承認を得た視聴覚の認証主体が決定して視聴者に指示する動作としてもよい。また、所定の動作が適切に選択されていれば、所定の動作を視聴者本人が決定することもできる。この場合には、まず、視聴覚番組の視聴者が適切な動作を独自に選択して決定する。例えば、視聴者本人は、その動作を実際におこない、その動作を視聴覚端末２０を通じて視聴覚の認証主体が有する視聴覚認証システム４０（図８参照）に伝達する。また、視聴覚の認証主体が、視聴者本人が選択して決定した動作を適切な動作であるものと認める場合には、視聴覚認証システム４０に視聴者本人が選択して決定した動作を登録するように設けるものとすればよい。
【０１３６】
例えば、まず、視聴覚の番組主体（視聴覚の認証主体）は、視聴覚番組の提供中に視聴者本人に対して動作をおこなうことを指示する。この実施の形態では、「横に振って下さい」のような具体的な動作内容を指示することはせず、視聴者本人が何らかの「動作」をすべき旨の指示をする。この場合には、「所定の動作」は、あらかじめ視聴者本人が視聴覚の認証主体に伝達した動作である。視聴覚の認証主体は、その動作の指示に従って視聴者本人が行って送信した動作と登録された動作とを比較して、認証をする。このように構成すると、「所定の動作」は視聴者本人の決定した動作であるから、視聴者本人の特定を確実に行うことができる。また登録された動作には、動作を決定した特定の視聴者本人の「クセ」も含まれているので、「なりすまし」を防止する効果が高い。ここで、視聴覚番組を提供する視聴覚番組の番組提供主体と視聴覚の認証主体は同一の者であってもよい。
【０１３７】
また、所定の動作は、あらかじめ決定しておくことなく、視聴覚番組の番組提供主体により事前に選定された複数の動作の候補の中から、視聴覚の認証主体が乱数表を用いた自動決定プログラムを用いることにより、無作為に一の動作を抽出して決定した動作としてもよい。なお、所定の動作に関する情報は、視聴覚番組の視聴者が視聴覚番組を視聴したことを視聴覚の認証主体が認証するために必要な認証鍵情報として用いられるものということができるから、所定の動作はどこまでも冗長なものとすることができる。
【０１３８】
また、視聴覚の認証主体がおこなう視聴の認証においては、視聴覚の認証主体は、視聴覚番組の視聴者から返信された動作応答情報１０２（図４参照）を視聴覚認証システム（図８参照）により受信して動作応答情報１０２（図４参照）を構成する「応答動作」の情報を参照する。所定の動作は、視聴覚の認証主体が「応答動作」の情報を参照する際に、「応答動作」の情報の中から、視聴者が意図しておこなった応答動作のみをノイズ信号と明確に識別して抽出することができるような動作とできるように指定することが望ましい。図１に示すモーションセンサ２３を用いて視聴者の応答動作を検出する検出信号の情報には、多くの場合、視聴者が意図しないノイズ運動やノイズ信号の重畳が生じてしまうこととなる。例えば、視聴者が走行中の揺れる電車内を歩行しながら視聴覚番組を視聴する場合も存在し得る。このため、ノイズ運動やノイズ信号と視聴者がおこなう応答動作とを視聴覚の認証主体が明確に区別することができるように、視聴者に要求する所定の動作の軌跡、振幅、加速度の大きさ、周期などの動作の特徴を決定することが望ましい。
【０１３９】
応答動作をノイズ信号と明確に識別するためには、図１に示すモーションセンサ２３が有する３軸６自由度加速度センサ（不図示）が検出する各自由度（チャンネル）の検出の中で、特に左右方向とヨーイング方向との検出、又は上下方向とピッチング方向との検出の組み合わせを用いるとよい。これらはそれぞれ「横に振って下さい」と「縦に振って下さい」の動作に対応し、視聴者のおこなう応答動作は、視聴者が片手で把持する視聴覚端末２０を平行移動をさせるとともに回転移動をさせる視聴者の手首又は肘を中心とする複合的な動作となる。これらの動作は走行中の揺れる電車の動きと区別し易い。その点では、視聴覚端末２０をローリングさせる運動を要求するものとしてもよいが、視聴覚端末２０をローリングさせる運動は、視聴覚端末２０の画面が見難くなる点で前２者の方が優れているものということができる。
【０１４０】
また、視聴者がおこなった応答動作をモーションセンサ２３（図１参照）が有するカメラ（不図示）により検出して検出結果（１次情報）を得る場合には、カメラ（不図示）の焦点距離、露出、被写界深度並びにフレーム・レートなどのカメラ（不図示）の光学性能をさらに併せて考慮したうえで、後に画像処理をおこなうことができるように、撮影条件に照らして、視聴者の応答動作をブレのない適正露出の画像により鮮明な映像として撮影することができるように、視聴者に指示する動作の大きさと速度を決定することが望ましい。
【０１４１】
ここで図５を参照して、視聴覚端末２０（図１参照）から視聴覚認証システム４０（図８参照）に送信される情報について説明する。視聴覚端末２０が備える送信手段２９（図１参照）により視聴覚認証システム４０に送信される情報は、視聴覚認証システム４０が備える認証記録手段５３（図８参照）により認証記録１０７に記録される。認証記録１０７には、「動作指示情報１０１」、「動作応答情報１０２」、「受信時刻」、「動作認証１０３」、「時間認証１０４」、「視聴認証１０５」、「視聴者認証１０６」の情報が記録されている。
【０１４２】
図５に示す認証記録１０７を構成する「認証ＩＤ」の情報は、視聴者が操作する視聴覚端末２０（図１参照）から返信される動作応答情報１０２（図４参照）毎に「認証ＩＤ」が付与されて認証記録がおこなわれるように設けられている。視聴者から返信される動作応答情報１０２については、視聴覚の認証主体が逐一認証判断をおこなうため、「認証ＩＤ」は、視聴覚の認証主体がおこなう認証判断毎に設けられているともいうことができる。視聴覚の認証主体は、「認証ＩＤ」毎にまとめられた視聴者への動作の指示（動作指示情報１０１（図３参照））と視聴者がおこなった応答動作（動作応答情報１０２）とを比較判断することにより視聴者による視聴覚番組の視聴を認証することができる。
【０１４３】
図５に示す証記録１０７を構成する「動作指示情報」の情報には、視聴者が操作する視聴覚端末２０（図１参照）から返信される動作応答情報１０２（図４参照）を構成する動作指示情報１０１（図３参照）が記録されるように設けられている。視聴覚の認証主体は動作指示情報１０１に記録される情報に基づき、例えば、動作指示手段２２（図１参照）が視聴者に動作を指示した時刻（「指示時刻」（図３参照））を把握することができる。
【０１４４】
また、図５に示す証記録１０７を構成する「動作応答情報」の情報には、視聴者が操作する視聴覚端末２０（図１参照）から返信される動作応答情報１０２（図４参照）が記録されるように設けられている。視聴覚の認証主体は動作応答情報１０２に記録される情報に基づき、例えば、モーションセンサ２３（図１参照）が視聴者の応答動作を検出した時刻（動作応答情報１０２を構成する「検出時刻」）を把握することができる。このため、視聴覚認証システム４０（図８参照）は、動作指示情報１０１（図３参照）を構成する「指示時刻」と動作応答情報１０２を構成する「検出時刻」とにより視聴覚の認証主体が認証判断をおこなうために有用な指標値となる情報（２次情報）である「視聴者が応答に要した時間」を把握することができる。
【０１４５】
また、図５に示す認証記録１０７を構成する「受信時刻」の情報には、視聴覚認証システム４０（図８参照）が備えるクロック４９（図８参照）が出力する視聴者が操作する視聴覚端末２０（図１参照）から返信される動作応答情報１０２（図４参照）を受信した時刻が記録されるように設けられている。また、動作応答情報１０２を構成する動作指示情報１０１（図３参照）を構成する「送信時刻」の情報には、視聴覚認証システム４０が備えるクロック４９（図８参照）が出力する動作指示情報送信手段４３（図８参照）が視聴者に動作指示情報１０１を送信した時刻が記録されている。このため、視聴覚認証システム４０は、動作指示情報１０１を構成する「送信時刻」と認証記録１０７を構成する「受信時刻」とにより視聴覚の認証主体が認証判断をおこなうために有用な指標となる情報（２次情報）である「視聴者との通信に要した時間」を把握することができる。
【０１４６】
また、図５に示す認証記録１０７を構成する「動作認証」の情報には、視聴者が操作する視聴覚端末２０（図１参照）から返信された視聴覚端末２０が備える信号化手段２４（図１参照）が有する動作の認証部２４ａ（図２参照）が出力する動作認証（視聴覚端末）１０３ａ（３次情報）が記録されるように設けられている。このため、視聴覚認証システム４０（図８参照）は、視聴覚端末２０が備える信号化手段２４が有する動作の認証部２４ａが視聴者の応答動作を認証したことを把握することができる。
【０１４７】
また、図５に示す認証記録１０７を構成する「時間認証」の情報には、視聴者が操作する視聴覚端末２０（図１参照）から返信される視聴覚端末２０が備える信号化手段２４（図１参照）が有する時間の認証部２４ｃ（図２参照）が出力する視聴者が応答に要した時間に基づく時間認証１０４ａ（３次情報）が記録されるように設けられている。このため、視聴覚認証システム４０（図８参照）は、視聴覚端末２０が備える信号化手段２４が有する時間の認証部２４ｃが視聴者が応答に要した時間を認証したことを把握することができる。
【０１４８】
また、図５に示す認証記録１０７を構成する「視聴認証」の情報には、視聴者が操作する視聴覚端末２０（図１参照）から返信される視聴覚端末２０が備える信号化手段２４（図１参照）が有する応答の認証部２４ｂ（図２参照）が出力する動作応答率に基づく視聴認証（視聴覚端末）１０５ａ（３次情報）が記録されるように設けられている。このため、視聴覚認証システム４０（図８参照）は、視聴覚端末２０が備える信号化手段２４が有する応答の認証部２４ｂが動作応答率を認証したことを把握することができる。
【０１４９】
また、図５に示す認証記録１０７を構成する「視聴者認証」の情報には、視聴者が操作する視聴覚端末２０（図１参照）から返信される視聴覚端末２０が備える視聴者認証手段２７（図１参照）が出力する視聴者認証（視聴覚端末）１０６ａ（３次情報）が記録されるように設けられている。このため、視聴覚認証システム４０（図８参照）は、視聴覚端末２０が備える視聴者認証手段２７が視聴者本人を認証したことを把握することができる。もっとも、認証記録１０７は他の情報の構成により設けるものとしてもよい。
【０１５０】
ここで図６を参照して、本発明の第一の実施の形態に係る視聴覚端末、例えば図１に示す各要素を組み込んだ携帯電話機を操作する視聴者による応答動作の例を説明する。図６（ａ）は、視聴者（Ａ０）による応答動作の作用の概要を示す。図６（ａ）では、視聴覚端末２０が備える動作指示手段２２は、再生手段２１が有する液晶表示画面の下部に帯状に設けられている。視聴者（Ａ０）は視聴覚端末２０の画面を見ながら学習をする。視聴覚番組中の認証ポイントにさしかかったら、動作の指示に従って視聴者（Ａ０）は視聴覚端末２０を振る。この例では、帯状に設けられた動作表示部分に「振って下さい」と動作の指示を表示している（Ａ１）。視聴者（Ａ０）が動作の指示に従って視聴覚端末２０を振ると、視聴覚端末２０が備えるモーションセンサ２３（不図示）により視聴者（Ａ０）の応答動作が検出される。そこで、信号化手段２４（不図示）が有する動作の認証部が視聴者（Ａ０）の応答動作を認証する。視聴者（Ａ０）の応答動作が信号化手段２４により認証された場合は、視聴覚端末２０が備える再生手段２１が有する液晶表示画面に図示のように「認証ＯＫ」との表示がなされる（Ａ２）。視聴覚番組に認証ポイントがまだある場合は、最初に戻る（Ａ３）。そして、次の認証ポイントにさしかかったら、「振って下さい」と動作の指示が表示される（Ａ１）。また、信号化手段２４が有する応答の認証部が応答動作率に基づく視聴の認証をおこなう場合は、視聴者（Ａ０）による視聴覚番組（遠隔教育番組）の視聴（出席）が認証され、液晶表示画面に図示のように「出席ＯＫ」と表示されるように設けられている（Ａ４）。
【０１５１】
前述の通り、所定の動作は、視聴覚の認証主体が視聴者の応答動作を明確に識別し得るように決定する必要がある。この条件を満たす動作であれば、所定の動作は、例えば、視聴者が片手で把持して操作する図６（ａ）に示す視聴覚端末２０を単純に往復させて振る動作であってもよい。例えば、視聴覚端末２０が備える再生手段２１（図６（ａ）参照）が有する視聴覚番組の映像を再生して表示する液晶表示画面と平行な面内において上下方向あるいは左右方向に、例えば３Ｇ（地球上における重力加速度の３倍）以上の加速度で、一往復だけ振る動作であってもよい。また、それらの動作を時系列に複数組み合わせた一連の組み合わせの動作であってもよい。あるいは、図６（ｂ）に示すように、視聴者の視線と平行に緩やかに視聴覚端末２０を往復させて振る動作を指示するものとすれば、視聴者による視聴覚番組の視聴を大きく妨げることのない好適な動作を指示することができる。
【０１５２】
一方、本実施の形態においては、視聴覚番組の視聴者が視聴者本人であるか否かを確認するために、９０分間の視聴覚番組において３回程度、視聴者に複雑な動作を要求する場面が設けられている。この際には、視聴覚の認証主体により、図６（ｃ）に示す視聴覚端末２０を用いて３次元空間内に所定の文字列を描く動作が要求される。例えば、文字「Ｂ」を描く動作が要求される。あるいは、記号（例えば、図６（ｃ）に示す記号：インフィニティ）又は複数の図形（例えば、円形、三角形、四角形）を描く動作を要求とするものとしてもよい。この場合には、所定の動作の指示が同一の動作を要求する指示であったとしても、同一の動作の指示に対応して特定の視聴者がおこなう応答動作は視聴者毎に異なる動作となる。言い換えれば、視聴者のクセが出やすく視聴者の特定がし易い。応答動作が視聴者毎に特有の特徴を含む動作となっていれば、視聴覚の認証主体は、応答動作に含まれる動作の特徴をモーションセンサ２３（不図示）により捉えることができる。
【０１５３】
このため、図６（ｃ）に示す視聴覚端末２０が備える視聴者認証手段２７（不図示）又は後に詳述する視聴覚認証システム４０（図８参照）が備える視聴者認証手段４７（図８参照）は、視聴者がおこなう応答動作をモーションセンサ２３（不図示）により検出するとともに、視聴者がおこなった応答動作を応答動作記録手段２５（不図示）又は視聴覚認証システム４０が備える応答動作記録手段４６に記録（登録）しておくことで、視聴者がおこなう応答動作から視聴者を特定する認証をおこなうことができる。このため、応答動作をおこなった視聴者が、視聴覚番組の番組提供主体が視聴覚番組の提供の対象とする視聴者本人であることを認証することができる。
【０１５４】
ここで図７を参照して、視聴覚端末２０（図１参照）を制御するための制御プログラムについて説明する。視聴覚端末２０が備えるマイクロ・プロセッサ３０（図１参照）は視聴覚端末２０を制御するための制御プログラムに従い、視聴覚端末２０を制御するためのプログラムの実行手順を例示する図７に示すフローチャートに示す手順により処理をおこなうように設けられている。なお、再生手段２１（図１参照）、動作指示手段２２（図１参照）、モーションセンサ２３（図１参照）、信号化手段２４（図１参照）、応答動作記録手段２５（図１参照）、応答動作比較手段２６（図１参照）、視聴者認証手段２７（図１参照）、クロック２８（図１参照）、送信手段２９（図１参照）、応答動作履歴データベース３１（図１参照）、記録手段３２（図１参照）についての詳細な機能については、既に説明したので重複した説明を省略する。
【０１５５】
図７に示す本制御プログラムは、まず、再生手段２１（図１参照）を用いて視聴覚番組を再生する（ステップＭ０１）。続いて、視聴覚番組を提供する番組提供主体が視聴覚番組に固有のタイミングにおいて視聴者に所定の動作を要求する視聴覚番組に固有の動作指示情報１０１（図３参照）に基づき、動作指示手段２２（図１参照）を用いて視聴者に動作を指示する（ステップＭ０２）。続いて、信号化手段２４（図１参照）を用いてモーションセンサ２３（図１参照）が有する３軸６自由度加速度センサ（不図示）による視聴者の応答動作の検出（入力電圧値の変化）を確認する。この際、検出（入力電圧の変化）が確認された場合には、信号化手段２４を用いて、動作指示情報１０１を構成する「認証基準」の情報に従って、モーションセンサ２３が有する３軸６自由度加速度センサによる視聴者の応答動作の検出から適切な検出結果（１次情報）を取得する（ステップＭ０３）。さらに、取得した検出結果（１次情報）を信号化手段２４を用いて、動作指示情報１０１を構成する「認証基準」の情報に基づき、アナログ／デジタル信号変換等（必要であれば、数値解析による微積分）をおこなうことにより動作応答情報１０２（図４参照）を作成する（ステップＭ０４、ステップＭ０５）。最後に、送信手段２９（図１参照）を用いて動作応答情報１０２を視聴覚の認証主体が有する視聴覚認証システム４０（図８参照）に送信する（ステップＭ０６）。
【０１５６】
なお、図７に示す視聴覚端末２０（図１参照）の実行制御処理においては、以上に挙げた主要な実行処理の他に補助的な制御処理を含むように構成されている。本制御プログラムにおいては、視聴覚端末２０が備えるモーションセンサ２３（図１参照）が有する３軸６自由度加速度センサ（不図示）を用いた視聴者の応答動作の信号化（情報化）の他に、補助的に、視聴覚端末２０が備えるモーションセンサ２３が有するカメラ（不図示）により撮影される映像を画像解析することで、視聴者の応答動作を信号化（情報化）する処理をおこなうように設けられている。この場合には、まず、信号化手段２４（図１参照）を用いてモーションセンサ２３が有するカメラにより撮影される映像の検出の有無を確認する（ステップＭ０３）。続いて、信号化手段２４を用いて、カメラにより撮影された映像（検出）の中に定めた視聴者の応答動作を検出するための特徴点（この場合においては、視聴者の両眼の位置を特徴点とするが、画像処理的にそれよりも目立つ特徴点があれば、その点が特徴点として抽出されてもよい。）を、一連の映像を構成するそれぞれの画像の中から連続的に抽出して検出結果（１次情報）を取得する（ステップＭ１１）。
【０１５７】
続いて、検出結果（１次情報）に基づき、信号化手段２４（図１参照）を用いて、検出した特徴点（視聴者の両眼の位置）の変位の情報を時間で２階微分するように数値解析をおこなうことにより、時系列に取得された視聴者の応答動作（視聴覚端末２０の運動）の情報（３次元の加速度情報）を作成する（ステップＭ１２）。続いて、時系列に取得された視聴者の応答動作（視聴覚端末２０の運動）の情報（３次元の加速度情報）から動作応答情報１０２（図４参照）を作成する（ステップＭ０５）。
【０１５８】
図７に示す制御プログラムにおいては、モーションセンサ２３（図１参照）が有する３軸６自由度加速度センサ（不図示）により得た視聴者の応答動作の情報（加速度の情報）と、補助的に、モーションセンサ２３（図１参照）が有するカメラ（不図示）により得た視聴者の応答動作の情報（加速度の情報）の双方を動作応答情報１０２（図４参照）を構成する「応答動作」の情報として得ることができる。このため、３軸６自由度加速度センサとカメラとにより得た２つの視聴者の応答動作の情報（加速度の情報）を相互に比較することにより、モーションセンサ２３による視聴者の応答動作の検出の精度を相互に検証することができる。あるいは、３軸６自由度加速度センサによる検出結果（１次情報）に基づく加速度の情報と、カメラによる検出結果（１次情報）に基づく加速度の情報の平均値を視聴者の応答動作の情報（加速度の情報）として定めるものとしてもよい。あるいはまた、どちらか一方の検出結果（１次情報）（加速度の情報）を他方の検出結果（１次情報）（加速度の情報）により補正するように設けるものとしてもよい。
【０１５９】
なお図７に示す制御プログラムにおいては、視聴覚端末２０（図１参照）が備えるモーションセンサ２３（図１参照）が有するカメラ（不図示）により検出した特徴点の変位の情報（検出結果）（１次情報）を時間で２階微分するように数値解析をおこなうことにより、視聴者の応答動作の情報（３次元の加速度情報）を得るように構成された場合について説明したが、逆に、カメラにより検出した特徴点の変位の情報（検出結果）（１次情報）を数値解析をおこなうことなく変位の次元の情報のままとする一方で、３軸６自由度加速度センサで検出した検出結果（３次元の加速度情報）（１次情報）を２階積分するように数値解析をおこなうことにより、変位の次元の情報としてカメラにより検出した検出結果（１次情報）と比較するように構成してもよい。
【０１６０】
また、図７に示す制御プログラムにおいては、視聴覚端末２０（図１参照）は、動作指示情報１０２（図４参照）に基づき、応答動作記録手段２５（図１参照）、応答動作比較手段２６（図１参照）、視聴者認証手段２７（図１参照）、応答動作履歴データベース３１（図１参照）を用いて、視聴者が視聴覚番組の提供主体が視聴覚番組の提供の対象とする視聴者本人であることを認証するように設けられている（ステップＭ２１）。また、視聴者認証手段２７により視聴者認証（視聴覚端末）１０６ａ（図５参照）（３次情報）が出力される場合には、送信手段２９（図１参照）により、視聴者認証（視聴覚端末）１０６ａ（３次情報）を視聴覚の認証主体が有する視聴覚認証システム４０（図８参照）へ送信する（ステップＭ２２）ように設けられている。
【０１６１】
また、図７に示す制御プログラムにおいては、視聴覚端末２０（図１参照）は、信号化手段２４（図１参照）が有する動作の認証部２４ａ（図２参照）を用いて、視聴者の応答動作をモーションセンサ２３（図１参照）により検出した検出結果（１次情報）と、動作指示手段２２（図１参照）により視聴者に指示した動作とが一致することを認証するように設けられている（ステップＭ３１）。また、信号化手段２４が有する動作の認証部２４ａにより動作認証（視聴覚端末）１０３ａ（図５参照）（３次情報）が出力される場合には、送信手段２９（図１参照）により、動作認証（視聴覚端末）１０３ａ（３次情報）を視聴覚の認証主体が有する視聴覚認証システム４０（図８参照）へ送信する（ステップＭ３２）ように設けられている。なお、モーションセンサ２３が有する応答の認証部２４ｂ（図２参照）並びに時間の認証部２４ｃ（図２参照）を用いた認証については、動作の認証部２４ａと同様の認証処理であるために図示並びに説明を省略する。
【０１６２】
また、図７に示す制御プログラムにおいては、信号化手段２４（図１参照）を用いた検出結果（１次情報）の取得（ステップＭ０３）、視聴者認証手段２７（図１参照）を用いた視聴者認証（ステップＭ２１）、信号化手段２４（図１参照）が有する動作の認証部（図２参照）を用いた動作認証（ステップＭ３１）に失敗した場合には、信号化手段２４は各認証に失敗した旨の情報（３次情報）をさらに作成して視聴覚の認証主体が有する視聴覚認証システム４０（図８参照）に送信する（ステップＭ４１）ように設けられている。もっとも、以上に示したプログラムは、さらに多様な補助的な処理を含むように設けるものとすることもできる。
【０１６３】
［実施例２］
続いて図８を参照して、本発明の第二の実施の形態に係る視聴覚認証システム４０の構成の例を説明する。視聴覚認証システム４０は、番組送信手段４１、動作指示情報作成手段４２、動作指示情報送信手段４３、受信手段４４、受信情報加工手段４５、応答動作記録手段４６、応答動作比較手段４７、視聴者認証手段４８、クロック４９、番組データベース５１、応答動作履歴データベース５２、認証記録手段５３の各装置を備える。また、視聴覚認証システム４０は、視聴覚認証システム４０の制御をおこなう制御装置であるマイクロ・プロセッサ５０を備える。また、動作指示情報送信手段４３、受信手段４４、受信情報加工手段４５、クロック４９には、それぞれの機能を支援するためのランダム・アクセス・メモリ（ＲＡＭ）５４がそれぞれに設けられている。視聴覚認証システム４０が備える各装置の機能の詳細については以下に順次説明する。
【０１６４】
本実施の形態の視聴覚認証システム４０は、ＷＡＮに接続された視聴覚の認証主体が有する専用サーバーである。視聴覚認証システム４０が備える番組送信手段４１は、ＷＡＮを通じて視聴覚番組の視聴者が操作する視聴覚端末２０（図１参照）が備える再生手段２１（図１参照）により要求された番組送信要求１００（図１０参照）に基づき、番組データベース５１に記録される視聴覚番組を視聴覚端末２０が備える再生手段２１に送信する、いわゆるストリーミング・サーバーである。なお、視聴覚認証システム４０と視聴覚端末２０との通信方式等の説明については説明の重複を避けるために省略する。
【０１６５】
図８に示す視聴覚認証システム４０は、ＷＡＮを通じて不特定多数の閲覧者にＨＴＴＰ通信方式により専用の情報提供ホームページを公開するホームページ・サーバーとしての機能も併せて有している（不図示）。視聴覚認証システム４０が公開する専用の情報提供ホームページは、視聴覚番組（遠隔教育番組）を視聴（受講）する視聴者（受講者）に対して、遠隔教育番組である視聴覚番組を受講（視聴）するために有用な情報（遠隔教育番組の概要及び参考とすべき教本などの情報）を提供することができる。視聴覚認証システム４０が公開する専用の情報提供ホームページは、ＨＴＭＬ言語を用いて作成されている。このため、遠隔教育番組（視聴覚番組）を受講する受講者（視聴者）は、受講者（視聴者）が操作する視聴覚端末２０（図１参照）が有するウェブ・ブラウザ（不図示）を操作して、視聴覚認証システム４０が公開する専用の情報提供ホームページを閲覧することで、受講（視聴）可能な遠隔教育番組（視聴覚番組）についての情報を得ることができる。また、遠隔教育番組（視聴覚番組）を受講する受講者（視聴者）は、受講すべき遠隔教育番組（視聴覚番組）を選択するとともに、専用の情報提供ホームページを通じて視聴覚認証システム４０に対して番組送信要求１００（図１０参照）をおこなうことができる。もっとも、専用の情報提供ホームページは、ＸＭＬ言語（Ｅｘｔｅｎｓｉｂｌｅ‐Ｍａｒｋｕｐ‐Ｌａｎｇｕａｇｅ）などの他のマーク・アップ言語によって作成されるものとしてもよい。
【０１６６】
図８に示す視聴覚認証システム４０は、受講者（視聴者）による番組送信要求１００（図１０参照）がなされた場合には、番組送信要求１００をおこなった受講者（視聴者）が、遠隔教育番組（視聴覚番組）を提供する番組提供主体が遠隔教育番組（視聴覚番組）の提供の対象とする受講者本人（視聴者本人）であるかどうかを簡易的に認証する。視聴覚認証システム４０は、受講者本人（視聴者本人）を簡易的に認証するための専用の情報提供ホームページ（視聴者簡易認証ページ）を提示して、番組送信要求１００をおこなった受講者（視聴者）に、専用の情報提供ホームページ（視聴者簡易認証ページ）の適切な入力欄に「視聴者ＩＤ」（図３参照）並びに「視聴者ＩＤ」（図３参照）に固有の「パスワード」（視聴者簡易認証情報）（不図示）の双方を入力するように要求する。
【０１６７】
「視聴者ＩＤ」（図３参照）並びに「視聴者ＩＤ」（図３参照）に固有の「パスワード」（視聴者簡易認証情報）（不図示）は、あらかじめ、視聴覚の認証主体により遠隔教育番組（視聴覚番組）を提供する番組提供主体が遠隔教育番組（視聴覚番組）の提供の対象とする受講者本人（視聴者本人）に対して発行されている。「視聴者ＩＤ」並びに「視聴者ＩＤ」に固有の「パスワード」（視聴者簡易認証情報）は、いずれも２０文字の英数テキスト文字列によりなる文字列情報である。もっとも、「視聴者ＩＤ」並びに「パスワード」の情報の構成は２０文字の英数テキスト文字列に限られることなく、適宜決定することができる。
【０１６８】
図８に示す番組送信手段４１は、受講者（視聴者）が、受講者（視聴者）が操作する視聴覚端末２０を通じて、視聴覚認証システム４０が公開する専用の情報提供ホームページの適切な入力欄に、「視聴者ＩＤ」（図３参照）並びに「視聴者ＩＤ」（図３参照）に固有の「パスワード」（視聴者簡易認証情報）（不図示）の情報の双方を正しく入力することができた場合にのみ、番組提供主体により提供された遠隔教育番組（視聴覚番組）の送信をおこなうように設けられている。
【０１６９】
また、例えば図８に示す動作指示情報作成手段４２は、視聴覚番組を提供する番組提供主体が視聴覚番組に固有のタイミングで視聴者に所定の動作を要求する情報によりなる視聴覚番組に固有の動作指示情報１０１（図３参照）を作成する。動作指示情報作成手段４２は、動作指示情報作成手段４２に接続された番組データベース５１に記録されている視聴覚番組の番組提供主体により決定された視聴覚番組に固有のタイミングの情報を参照することにより、視聴覚番組に固有のタイミングにおいて、動作指示情報１０１を作成するように設けられている。具体的には、動作指示情報作成手段４２による動作指示情報１０１の作成は、番組データベース５１に記録されている番組提供主体が提供する視聴覚番組を構成する情報の中に、あらかじめ、番組提供主体により決定されたタイミング（番組進行時間）において、動作指示情報作成手段４２に対する動作指示情報１０１の作成を命令するトリガー情報が設けられていることによりおこなわれる。もっとも、動作指示情報作成手段４２による動作指示情報１０１の作成のタイミングは、視聴者による視聴覚番組への注意を喚起し得るように、統計的手法又は乱数を用いた無作為決定手法を用いて決定するものとしてもよい。
【０１７０】
図８に示す動作指示情報作成手段４２は、動作指示情報１０１（図３参照）に視聴覚番組に固有の「番組ＩＤ」の情報を付与するように設けられている。また、動作指示情報作成手段４２は、動作指示情報１０１に固有の「指示ＩＤ」の情報を付与するように設けられている。「指示ＩＤ」の情報は、動作指示情報１０１に１から始まる連続昇順番号により与えられる識別番号である。また、「指示ＩＤ」の情報には、一の視聴覚番組において動作指示情報１０１が設けられた総数を示す情報が与えられている。「指示ＩＤ」の情報は、例えば、前述の通り、「１／２０」として与えられている。また、動作指示情報作成手段４２は、動作指示情報１０１に視聴者本人に固有の「視聴者ＩＤ」の情報を付与するように設けられている。視聴者が「視聴者ＩＤ」の情報を付与することができる視聴者本人であることは、前述の通り、視聴覚認証システム４０が有する専用の情報提供ホームページ（視聴者簡易認証ページ）によりパスワード（不図示）を用いて確認されている。なお、「送信時刻」の情報並びに「指示時刻」の情報については、前述の通り、後に動作指示情報送信手段４３及び視聴覚端末２０（図１参照）が備える動作指示手段２２（図１参照）がそれぞれの処理を実行した時刻が記録されるため、ブランク（空白）のまま動作指示情報１０１が作成されるように設けられている。
【０１７１】
また、図８に示す動作指示情報作成手段４２は、番組データベース５１に記録されている番組提供主体が決定した所定の動作の指示についての定性的な動作の指示（例えば、「視聴者が操作する視聴覚端末２０（図１参照）の視聴覚番組を表示する表示画面に対して上下方向に、視聴覚端末２０を１往復だけ振る動作を指示する」）については、視聴覚の認証主体が定める認証基準に基づく視聴者がおこなうべき動作の定量的な指示（例えば、直交座標系の３次元空間において視聴覚端末２０を上下方向に３Ｇ以上の加速度で１往復振る動作）を作成するように設けられている。なお、この際、視聴覚の認証主体が定める認証基準は、ノイズ運動、ノイズ信号に妨害されることなく、視聴者の応答動作を検出結果（１次情報）として得ることができるように定められてる。また、動作指示情報作成手段４２により定量的に作成された動作の指示の情報は、動作指示情報作成手段４２により動作指示情報１０１（図３参照）を構成する「指示動作」の情報に記録される。
【０１７２】
なお、この際、視聴覚端末２０（図１参照）が備える動作指示手段２２（図１参照）を用いて視聴者に提示すべき具体的な動作の見本としての前述のアニメーション（不図示）についても図８に示す動作指示情報作成手段４２により作成して「指示動作」の情報に記録するものとすることもできる。あるいは、動作指示情報作成手段４２によりおこなう定量的な動作の指示並びに動作の見本としてのアニメーションの作成を前述の視聴覚端末２０（図１参照）が備える動作指示手段２２（図１参照）によりおこなうものとしてもよい。これらの機能は視聴覚認証システム４０及び視聴覚端末２０の協働により実現されればよいものであるから、視聴覚認証システム４０と視聴覚端末２０とが機能を適宜分担して備えるものとすればよい。
【０１７３】
また、図８に示す動作指示情報送信手段４３は、視聴覚番組に固有のタイミングで、動作指示情報１０１（図３参照）を視聴者が操作する視聴覚端末２０（図１参照）に送信する情報通信装置である。具体的には、動作指示情報送信手段４３はＷＡＮに接続された高速有線情報通信機（ルーター）である。動作指示情報送信手段４３は、視聴覚番組に固有のタイミングにおいて動作指示情報作成手段４２により作成されて、動作指示情報送信手段４３に受け渡される動作指示情報１０１を視聴者が操作する視聴覚端末２０に送信する。なお、この際、動作指示情報１０１を構成する「送信時刻」の情報に視聴覚認証システム４０が備えるクロック４９が出力する動作指示情報送信手段４３により動作指示情報１０１を視聴覚端末２０に送信する時刻が記録されるように設けられている。本実施の形態においては、クロック４９によりクロック４９が出力する動作指示情報送信手段４３により動作指示情報１０１を視聴覚端末２０に送信した時刻が動作指示情報１０１を構成する「送信時刻」の情報として記録されるように設けられている。もっとも、クロック４９が出力する動作指示情報作成手段４２が動作指示情報送信手段４３に動作指示情報１０１（図３参照）を受け渡す時刻を動作指示情報作成手段４２が動作指示情報１０１（図３参照）を構成する「送信時刻」の情報に記録するように設けるものとすることもできる。
【０１７４】
また、図８に示す受信手段４４は、視聴覚端末２０（図１参照）が出力するモーションセンサ２３（図１参照）により検出した検出結果から得られる視聴者の応答動作に関する情報を受信する情報通信装置である。ここで、受信する視聴覚端末２０が出力するモーションセンサ２３により検出した検出結果から得られる視聴者の応答動作に関する情報は、視聴者が視聴覚番組を正常に視聴していることを伝達するために視聴者が操作する視聴覚端末２０が備える送信手段２９（図１参照）を用いて視聴者又は視聴覚端末２０が視聴覚認証システム４０に返信した情報である。具体的には、受信手段４４は、動作指示情報送信手段４３と同様に、ＷＡＮに接続された高速有線情報通信機（ルーター）である。
【０１７５】
また、図８に示す受信情報加工手段４５は、受信手段４４により受信した視聴者が操作する視聴覚端末２０（図１参照）が出力するモーションセンサ２３（図１参照）により検出した検出結果（１次情報）に基づき、検出結果（１次情報）から得られる視聴者の応答動作に関する情報（２次情報、３次情報）を作成する情報処理装置である。受信情報加工手段４５は、受信手段４４により受信した検出結果（１次情報）から、認証基準に基づき視聴者の応答動作を指標化した情報（２次情報）を作成するように設けられている。また、受信情報加工手段４５は、認証基準に基づき視聴者の応答動作を指標化した情報（２次情報）から、認証基準に基づき視聴者による視聴覚番組の視聴を認証する情報（３次情報）を作成するように設けられている。
【０１７６】
また、図８に示す認証記録手段５３は、視聴覚の認証主体が視聴者による視聴覚番組の視聴を認証する根拠となる情報を認証記録１０７（図５参照）として集積して記録するデータベース装置である。認証記録手段５３は、視聴者による視聴覚番組の視聴を認証するために、視聴覚認証システム４０及び視聴覚端末２０（図１参照）が出力する視聴者が視聴覚番組を視聴したことを認証する情報（１次情報、２次情報、３次情報）を、認証記録１０７（図５参照）を構成する情報として集積して記録するように設けられている。
【０１７７】
ここで図９を参照して、受信情報加工手段４５が有する情報加工部について説明する。受信情報加工手段４５は、受信情報加工手段４５が有する情報加工部として動作解析特定部４５ａを有する。受信情報加工手段４５が有する動作解析特定部４５ａは、受信手段４４（図８参照）により受信した視聴者が操作する視聴覚端末２０（図１参照）が出力するモーションセンサ２３（図１参照）により検出した検出結果（１次情報）を解析し、視聴者の応答動作（視聴覚端末２０の運動）を特定するように設けられている。受信情報加工手段４５が有する動作解析特定部４５ａは、検出結果（１次情報）から視聴者の応答動作（視聴覚端末２０の運動）を加速度、角加速度、速度、角速度、変位（直交座標３軸上）、変位（直交座標３軸周り）の各次元において数値解析をおこない特定することができるように設けられている。すなわち、受信情報加工手段４５が有する動作解析特定部４５ａは、視聴覚端末２０が備える信号化手段２４（図１参照）がおこなうアナログ／デジタル信号変換から数値解析による微積分までの視聴者の応答動作（視聴覚端末２０の運動）の解析をおこなう情報処理と同様の情報処理をおこなうように設けられている。もっとも、受信情報加工手段４５が有する動作解析特定部４５ａにより情報処理を行う場合には、視聴覚端末２０が備える信号化手段２４で同様の情報処理をおこなう必要がない。
【０１７８】
前述の通り、視聴覚認証システム４０（図８参照）と視聴覚端末２０（図１参照）とは、モーションセンサ２３（図１参照）により検出した検出結果（１次情報）から、視聴覚の認証主体が定める認証基準に基づき、検出結果（１次情報）から得られる視聴者の応答動作に関する情報（１次情報、２次情報、３次情報）を作成する情報処理を協働しておこなうことができるように機能を分担して備えるように設けられていればよい。したがって、視聴覚認証システム４０（図８参照）と視聴覚端末２０（図１参照）とのどちらか一方が必要な情報処理の機能を有している場合には、他方は同様の情報処理の機能を備えている必要がない。もっとも、視聴覚認証システム４０（図８参照）と視聴覚端末２０（図１参照）との双方において同様の情報処理をおこなうように設けるものとして、相互に情報処理の検証をおこなうものとしてもよい。
【０１７９】
また、図９に示す受信情報加工手段４５は、受信情報加工手段４５が有する情報加工部として動作の認証部４５ｂを有するように設けられている。受信情報加工手段４５が有する動作の認証部４５ｂは、視聴覚端末２０（図１参照）が備えるモーションセンサ２３（図１参照）が検出した検出結果から得られる視聴者の応答動作と視聴覚認証システム（図８参照）が備える動作指示情報送信手段４２（図８参照）により送信した動作指示情報１０１（図３参照）が視聴者に指示した動作とが所定の基準（認証基準）に照らして一致することを認証するように設けられている。受信情報加工手段４５が有する動作の認証部４５ｂは、モーションセンサ２３が検出した検出結果から得られる視聴者の応答動作と動作指示情報１０１が視聴者に指示する動作とが視聴覚の認証主体が定める所定の基準（例えば、「加速度の差異が最大で１．２Ｇ以下である場合に動作が一致するものと認める」と定める認証基準）に照らして一致することを認証する場合に、動作認証（視聴覚認証システム）１０３ｂ（図５参照）（３次情報）を出力する。
【０１８０】
図９に示す受信情報加工手段４５が有する動作の認証部４５ｂが出力する動作認証（視聴覚認証システム）１０３ｂ（図５参照）（３次情報）は、認証記録手段５３（図８参照）により認証記録１０７（図５参照）を構成する情報として集積されて記録される。このため、視聴覚の認証主体は動作認証（視聴覚認証システム）１０３ｂ（３次情報）に基づき、視聴者による視聴覚番組の視聴を認証することができる。
【０１８１】
もっとも、図９に示す受信情報加工手段４５が有する動作の認証部４５ｂがおこなう動作の認証と、視聴覚端末２０（図１参照）が備える信号化手段２４（図１参照）が有する動作の認証部２４ａ（図１参照）がおこなう動作の認証とは、同様の情報処理であるものということができる。このため、視聴覚認証システム４０（図８参照）が備える受信情報加工手段４５が動作の認証部４５ｂを有する場合には、視聴覚端末２０が備える信号化手段２４が有する動作の認証部２４ａは不要である。もっとも、視聴覚認証システム４０と視聴覚端末２０との双方において同様の情報処理をおこなうように設けて、相互に情報処理の検証をおこなうものとしてもよい。
【０１８２】
また、図９に示す受信情報加工手段４５は、第１の時間の認証部４５ｃを有するように設けられている。また、視聴覚認証システム４０（図８参照）は、視聴覚認証システム４０が制御処理をおこなう時刻を出力するクロック４９（図８参照）を備えるように設けられている。視聴覚認証システム４０が備える受信情報加工手段４５が有する第１の時間の認証部４５ｃは、クロック４９が出力する動作指示情報送信手段４３（図８参照）により動作指示情報１０１（図３参照）を送信した時刻（送信時刻）から同じくクロック４９が出力する受信手段４４（図８参照）により視聴覚端末２０（図１参照）が送信する視聴覚端末２０が備えるモーションセンサ２３（図１参照）により検出した検出結果から得られる視聴者の応答動作に関する情報を受信した時刻（受信時刻）までの視聴者との通信に要した時間（２次情報）が視聴覚の認証主体が定める所定の時間の範囲内（例えば、認証基準が「視聴者との通信に要した時間は５分間以内を適正であるものと認める」と定める場合に、５分間以内）であることを認証するように設けられている。
【０１８３】
図９に示す受信情報加工手段４５が有する第１の時間の認証部４５ｃは、そのように認証した場合に、視聴者との通信に要した時間（２次情報）が適正であるものと認めて、視聴者との通信に要した時間に基づく時間認証（視聴覚認証システム）１０４ｂ（図５参照）（３次情報）を出力するように設けられている。また、視聴覚認証システム４０（図８参照）が備える認証記録手段５３（図８参照）は、受信情報加工手段４５が有する第１の時間の認証部４５ｃが出力する視聴者との通信に要した時間に基づく時間認証（視聴覚認証システム）１０４ｂ（３次情報）を認証記録１０７（図５参照）を構成する情報として記録するように設けられている。
【０１８４】
このため、視聴覚の認証主体は、図９に示す受信情報加工手段４５が有する第１の時間の認証部４５ｃを用いるとともに、視聴覚の認証主体が有する視聴覚認証システム（図８参照）が備えるクロック４９（図８参照）が出力する時刻を適切な時刻に保つことにより、視聴覚の認証主体が管理する客観的な時刻により視聴者による視聴覚番組の視聴の認証をおこなうことができる。このように、視聴覚認証システム４０が備える受信情報加工手段４５が第１の時間の認証部４５ｃを有する場合には、視聴覚端末２０（図１参照）においては、視聴覚端末２０が備える信号化手段２４（図１参照）が時間の認証部２４ｃ（図２参照）を有することは不要である。もっとも、視聴覚認証システム４０と視聴覚端末２０との双方において同様の情報処理をおこなうように設けることにより、相互に情報処理の検証をおこなうように設けるものとしてもよい。
【０１８５】
また、図９に示す受信情報加工手段４５は第２の時間の認証部４５ｄを有する。この第２の時間の認証部４５ｄは、視聴者が応答に要した時間に基づく時間認証（視聴覚認証システム）１０４ｂ（図５参照）（３次情報）を出力するように設けられている。時間認証は視聴者が応答に要した時間（２次情報）が適正であるものと認める認証である。視聴者が応答に要した時間が適正であるものと認める認証は、視聴者が応答に要した時間（２次情報）が所定の時間の範囲内（例えば、認証基準が「視聴者が応答に要した時間は３分間以内を適正であるものと認める」と定める場合に、３分間以内）である場合にされる。ここで、視聴者が応答に要した時間は、視聴覚認証システム４０（図８参照）が備える受信手段４４（図８参照）により受信した視聴者が操作する視聴覚端末２０（図１参照）が備えるクロック２８（図１参照）が出力する動作指示手段２２（図１参照）により視聴者に動作を指示した時刻から受信手段４４により受信した視聴者が操作する視聴覚端末２０が備えるクロック２８が出力する視聴者の応答動作を視聴覚端末２０が備えるモーションセンサ２３（図１参照）により検出した時刻までの時間である。
【０１８６】
この場合には、図９に示す受信情報加工手段４５が有する第２の時間の認証部４５ｄは、視聴覚認証システム（図８参照）が備える受信手段４４（図８参照）により、視聴覚端末２０（図１参照）が備えるクロック２８（図１参照）が出力する視聴覚端末２０（図１参照）が制御処理をおこなう時刻を受信する。前記時刻は、視聴覚端末２０（図１参照）が備える送信手段２９（図１参照）により送信されたモーションセンサ２３（図１参照）により検出した検出結果（１次情報）から得られる視聴者の応答動作に関する情報として受信される。また、受信手段４４により受信した視聴覚端末２０が備えるクロック２８が出力する時刻に基づき、視聴者が応答に要した時間（２次情報）を算出する。併せて、認証基準に基づいて、視聴者が応答に要した時間に基づく時間認証（視聴覚認証システム）１０４ｂ（図５参照）（３次情報）を出力する。
【０１８７】
このように、視聴覚認証システム４０（図８参照）と視聴覚端末２０（図１参照）とが連携して情報処理をおこなうことにより、視聴覚の認証主体は、視聴者による視聴覚番組の視聴を認証するように視聴覚認証システム４０（図８参照）及び視聴覚端末２０（図１参照）を設けることができる。この場合には、視聴覚認証端末２０（図１参照）が備える信号化手段２４（図１参照）が時間の認証部２４ｃ（図２参照）を有している必要はない。
【０１８８】
ここで図８に戻って、視聴覚認証システム４０が有する視聴者認証について説明する。視聴覚認証システム４０が備える応答動作記録手段４６は、前述の視聴者が操作する視聴覚端末２０（図１参照）が備える応答動作記録手段２５（図１参照）と同様に、受信手段４４が受信した（さらに、受信情報加工手段４５が出力した）視聴者が操作する視聴覚端末２０が備えるモーションセンサ２３（図１参照）が最後に検出した検出結果（１次情報）を応答動作記録手段４６に接続された大容量記憶装置（ハードディスク）である応答動作履歴データベース５２に記録するデータベース管理システムである。このため、応答動作履歴データベース５２は、受信手段４４が受信した（受信情報加工手段４５が出力した）全ての視聴者が操作する視聴覚端末２０（図１参照）が備えるモーションセンサ２３（図１参照）が検出した検出結果（１次情報）を応答動作履歴として記録しておくことができるように設けられている。もっとも、応答動作記録手段４６は、受信手段４４が受信した視聴者が操作する視聴覚端末２０が備えるモーションセンサ２３が検出した検出結果（１次情報）のみでなく、検出結果（１次情報）から派生した派生情報（例えば、１次情報を受信情報加工手段４５により数値解析をおこなうことで加工した派生情報）を記録するように設けるものとしてもよい。
【０１８９】
また、図８に示す応答動作記録手段４６は、前述の視聴者が操作する視聴覚端末２０（図１参照）が備える応答動作記録手段２５（図１参照）と同様に、応答動作履歴データベース５２が記録する応答動作履歴（視聴者が操作する視聴覚端末２０（図１参照）が備えるモーションセンサ２３（図１参照）が検出した検出結果（１次情報又は１次情報から派生した派生情報））の情報を任意の検索条件により検索して抽出することができるように設けられている。このようにして、同一の視聴者がおこなった同一の動作の指示に基づく他の検出結果（１次情報又は１次情報から派生した派生情報）を応答動作履歴から検索して抽出することができる。
【０１９０】
ここで、図８に示す受信手段４４により受信された（あるいは、さらに受信情報加工手段４５により情報が加工された）モーションセンサ２３（図１参照）により検出した検出結果（１次情報又は１次情報から派生した派生情報）は、動作応答情報１０２（図４参照）を構成する「応答動作」の情報として応答動作履歴データベース５２に記録されるように設けられている。また、動作応答情報１０２を構成する情報としては、動作応答情報１０２に対応する情報である動作指示情報１０１（図３参照）が記録されている。さらに、動作指示情報１０１を構成する情報としては、「視聴者ＩＤ」、「指示動作」、「指示ＩＤ」の情報が記録されている。このため、応答動作記録手段４６は、「視聴者ＩＤ」及び「指示動作」が同一で、かつ、「指示ＩＤ」が異なることを検索条件として応答動作履歴を検索することで、同一の視聴者がおこなった同一の動作の指示に基づく他の検出結果（動作応答情報１０２を構成する「応答動作」の情報）を検索して抽出することができる。
【０１９１】
また、図８に示す応答動作比較手段４７は、前述の視聴者が操作する視聴覚端末２０（図１参照）が備える応答動作比較手段２６（図１参照）と同様に、モーションセンサ２３（図１参照）が最後に検出した検出結果（動作応答情報１０２（図４参照）を構成する「応答動作」の情報）と応答動作記録手段４６により検索されて抽出された他の検出結果（動作応答情報１０２を構成する「応答動作」の情報）とを比較するように設けられている。応答動作比較手段４７は、複数の動作応答情報１０２を相互に比較することによりモーションセンサ２３により検出した検出結果（１次情報又は１次情報から派生した派生情報）の差異を定量的に把握することができる。
【０１９２】
また、図８に示す視聴者認証手段４８は、前述の視聴者が操作する視聴覚端末２０（図１参照）が備える視聴者認証手段２７（図１参照）と同様に、応答動作比較手段４７により定量的に把握された「応答動作」の差異を視聴覚の認証主体が定める所定の基準に照らして評価する認証装置である。視聴者認証手段４８は、モーションセンサ２３が最後に検出した検出結果（動作応答情報１０２（図４参照）を構成する「応答動作」の情報）と応答動作記録手段４６により検索されて抽出された他の検出結果（動作応答情報１０２を構成する「応答動作」の情報）との「応答動作」の差異（２次情報）が視聴覚の認証主体が定める基準の範囲内である（例えば、認証基準が「加速度の差異が最大で１．２Ｇ以下の場合に視聴者が同一であるものと認める」と定める場合に、加速度の差異が最大で１．２Ｇ以下）と認める場合に、最後に応答動作をおこなった視聴者を、番組提供主体が視聴覚番組を提供する視聴者本人であるものと認証するように設けられている。また、視聴者認証手段４８は、最後に応答動作をおこなった視聴者が視聴者本人であるものと認証する場合に、視聴者認証（視聴覚認証システム）１０６ｂ（図５参照）（３次情報）を出力するように設けられている。また、出力された視聴者認証（視聴覚認証システム）１０６ｂ（３次情報）を、認証記録手段５３により認証記録１０７（図５参照）を構成する情報として記録するように設けられている。
【０１９３】
なお、図８に示す視聴覚認証システム４０が、応答動作記録手段４６、動作応答比較手段４７、視聴者認証手段４８、応答動作履歴データベース５２を備える場合には、視聴覚端末２０（図１参照）は、応答動作記録手段２５（図１参照）、動作応答比較手段２６（図１参照）、視聴者認証手段２７（図１参照）、応答動作履歴データベース３１（図１参照）を備える必要がない。もっとも、視聴覚認証システム４０と視聴覚端末２０（図１参照）との双方において同様の情報処理をおこなうように設けることにより、相互に情報処理の検証をおこなうものとしてもよい。
【０１９４】
ここで図１０を参照して、視聴覚認証システム４０（図８参照）を制御するための制御プログラムについて説明する。視聴覚認証システム４０が備えるマイクロ・プロセッサ５０（図８参照）は視聴覚認証システム４０を制御するための制御プログラムに従い、視聴覚認証システム４０を制御するためのプログラムの実行手順を例示する図１０に示すフローチャートに示す手順により処理をおこなうように設けられている。なお、番組送信手段４１（図８参照）、動作指示情報作成手段４２（図８参照）、動作指示情報送信手段４３（図８参照）、受信手段４４（図８参照）、受信情報加工手段４５（図８参照）、応答動作記録手段４６（図８参照）、応答動作比較手段４７（図８参照）、視聴者認証手段４８（図８参照）、クロック４９（図８参照）、番組データベース５１（図８参照）、応答動作履歴データベース５２（図８参照）、認証記録手段５３（図８参照）についての詳細な機能については、既に説明したので重複した説明を省略する。
【０１９５】
図１０のフローチャートを参照して、本発明の第二の実施の形態に係る視聴覚認証システム４０を制御するためのプログラムの実行手順の例を説明する。本プログラムでは、まず、視聴者が操作する視聴覚端末２０（図１参照）から視聴覚認証システム４０（図８参照）に送信される視聴者による番組送信要求１００に基づき、視聴覚番組の番組提供主体により提供される番組データベース５１（図８参照）に記録された視聴覚番組の情報を番組送信手段４１（図８参照）を用いて視聴者が操作する視聴覚端末２０に送信する（ステップＳ０１）。続いて、動作指示情報作成手段４２（図８参照）を用いて、視聴覚番組を提供する番組提供主体が視聴覚番組に固有のタイミングにおいて視聴者に所定の動作を要求する情報によりなる視聴覚番組に固有の動作指示情報１０１（図３参照）を作成する（ステップＳ０２）。続いて、動作指示情報送信手段４３（図８参照）を用いて、動作指示情報１０１を視聴者が操作する視聴覚端末２０に送信する（ステップＳ０３）。続いて、視聴者が操作する視聴覚端末２０が備える送信手段２９（図１参照）により送信される、動作応答情報１０２（図４参照）を受信手段４４（図８参照）を用いて受信する（ステップＳ０４）。ここで受信される動作応答情報１０２は、視聴覚端末２０について説明したように、動作指示情報１０１（図３参照）に対応して視聴者がおこなった応答動作を視聴覚端末２０が備えるモーションセンサ２３により検出した検出結果（１次情報）から得られる視聴者の応答動作に関する情報である。続いて、受信情報加工手段４５（図８参照）が有する動作解析特定部４５ａ（図９参照）を用いて、動作応答情報１０２を構成する「応答動作」の情報を数値解析することにより、視聴者の応答動作を特定する。また、受信情報加工手段４５が有する動作の認証部４５ｂ（図９参照）を用いて、視聴者がおこなった応答動作と動作指示情報送信手段４３により指示した動作とが一致することを認証（３次情報）する（ステップＳ１０）。続いて、認証記録手段５３（図８参照）に視聴者が操作する視聴覚端末２０から返信された動作応答情報１０２並びに動作認証（視聴覚端末）１０３ｂ（図５参照）（３次情報）を視聴者による視聴覚番組の視聴を認証するために記録するとともに、視聴者に動作認証の成功を伝達する（ステップＳ１１）。もちろん、視聴覚認証システム４０の実行制御処理においては、以上に挙げた主要な実行処理のほかに補助的な制御又は実行処理を含むものとすることもできる。
【０１９６】
図１０に示す本制御プログラムにおいては、さらに、応答動作記録手段４６（図８参照）を用いて動作応答情報１０２（図４参照）を応答動作履歴データベース５２（図８参照）に記録する処理（ステップＳ０６）が設けられている。続いて、応答動作情報記録手段４６を用いて、同一の動作指示情報１０１（図３参照）の指示に従って同一の視聴者が以前におこなった他の応答動作履歴に記録される動作応答情報１０２を構成する「応答動作」の情報を検索するとともに、動作応答比較手段４７（図８参照）を用いて最後に検出された動作応答情報１０２を構成する「応答動作」の情報と応答動作情報記録手段４６により検索された他の動作応答情報１０２を構成する「応答動作」とを比較する処理（ステップＳ０７）が設けられている。また続いて、視聴者認証手段４８（図８参照）を用いて、動作応答比較手段４７による比較の結果に基づき、最後に検出された動作応答情報１０２を送信した視聴者が、視聴覚番組の番組提供主体が視聴覚番組の提供の対象とする視聴者本人であることを認証して視聴者認証（視聴覚認証システム）１０６ｂ（図５参照）（３次情報）を出力する処理（ステップＭ０８）が設けられている。また、視聴者に視聴者認証手段４８による視聴者認証に成功したことを通信により通知するとともに、認証記録手段５３（図８参照）を用いて視聴者認証（視聴覚認証システム）１０６ｂ（図５参照）（３次情報）を認証記録１０７（図５参照）を構成する情報として記録する処理（ステップＳ０９）が設けられている。
【０１９７】
また一方で、本制御プログラムにおいては、視聴者認証手段４８（図８参照）による視聴者の認証に失敗した場合に、視聴者に視聴者の認証に失敗した旨を伝達する処理（ステップＳ２１）と、受信情報加工手段４５（図８参照）が備える動作の認証部４５ｂ（図９参照）による動作の認証に失敗した場合に、視聴者に動作の認証に失敗した旨を伝達する処理（ステップＳ２２）とを含むように設けられている。もっとも、以上に示したプログラムは、さらに多様な補助的な処理を含むように設けるものとすることもできる。
【０１９８】
［実施例３］
以下、本発明の第三の実施の形態について詳述する。図１１は、本発明の第三の実施の形態に係る視聴覚端末６０の基本構成を例示するブロック図である。視聴覚端末６０は、視聴覚番組の視聴者が片手で手軽に把持して所持並びに操作することができる携帯端末である。視聴覚端末６０は、再生手段６１と、再生検出手段６２と、クロック６３と、記録手段６４と、送信手段６５と、視聴解析手段６６と、視聴認証手段６７の各装置を備える。また、視聴覚端末６０は、視聴覚端末６０の制御をおこなう制御装置であるマイクロ・プロセッサ７０を備える。また、再生手段６１、再生検出手段６２、クロック６３、送信手段６５、視聴解析手段６６、視聴認証手段６７には、それぞれの機能を支援するためのランダム・アクセス・メモリ（ＲＡＭ）７１がそれぞれに設けられている。視聴覚端末６０が備える各装置の機能の詳細については以下に順次説明する。
【０１９９】
図１１に示す再生手段６１は、放送、再生可能な記録媒体又は電気通信回線（電気通信回線）のいずれかを介して視聴覚番組の番組提供主体により提供される視聴覚番組を映像と音声とにより視聴者に提示することができる液晶表示画面（不図示）と空気伝導スピーカー（不図示）とを有する視聴覚再生装置である。
【０２００】
図１１に示す再生手段６１は、視聴覚端末２０（図１参照）が備える再生手段２１（図１参照）と同様に、放送される視聴覚番組を受信することができるチューナ（不図示）を有する。また、再生手段６１は、再生手段２１と同様に、マルチメディア・プレイヤ（不図示）を有する。また、再生手段６１は、再生手段２１と同様に、無線情報通信機（無線ＬＡＮ通信機（ルーター））（不図示）を有する。このため、再生手段６１は、公衆無線ＬＡＮ（不図示）に無線通信により接続するとともに、ストリーミング（ストリーム配信）により視聴覚番組を再生することができる。もっとも、再生手段６１は、視聴覚端末２０が備える再生手段２１と同様に、プラズマ表示画面を設けるものとしてもよいし、有機エレクトロルミネッセンス表示画面を有するものとしてもよい。あるいはまた、骨伝導スピーカーを有するものとしてもよいし、もちろん、音声を用いることなく字幕表示のみにより視聴覚番組を提示するものとしてもよい。また、再生手段６１がおこなう情報通信は、視聴覚端末２０（図１参照）が備える再生手段２１（図１参照）と同様にあらゆる規格の無線又は有線による情報通信をおこなうことができるように設けることができる。
【０２０１】
また、図１１に示す再生手段６１を用いた視聴覚番組の再生に際しては、番組提供主体が提供する視聴覚番組の情報の中に、視聴者による視聴覚番組の視聴を確認する目的で、番組提供主体によって所定の時間の間隔で（本実施の形態では、一定の周期で）設けられる視聴覚番組の番組進行時間を画定する信号である示す再生認証ポイント１１０（図１２参照）が設けられて視聴者への視聴覚番組の提供がなされている。
【０２０２】
ここで図１２を参照して、再生認証ポイント１１０を構成する情報について説明する。再生認証ポイント１１０には「番組ＩＤ」、「認証ＩＤ」、「視聴者ＩＤ」、「送信時刻」、「周期情報」、「検出時刻」、「返信時刻」、「認証基準」の情報が含まれている。ここで「番組ＩＤ」の情報は視聴覚番組に固有に付されるように設けられている。「番組ＩＤ」は、視聴覚の認証主体が提供する視聴覚番組の中から一の視聴覚番組を識別するために視聴覚の認証主体により与えられる情報である。
【０２０３】
図１２に示す再生認証ポイント１１０を構成する「認証ＩＤ」の情報は、一の視聴覚番組に設けられる再生認証ポイント１１０を個別に識別するために視聴覚の認証主体により与えられる情報である。「認証ＩＤ」は、一の視聴覚番組において与えられる再生認証ポイント１１０の総数と、一の視聴覚番組において１から始まる連続昇順番号とにより構成されるように設けられている。具体的に例えば、９０分間の番組進行時間からなる視聴覚番組に再生認証ポイント１１０を１分間隔で設置する本実施の形態の場合においては、一の視聴覚番組において与えられる再生認証ポイント１１０の総数が９０個であるため、最初に作成される再生認証ポイント１１０の「認証ＩＤ」は、「１／９０」として与えることができる。
【０２０４】
図１２に示す再生認証ポイント１１０を構成する「視聴者ＩＤ」の情報は、視聴覚番組の番組提供主体が視聴覚番組の提供の対象とする視聴者本人に対して、視聴覚の認証主体が発行する固有の情報である。なお、本実施の形態では、「視聴者ＩＤ」は「視聴者ＩＤ」に固有の「パスワード」（視聴者簡易認証情報）（不図示）とともに視聴覚の認証主体により発行されるように設けられている。本実施の形態では、「視聴者ＩＤ」並びに「視聴者ＩＤ」に固有の「パスワード」（視聴者簡易認証情報）は、いずれも２０文字の英数テキスト文字列によりなる文字列情報により構成されている。もっとも、「視聴者ＩＤ」並びに「パスワード」の情報の構成は２０文字の英数テキスト文字列に限られることなく、視聴覚の認証主体が適宜決定することができる。
【０２０５】
図１２に示す再生認証ポイント１１０を構成する「送信時刻」の情報は、後に詳述する視聴覚の認証主体が有する視聴覚認証システム８０（図１６参照）が視聴者に視聴覚番組とともに再生認証ポイント１１０を送信した時刻が記録された情報である。「送信時刻」から後に詳述する「検出時刻」（視聴者が操作する視聴覚端末６０（図１１参照）が備えるクロック６３（図１１参照）が出力する再生検出手段６２（図１１参照）が再生認証ポイント１１０を検出した時刻）までの時間を把握することにより、視聴覚の認証主体は、視聴覚端末６０と視聴覚認証システム８０との間において要する通信時間を概略において把握することができる。
【０２０６】
図１２に示す再生認証ポイント１１０を構成する「周期情報」の情報は、後に詳述する視聴覚認証システム８０（図１６参照）が備える再生認証ポイント設置手段８１（図１６参照）により再生認証ポイント１１０が設置された番組進行時間に対する時間の間隔（周期）が記録されている。視聴覚端末６０（図１１参照）並びに視聴覚認証システム８０は、「周期情報」を参照することにより、再生認証ポイント１１０が設置された視聴覚番組の部分における番組進行時間を把握することができる。
【０２０７】
図１２に示す再生認証ポイント１１０を構成する「検出時刻」の情報は、後に詳述するように視聴覚端末６０（図１１参照）が備えるクロック６３（図１１参照）が出力する再生検出手段６２（図１１参照）により再生認証ポイント１１０が検出された時刻が記録された情報である。後に詳述するように、視聴覚端末６０（図１１参照）並びに視聴覚認証システム８０は、「検出時刻」の情報に基づいて視聴者による視聴覚番組の再生時刻並びに再生時間を把握することができる。
【０２０８】
図１２に示す再生認証ポイント１１０を構成する「返信時刻」の情報は、視聴覚端末６０（図１１参照）が備える送信手段６５（図１１参照）が再生認証ポイント１１０を視聴覚の認証主体が有する視聴覚認証システム８０（図１６参照）に返信した時刻が記録された時刻の情報である。視聴覚認証システム８０は、「返信時刻」の情報に基づいて視聴者による視聴覚番組の再生時刻並びに再生時間を把握することができる。また、「返信時刻」の情報は、「送信時刻」の情報と同様に、視聴覚端末６０と視聴覚認証システム８０との間において要する通信時間を概略において把握するために用いることもできる。
【０２０９】
図１２に示す再生認証ポイント１１０を構成する「認証基準」の情報は、視聴覚の認証主体が定める視聴覚番組の「最大再生速度」並びに「最小再生時間」が記録された情報である。「最大再生速度」は、視聴覚の認証主体が認める適正な視聴覚番組の再生速度を規定する。視聴者が視聴覚番組を視聴覚番組の内容を把握することができないような再生速度で早送りして再生した場合には、認証基準に基づき、早送りして再生された部分の視聴を認証することができない。また、「最小再生時間」は、視聴覚番組の番組再生時間を基準として視聴者が視聴すべき視聴覚番組の最小時間を規定する。「最小再生時間」は、視聴者が適切な再生速度で再生した視聴覚番組の部分の番組進行時間が積算されて算出されるように設けられている。視聴覚端末６０（図１１参照）と視聴覚認証システム８０（図１６参照）とは、これらの情報によりなる再生認証ポイント１１０を相互に情報通信することにより、視聴者による視聴覚番組の視聴の認証をおこなうことができるように設けられている。もっとも、再生認証ポイント１１０は他の情報の構成により設けるものとしてもよい。
【０２１０】
ここで図１３を参照して、再生認証ポイント１１０（図１２参照）を所定の時間の間隔に配置する方法について説明する。図１３（ａ）は本実施の形態における再生認証ポイント１１０の時間的な配置を示す。再生認証ポイント１１０は、視聴覚番組内の時間軸上の点１１０ａに設けられている。本実施の形態においては、視聴覚の認証主体が定める再生認証ポイント１１０を配置する所定の時間の間隔（各点１１０ａ間の間隔）は、視聴覚番組の全ての番組進行時間を通じて６０秒間隔であるものと定められている。なお、図１３（ａ）に示す再生認証ポイント１１０の設置間隔は視聴覚番組の番組進行時間の一部を抜粋して図示しているものである。
【０２１１】
図１３（ａ）に示す時間の間隔において設置される、図１２に示すような各情報を含む再生認証ポイント１１０の存在は視聴者に意識されることがない。しかしながら、本実施の形態を視聴覚番組の視聴者に対しても開示することを考え合わせ、再生認証ポイント１１０が設置される所定の時間の間隔の情報を視聴者に対して秘匿するように設けるものとしてもよい。例えば、図１３（ｂ）に示す再生認証ポイント１１０の配置の例のように、一定の周期（区間）に設けられた再生認証ポイント１１０の配置の間隔（一定間隔で設置された時間軸上の点１１０ａの間の間隔）の間に乱数を用いてアトランダムに配置した再生認証ポイント１１０（アトランダムな間隔で設置された時間軸上の点１１０ｂ）を多数設けるような入れ子構造の配置の間隔に再生認証ポイント１１０を配置するように設けることで、再生認証ポイント１１０の配置の間隔を視聴覚番組の視聴者に悟られにくいものとするように設けるものとしてもよい。このとき、アトランダムな配置を乱数表を用いて行うと、再生認証ポイントはあたかも視聴覚番組の指紋のように機能し、各視聴覚番組に固有の情報となる。
【０２１２】
図１３（ｂ）に示す再生認証ポイント１１０（図１２参照）の配置の間隔を視聴者に悟られにくいものとすることは、視聴覚の認証主体が視聴者の不正を疑うことによりおこなうものではない。視聴覚の認証主体が客観的な立場を堅持することにより、視聴覚の認証主体による視聴の認証の客観性を高め、視聴覚の認証主体による客観的な視聴の認証を得ることの利益を視聴覚番組の視聴者に還元するために、再生認証ポイント１１０を配置する時間の間隔を視聴者に秘匿するように設けるものである。
【０２１３】
あるいは、同じ理由から、図１３（ｃ）に示す再生認証ポイント１１０（図１２参照）の配置の例のように、再生認証ポイント１１０を等間隔に配置することなく、完全にアトランダムな時間の間隔に再生認証ポイント１１０を設けるものとしてもよい。
【０２１４】
また、図１３（ｄ）に図示する配置のように、再生認証ポイント１１０（図１２参照）を設けるものとしてもよい。図１３（ｄ）に図示する配置の例においては、まず、アトランダムに時間の間隔（区間）を定め、さらに、アトランダムに定めた時間の間隔（区間）の間に、それぞれ周期の異なる等時間間隔に配置間隔が設けられるような入れ子構造の配置間隔に、有効な再生認証ポイント１１０（主信号）が設けられている。また、有効な再生認証ポイント１１０（主信号）は、図１３（ｄ）においては番組進行時間軸の下側に図示される無効な再生認証ポイント１１０（ダミー信号）とともに設けられている。また、視聴覚番組の番組進行時間は、有効な再生認証ポイント１１０（主信号）にのみ対応するように設けられている。一方、無効な再生認証ポイント１１０（ダミー信号）は有効な再生認証ポイント１１０（主信号）が設けられた周期を視聴覚番組の視聴者に偽装するように、アトランダムな時間の間隔（区間）毎にアトランダムに異なる等時間間隔において、有効な再生認証ポイント１１０（主信号）に重畳されて設けられている。
【０２１５】
図１３に示す再生認証ポイント１１０（図１２参照）の配置間隔は、視聴覚の認証主体が把握する所定の時間の間隔であれば、どのような配置間隔にも設けるものとすることができる。以上に挙げた例のほかにも、例えば、配置間隔を等比級数間隔に設けることもできるし、あるいは、視聴覚番組の内容に沿って、視聴覚番組の番組内容の重要な部分に再生認証ポイント１１０を配置するように設けるものとしてもよい。
【０２１６】
図１３に示す所定の時間の間隔による再生認証ポイント１１０（図１２参照）の配置は、本実施の形態においては、視聴覚の認証主体が有する専用サーバーである視聴覚認証システム８０（図１６参照）が備える再生認証ポイント設置手段８１（図１６参照）によりおこなわれるように設けられている。再生認証ポイント設置手段８１は、大容量記憶装置（ハードディスク）である番組データベース９１（図１６参照）に記録される視聴覚番組の情報に、所定の時間の間隔において、再生認証ポイント１１０の情報を重畳して書き込むように設けられている。なお、この際、再生認証ポイント１１０が設置される所定の時間の間隔（周期）の情報は、再生認証ポイント１１０の情報を構成する「周期情報」の情報に視聴覚の認証主体により暗号化されて記録されるように設けられている。本実施の形態の場合には、それぞれの再生認証ポイント１１０の情報を構成する「周期情報」の情報に「設置周期は６０秒」として再生認証ポイント１１０が設置された周期の情報が記録されている。
【０２１７】
あるいは、図１３（ｄ）に示す場合のように、有効な再生認証ポイント１１０（図１２参照）（主信号）と無効な再生認証ポイント１１０（図１２参照）（ダミー信号）とを設ける場合には、有効な再生認証ポイント１１０（主信号）の周期の情報には、有効な再生認証ポイント１１０（主信号）を構成する「周期情報」の情報として「周期６０秒の有効な再生認証ポイント」との情報を記録するものとすればよい。一方、無効な再生認証ポイント１１０（ダミー信号）の周期の情報には、同じく無効な再生認証ポイント１１０（ダミー信号）を構成する「周期情報」の情報として「周期１５秒の無効な再生認証ポイント」との情報が記録するものとすればよい。
【０２１８】
図１１に戻って視聴覚端末６０について説明する。図１１に示す再生検出手段６２は、視聴者による再生手段６１を用いた再生操作により再生された視聴覚番組の情報の中から視聴覚番組を提供する番組提供主体により視聴覚番組内に所定の時間の間隔で（本実施の形態においては、番組進行時間に対して６０秒間隔の一定の周期で）設けられた視聴覚番組の番組進行時間を画定する信号である再生認証ポイント１１０（図１２参照）を検出する情報処理装置である。本実施の形態では、視聴者が標準の再生速度で視聴覚番組を視聴する場合には、再生検出手段６２は、６０秒間隔に再生認証ポイント１１０を検出することとなる。
【０２１９】
あるいは、図１１に示す再生検出手段６２は、視聴覚番組に有効な再生認証ポイント１１０（図１２参照）（主信号）（図１３（ｄ）参照）と無効な再生認証ポイント１１０（図１２参照）（ダミー信号）（図１３（ｄ）参照）とが設けられる場合には、有効な再生認証ポイント１１０（主信号）並びに無効な再生認証ポイント１１０（ダミー信号）の双方を検出するように設けるものとすればよい。もっとも、再生検出手段６２により有効な再生認証ポイント１１０（主信号）のみを選別して検出するように設けるものとしてもよい。有効な再生認証ポイント１１０（主信号）は、再生認証ポイント１１０（図１２参照）を構成する情報である「周期情報」の情報に、視聴覚の認証主体により暗号化されて記録される情報である有効な再生認証ポイント１１０（主信号）の周期の情報を参照することで識別して検出することができる。
【０２２０】
また、図１１示すクロック６３は、再生検出手段６２により再生認証ポイント１１０（図１２参照）が検出された時刻を出力するように設けられている。また、クロック６３が出力する時刻は、再生認証ポイント１１０を構成する「検出時刻」に記録されるように設けられている。本実施の形態においては、視聴者が標準の再生速度で視聴覚番組を視聴する場合には、クロック６３は、６０秒間隔で「検出時刻」を出力することとなる。
【０２２１】
あるいは、図１１に示すクロック６３は、視聴覚番組に有効な再生認証ポイント１１０（図１２参照）（主信号）（図１３（ｄ）参照）と無効な再生認証ポイント１１０（図１２参照）（ダミー信号）（図１３（ｄ）参照）とが設けられる場合には、再生検出手段６２が有効な再生認証ポイント１１０（主信号）及び無効な再生認証ポイント１１０（ダミー信号）の双方を検出した際に時刻を出力するように設けるものとしてもよい。もっとも、クロック６３により有効な再生認証ポイント１１０（主信号）のみを選別して時刻を出力するように設けるものとしてもよい。有効な再生認証ポイント１１０（主信号）は、再生認証ポイント１１０を構成する情報である「周期情報」の情報に、視聴覚の認証主体により暗号化されて記録される情報である有効な再生認証ポイント１１０（主信号）の周期の情報を参照することで識別することができる。
【０２２２】
また、図１１に示す送信手段６５は、視聴者が視聴覚番組を正常に視聴していることを認証する視聴覚の認証主体に伝達するために、再生認証ポイント１１０（図１２参照）を視聴覚の認証主体に送信する情報通信装置である。具体的には送信手段６５は、公衆無線ＬＡＮ（不図示）に接続された無線情報通信機（無線ＬＡＮ通信機（ルーター））である。本実施の形態においては、送信手段６５は、６０秒間隔で再生認証ポイント１１０を視聴覚の認証主体に送信することとなる。
【０２２３】
あるいは、送信手段６５は、視聴覚番組に有効な再生認証ポイント１１０（図１２参照）（主信号）（図１３（ｄ）参照）と無効な再生認証ポイント１１０（図１２参照）（ダミー信号）（図１３（ｄ）参照）とが設けられる場合には、有効な再生認証ポイント１１０（主信号）及び無効な再生認証ポイント１１０（ダミー信号）の双方を視聴覚の認証主体が有する視聴覚認証システム８０（図１６参照）に送信するように設けるものとしてもよい。もっとも、送信手段６５により有効な再生認証ポイント１１０（主信号）のみを選別して送信するように設けるものとしてもよい。有効な再生認証ポイント１１０（主信号）は、再生認証ポイント１１０を構成する情報である「周期情報」の情報に、視聴覚の認証主体により暗号化されて記録される情報である有効な再生認証ポイント１１０（主信号）の周期の情報を参照することで識別することができる。
【０２２４】
もっとも、図１１に示す送信手段６５による視聴覚認証システム８０（図１６参照）への情報の送信は、視聴覚端末２０（図１参照）が備える送信手段２９（図１参照）による視聴覚認証システム４０（図８参照）への情報の送信と同様に、視聴者による視聴覚番組の視聴中には情報の送信をおこなうことなく、記録手段６４により送信すべき情報を記録しておくとともに、視聴者による視聴覚番組の再生終了後に、一括して、一時に、視聴覚認証システム８０への情報の送信をおこなうように設けるものとしてもよい。
【０２２５】
また、図１１に示す視聴解析手段６６は、２以上の再生認証ポイント１１０（図１２参照）が検出された時刻から視聴者の再生操作履歴を解析する情報処理装置である。また、送信手段６５は、視聴解析手段６６により解析されて出力された再生操作履歴（視聴覚端末）１１１ａ（図１４参照）を、視聴者による視聴覚番組の視聴を認証するために、さらに視聴覚の認証主体に送信するように設けられている。
【０２２６】
図１１に示す視聴解析手段６６は、再生認証ポイント１１０（図１２参照）を構成する「周期情報」の情報に視聴覚の認証主体により暗号化されて記録される再生認証ポイント１１０が設けられた周期の情報を復号化して参照するように設けられている。また、視聴解析手段６６は、再生認証ポイント１１０を構成する「認証ＩＤ」の情報に記録される認証ＩＤ番号の順番に再生認証ポイント１１０を並べ、再生認証ポイント１１０の周期を積算するように設けられている。このため、視聴解析手段６６は、２以上の有効な再生認証ポイント１１０により画定された時間の区間における視聴覚番組の番組進行時間を算出することができる。
【０２２７】
あるいは、視聴解析手段６６は、視聴覚番組に有効な再生認証ポイント１１０（図１２参照）（主信号）（図１３（ｄ）参照）と無効な再生認証ポイント１１０（図１２参照）（ダミー信号）（図１３（ｄ）参照）とが設けられる場合には、有効な再生認証ポイント１１０（主信号）を構成する「周期情報」の情報に視聴覚の認証主体により暗号化されて記録される有効な再生認証ポイント１１０（主信号）の周期の情報を復号化して参照することにより、有効な再生認証ポイント１１０（主信号）の周期の情報のみを積算するように設けるものとすればよい。あるいは、視聴解析手段６６は、有効な再生認証ポイント１１０（主信号）を構成する「認証ＩＤ」の情報に格納される認証ＩＤ番号の順番に有効な再生認証ポイント１１０（主信号）を並べて、有効な再生認証ポイント１１０（主信号）の周期を積算するように設けるものとすればよい。この場合にも、視聴解析手段６６は、２以上の有効な再生認証ポイント１１０（主信号）により画定された時間の区間における視聴覚番組の番組進行時間を算出することができる。
【０２２８】
一方、図１１に示すクロック６３により出力された再生検出手段６２が再生認証ポイント１１０（図１２参照）を検出した時刻は、再生認証ポイント１１０を構成する「検出時刻」の情報として記録されている。再生認証ポイント１１０は、視聴覚番組に埋め込まれているときは、「検出時刻」は空欄（ブランク）であった。そこに後に検出された検出時刻が記録されることになる。「検出時刻」は、視聴者により視聴覚番組が再生された番組再生時刻であるものといえる。また、「検出時刻」に記録された番組再生時刻により視聴覚番組の視聴者がおこなった再生操作に従う視聴者による視聴覚番組の番組再生時間を画定することができる。このため、視聴解析手段６６は、２以上の有効な再生認証ポイント１１０（有効な再生認証ポイント１１０（主信号）についても同様）に挟まれた時間の区間における視聴者がおこなった再生操作に従う視聴者による視聴覚番組の番組再生時間を算出することができる。また、視聴解析手段６６は、再生認証ポイント１１０に記録された視聴覚番組の番組進行時間と視聴者による視聴覚番組の番組再生時間とを比較することにより、視聴者が再生手段６１を操作することにより、どのような再生速度で（何倍速の再生速度で）視聴覚番組を視聴したかということを算出することができる。
【０２２９】
図１１に示す視聴解析手段６６が視聴者による再生操作履歴を算出する一例を挙げる。例えば、２つの再生認証ポイント１１０（図１２参照）（有効な再生認証ポイント１１０（主信号）も同様）に挟まれた時間の区間において、後方の再生認証ポイント１１０を構成する「周期情報」の情報に視聴覚の認証主体により暗号化されて記録された情報が「設置周期は６０秒」（「有効な再生認証ポイント１１０（主信号）の設置周期は６０秒」も同様）であったとする。この場合には、２つの再生認証ポイント１１０に挟まれた時間の区間における視聴覚番組の番組進行時間は６０秒であるものということができる。一方、２つの有効な再生認証ポイント１１０を構成する「検出時刻」に記録された時刻の間隔（すなわち、視聴者による番組再生時間）が３０秒であったとする。この場合には、視聴解析手段６６は、視聴覚番組の番組進行時間と視聴者による番組再生時間との比較により、視聴者は視聴覚番組を２倍速の再生速度で再生して視聴していたものと視聴者による視聴覚番組の再生操作の履歴（再生操作履歴）（再生速度）を算出することができる。
【０２３０】
また、図１１に示す視聴解析手段６６は、再生認証ポイント１１０（図１２参照）を構成する情報である「認証ＩＤ」の情報を参照することができる。再生認証ポイント１１０を構成する情報である「認証ＩＤ」の情報には、一の視聴覚番組を通じて全ての再生認証ポイント１１０に昇順で連続する番号が与えられている。このため、視聴解析手段６６は、視聴者が視聴覚番組を再生して視聴した部分を特定することができる。このため、視聴解析手段６６は、視聴者による視聴覚番組の再生操作の履歴を、例えば、視聴者が番組進行時間において９０分間の視聴覚番組を最初の３０分間は標準の再生速度で再生し、続く３０分間は２倍速の再生速度で再生し、残る３０分間は４倍速で再生していた、というように、一の視聴覚番組を通じて視聴者が視聴覚番組を視聴した再生速度を明らかにすることができる。
【０２３１】
また、本実施の形態においては、視聴解析手段６６は、視聴者による再生操作の履歴（例えば、「２倍速で再生」の情報）を、再生認証ポイント１１０（図１２参照）により画定される視聴覚番組の部分（番組進行時間）に対応して、再生認証ポイント１１０と１対１の関係で再生操作履歴（視聴覚端末）１１１ａ（図１４参照）の情報を出力するように設けられている。なお、再生操作履歴（視聴覚端末）１１１ａの情報も、再生認証ポイント１１０の情報と同様に、再生認証ポイント１１０により与えられる「認証ＩＤ」の情報に基づいて個別に識別することができるように設けられている。このため、視聴者による視聴覚番組の部分の視聴の順序にかかわらず、再生認証ポイント１１０の情報に対応して、再生操作履歴（視聴覚端末）１１１ａの情報を順次出力することができる。
【０２３２】
このため、図１１に示す視聴解析手段６６は、再生認証ポイント１１０（図１２参照）の検出順序にかかわらず、例えば、視聴者が番組再生時間において９０分間の視聴覚番組を、まず、視聴覚番組の最後の３０分間の部分から２倍速の再生速度で視聴しはじめて、その後、視聴覚番組の最初の部分に戻って、残る６０分間の視聴覚番組の部分を標準の再生速度で視聴したというような場合でも、視聴者による再生操作の履歴を算出することができる。
【０２３３】
本実施の形態においては、図１１に示す視聴覚端末６０と視聴覚の認証主体が有する専用サーバーである視聴覚認証システム８０（図１６参照）との間の通信がおこないやすい情報の構造とするように、再生操作履歴（視聴覚端末）１１１ａ（図１４参照）を再生認証ポイント１１０（図１２参照）と１対１の関係で個別に作成するものとしているが、あるいは、視聴解析手段６６により、本実施の形態において、個別に作成された再生操作履歴（視聴覚端末）１１１ａの情報を、後に、一の視聴覚番組の単位でまとめることにより、一の視聴覚番組の単位において再生操作履歴を作成して出力するように設けるものとしてもよい。
【０２３４】
なお、図１１に示す視聴覚端末６０が備える視聴解析手段６６により再生操作履歴の出力を行う場合には、視聴覚の認証主体が有する視聴覚認証システム８０（図１６参照）が備える後に詳述する視聴解析手段８５は不要である。これらの機能は視聴覚端末６０及び視聴覚認証システム８０の協働により実現されればよいものであるから、視聴覚端末６０と視聴覚認証システム８０とが機能を適宜分担して備えるものとすればよい。もっとも、視聴覚端末６０と視聴覚認証システム８０との双方において同様の情報処理をおこなうように設けて、相互に情報処理の検証をおこなうものとしてもよい。
【０２３５】
また、図１１に示す視聴認証手段６７は、視聴解析手段６６により出力された再生操作履歴（視聴覚端末）１１１ａ（図１４参照）に基づき、視聴者が所定の範囲内の再生速度により所定の時間だけ視聴覚番組の視聴をおこなったことを認証する情報処理装置である。また、送信手段６５は、視聴認証手段６７により出力される視聴認証（視聴覚端末）１１４ａ（図１４参照）を視聴覚の認証主体が有する視聴覚認証システム８０（図１６参照）に送信するように設けられている。
【０２３６】
図１１に示す視聴認証手段６７は、再生認証ポイント１１０（図１２参照）に含まれる視聴覚の認証主体により与えられる「認証情報」の情報を参照することにより、視聴覚の認証主体が視聴者による視聴覚番組の視聴を認証するための認証基準を参照する。本実施の形態においては、認証基準として「最大再生速度」及び「最小再生時間」の情報（「再生速度２倍速以下の再生速度において番組進行時間で６０分間以上視聴すること」）が与えられている。もっとも、認証基準は視聴者の視聴覚番組の視聴を認証するために合理的な認証基準であれば、任意に定めることができる。
【０２３７】
ここで図１４を参照して、視聴覚端末６０（図１１参照）が備える送信手段６５（図１１参照）により視聴覚認証システム８０（図１６参照）に送信される情報について説明する。視聴覚端末６０から視聴覚認証システム８０に送信された情報は、視聴覚認証システム８０が備える認証記録手段９２（図１６参照）に認証記録１１５を構成する情報として記録される。認証記録１１５は、「認証ＩＤ」、「再生認証ポイント」、「再生操作履歴」、「受信時刻」、「記録時刻」、「視聴認証」の情報により構成されている。もっとも、認証記録１１５は他の情報の構成により設けるものとしてもよい。
【０２３８】
図１４に示す認証記録１１５を構成する「認証ＩＤ」の情報は、視聴者が操作する視聴覚端末２０より返信された再生認証ポイント１１０（図１２、図１３参照）毎に「認証ＩＤ」が付与されて認証記録がおこなわれるように設けられている。視聴者から返信される再生認証ポイント１１０については、視聴覚の認証主体が逐一認証判断をおこなうため、「認証ＩＤ」は、視聴覚の認証主体がおこなう認証判断毎に設けられているともいうことができる。視聴覚の認証主体は、「認証ＩＤ」毎にまとめられた再生認証ポイント１１０を構成する情報を分析することにより視聴者による視聴覚番組の視聴を認証することができる。
【０２３９】
図１４に示す認証記録１１５を構成する「再生認証ポイント」の情報には、視聴者より返信された再生認証ポイント１１０（図１２、図１３参照）の情報がそのまま記録されている。視聴覚の認証主体は、再生認証ポイント１１０を構成する情報を分析することにより視聴者による視聴覚番組の視聴を認証することができる。
【０２４０】
図１４に示す認証記録１１５を構成する「再生操作履歴」の情報には、視聴覚端末６０から送信された再生操作履歴（視聴覚端末）１１１ａが記録されている。視聴覚の認証主体は、再生操作履歴（視聴覚端末）１１１ａを参照することで、視聴者による視聴覚番組の再生操作を把握することができる。
【０２４１】
図１４に示す認証記録１１５を構成する「受信時刻」の情報には、視聴覚認証システム８０（図１６参照）が備えるクロック８４（図１６参照）が出力する視聴者が操作する視聴覚端末６０（図１１参照）から送信された再生認証ポイント１１０（図１２、図１３参照）を受信手段８３（図１６参照）が受信した時刻が記録されるように設けられている。視聴覚認証システム８０は、後に詳述するように、再生認証ポイント１１０を受信した時刻に基づき、視聴者による視聴覚番組の視聴を認証することができる。
【０２４２】
図１４に示す認証記録１１５を構成する「記録時刻」の情報には、視聴覚認証システム８０（図１６参照）が備える受信手段８３（図１６参照）により受信された視聴覚端末６０（図１１参照）が備える記録手段６４（図１１参照）が記録するクロック６３（図１１参照）が出力した再生検出手段６２（図１１参照）が再生認証ポイント１１０（図１２、図１３参照）を検出した時刻が記録されれるように設けられている。視聴覚認証システム８０は、後に詳述するように、視聴覚端末６０により記録された再生認証ポイント１１０を検出した時刻に基づき、視聴者による視聴覚番組の視聴を認証することができる。
【０２４３】
図１４に示す認証記録１１５を構成する「視聴認証」の情報には、視聴覚端末６０（図１１参照）から送信された再生操作履歴に基づく視聴認証（視聴覚端末）１１４ａが記録されている。視聴覚の認証主体は、再生操作履歴に基づく視聴認証（視聴覚端末）１１４ａに基づき、視聴者による視聴覚番組の視聴を認証することができる。
【０２４４】
なお、視聴覚端末６０（図１１参照）が備える視聴認証手段６７（図１１参照）により視聴認証の出力を行う場合には、視聴覚の認証主体が有する視聴覚認証システム８０が備える後に詳述する視聴認証手段８６（図１６参照）は不要である。これらの機能は視聴覚端末６０及び視聴覚認証システム８０の協働により実現されればよいものであるから、視聴覚端末６０と視聴覚認証システム８０とが機能を適宜分担して備えるものとすればよい。もっとも、視聴覚端末６０と視聴覚認証システム８０との双方において同様の情報処理をおこなうように設けるものとして、相互に情報処理の検証をおこなうものとしてもよい。
【０２４５】
また、他の実施の形態では、視聴覚端末６０（図１１参照）に視聴覚端末２０（図１参照）の機能を組み込んだ視聴覚端末６０ａ（図１８参照）を構成することができる。この場合には、視聴覚端末６０ａ（図１８参照）は、視聴覚端末２０が備える動作指示手段２２（図１、図１８参照）と、モーションセンサ２３（図１、図１８参照）と、信号化手段２４（図１、図１８参照）との各装置をさらに備えるように設けることができる。あるいは、さらに応答動作記録手段２５（図１参照）と、応答動作比較手段２６（図１参照）と、視聴者認証手段２７（図１参照）と、応答動作履歴データベース３１（図１参照）との各装置を備えるものとしてもよい。なお、視聴覚端末６０に視聴覚端末２０の機能を組み込むに際して必要な視聴覚端末６０及び視聴覚端末２０が備える各装置の機能及び構成の説明については既に詳述した通りである。視聴覚の認証主体は、視聴覚番組の視聴者が、視聴覚端末６０ａを用いて視聴覚番組を再生して視聴することにより、視聴者に所定の動作を頻繁に要求することなく、視聴覚の認証主体による厳密な視聴の認証をおこなうことができる。
【０２４６】
具体的には、視聴覚の認証主体は、視聴者が視聴覚端末６０ａ（図１８参照）を用いる場合には、視聴者に頻繁に所定の動作を要求しなくても、視聴者が視聴覚端末６０ａを用いて視聴覚番組を再生していることについては、再生認証ポイント１１０（図１２、図１３参照）を用いて視聴の認証をおこなうことができる。このため、視聴覚の認証主体は、頻繁に視聴者に応答動作を要求して視聴の認証をおこなう必要がない。例えば、視聴覚の認証主体は、視聴者が視聴覚端末６０ａにより視聴覚番組を視聴する場合には、視聴者に所定の動作を要求しておこなう視聴の認証の回数を、視聴覚番組の冒頭部、視聴覚番組の番組進行時間の中央部、視聴覚番組の終了部の３回程度の回数として少なく抑えることができる。
【０２４７】
一方で、視聴覚の認証主体は、視聴者が視聴覚端末６０ａ（図１８参照）を用いる場合には、再生認証ポイント１１０（図１２、図１３参照）を用いた視聴の認証をおこなうのみならず、視聴者に所定の動作を要求して視聴の認証をおこなうことができるから、再生認証ポイント１１０を用いた視聴の認証のみをおこなう視聴の認証の場合と比較して、さらに厳密に視聴の認証をおこなうことができる。
【０２４８】
ここで図１５を参照して、視聴覚端末６０（図１１参照）を制御するための制御プログラムについて説明する。視聴覚端末６０が備えるマイクロ・プロセッサ７０（図１１参照）は視聴覚端末６０を制御するための制御プログラムに従い、視聴覚端末６０を制御するためのプログラムの実行手順を例示する図１５に示すフローチャートに示す手順により処理をおこなうように設けられている。なお、再生手段６１（図１１参照）、再生検出手段６２（図１１参照）、クロック６３（図１１参照）、記録手段６４（図１１参照）、送信手段６５（図１１参照）、視聴解析手段６６（図１１参照）、視聴認証手段６７（図１１参照）についての詳細な機能については、既に説明したので重複した説明を省略する。
【０２４９】
図１５に示す制御プログラムは、まず、視聴者による視聴覚端末６０（図１１参照）の操作に従って再生手段６１（図１１参照）を用いて視聴覚番組を再生して視聴者に提示する（ステップＮ０１）。続いて、視聴者による再生操作により再生された視聴覚番組の中から視聴覚番組を提供する番組提供主体により視聴覚番組内に所定の時間の間隔で設けられた番組進行時間を画定する信号である再生認証ポイント１１０（図１２、図１３参照）を再生検出手段６２（図１１参照）を用いて検出する（ステップＮ０２）。続いて、クロック６３（図１１参照）を用いて、再生検出手段６２により再生認証ポイント１１０が検出された時刻を出力する。また、再生認証ポイント１１０が検出された時刻を再生認証ポイント１１０に記録する（ステップＮ０３）。続いて、視聴者が視聴覚番組を正常に視聴していることを認証する視聴覚の認証主体に伝達するために、再生検出手段６２により検出された再生認証ポイント１１０並びにクロック６３により出力された再生認証ポイント１１０が検出された時刻を送信手段６５（図１１参照）を用いて視聴覚の認証主体が有する視聴覚認証システム８０（図１６参照）に送信する（ステップＮ０４）。
【０２５０】
図１５に示す制御プログラムを用いた視聴覚端末６０（図１１参照）の実行制御処理においては、以上に挙げた主要な実行処理のほかに補助的な制御又は実行処理を含むように設けられている。まず、視聴解析手段６６（図１１参照）を用いて、視聴者による再生操作の履歴である再生操作履歴（視聴覚端末）１１１ａ（図１４参照）を出力する処理（ステップＮ１１）が設けられている。また、視聴認証手段６７（図１１参照）を用いて視聴解析手段６６により解析された再生操作履歴（視聴覚端末）１１１ａに基づき視聴者による視聴覚番組の視聴を認証し、視聴認証（視聴覚端末）１１４ａを出力する処理（ステップＮ１２）が設けられている。
【０２５１】
あるいは、他の実施の形態では、視聴覚端末６０（図１１参照）を制御する図１５に示す制御プログラムに視聴覚端末２０（図１参照）を制御する制御プログラム（図７参照）がおこなう制御処理を組み込んだ制御プログラム（不図示）を用いて制御をおこなうことにより、視聴覚端末６０に視聴覚端末２０の機能を組み込んだ視聴覚端末６０ａ（図１８参照）を制御するように設けることができる。なお、視聴覚端末６０を制御する制御プログラムに視聴覚端末２０を制御する制御プログラムを組み込むに際して必要な視聴覚端末６０及び視聴覚端末２０を制御するためのプログラムがおこなう制御処理の説明については既に詳述した通りである。この場合には、視聴覚の認証主体は、視聴者が、視聴覚番組を本制御プログラムにより制御される視聴覚端末６０ａにより再生して視聴することにより、前述の通り、視聴者に所定の動作を頻繁に要求することなく、視聴覚の認証主体による厳密な視聴の認証をおこなうことができる。
【０２５２】
ここで図１６を参照して、本発明の第三の実施の形態に係る視聴覚認証システム８０について説明する。視聴覚認証システム８０は、再生認証ポイント設置手段８１、番組送信手段８２、受信手段８３、クロック８４、視聴解析手段８５、視聴認証手段８６、番組データベース９１、認証記録手段９２の各装置を備える。また、視聴覚認証システム８０は、視聴覚認証システム８０の制御をおこなう制御装置であるマイクロ・プロセッサ９０を備える。また、受信手段８３、クロック８４、視聴解析手段８５、視聴認証手段８６には、それぞれの機能を支援するためのランダム・アクセス・メモリ（ＲＡＭ）９３がそれぞれに設けられている。視聴覚認証システム８０が備える各装置の機能の詳細については以下に順次説明する。
【０２５３】
図１６に示す視聴覚認証システム８０は、前述の視聴覚認証システム４０（図８参照）と同様に、ＷＡＮに接続された視聴覚の認証主体が有する専用サーバーである。また、前述の視聴覚認証システム４０（図８参照）と同様に、視聴覚番組の視聴者に視聴覚番組の概要等を伝達することができる専用の情報提供ホームページを提示するとともに、視聴者からの番組送信要求１００（図１７参照）に応じて、視聴者を「視聴者ＩＤ」（図１２参照）並びに「視聴者ＩＤ」に固有の「パスワード」（視聴者簡易認証情報）（不図示）の双方の情報を用いて確認することができるように設けられている。
【０２５４】
また、図１６に示す再生認証ポイント設置手段８１は、視聴覚番組の番組提供主体により提供された番組データベース９１に記録される視聴覚番組に視聴覚番組の番組進行時間を画定する再生認証ポイント１１０（図１２参照）を所定の間隔（図１３参照）で設置する情報処理装置である。再生認証ポイント設置手段８１は、視聴覚番組の所定の番組進行時間において再生認証ポイント１１０の情報を視聴覚番組を構成する情報の中に挿入するとともに、再生認証ポイント１１０を構成する「周期情報」の情報に、設置する再生認証ポイント１１０により画定する番組進行時間の情報を暗号化して記録するように設けられている。なお、再生認証ポイント設置手段８１により再生認証ポイント１１０が設置された視聴覚番組は、再び番組データベース９１に記録されるように設けられている。
【０２５５】
また、図１６に示す番組送信手段８２は、前述の視聴覚認証システム４０（図８参照）が有する番組送信手段４１（図８参照）と同様に、「視聴者ＩＤ」（図１２参照）並びに「視聴者ＩＤ」に固有の「パスワード」（視聴者簡易認証情報）（不図示）により確認された視聴者本人による番組送信要求１００（図１７参照）に応じて、大容量記憶装置（ハードディスク）である番組データベース９１に記録される番組提供主体により提供された視聴覚番組を視聴者が操作する視聴覚端末６０（図１１参照）に送信するように設けられた、ＷＡＮに接続されたストリーミング・サーバーである。
【０２５６】
また、図１６に示す受信手段８３は、視聴者が視聴覚端末６０（図１１参照）を用いて視聴覚番組を再生することにより視聴覚端末６０が備える再生検出手段６２（図１１参照）により検出されるとともに、視聴覚端末６０が備える送信手段６５（図１１参照）により視聴覚認証システム８０に返信される再生認証ポイント１１０（図１２、図１３参照）の情報を受信するように設けられている。受信手段８３は、ＷＡＮに接続された、情報通信機（高速有線情報通信機（ルーター））である。
【０２５７】
また、図１６に示すクロック８４は、受信手段８３により再生認証ポイント１１０（図１２、図１３参照）を受信した時刻を出力するように設けられている。再生認証ポイント１１０を受信した時刻は、概ね視聴者が操作する視聴覚端末６０（図１１参照）により視聴覚番組が再生された時刻であるものということができるから、視聴覚の認証主体は、クロック８４が出力する再生認証ポイント１１０を受信した時刻により、視聴者が操作する視聴覚端末６０により視聴覚番組が再生された時刻並びに視聴覚番組の再生時刻に基づく視聴覚番組の再生時間を認証することができる。
【０２５８】
また、図１６に示す大容量記録装置（ハードディスク）である認証記録手段９２は、再生認証ポイント１１０（図１２参照）の情報並びにクロック８４が出力する受信手段８３が再生認証ポイント１１０を受信した時刻の情報を認証記録１１５（図１４参照）を構成する情報として記録するように設けられている。
【０２５９】
なお、図１６に示す受信手段８３は、視聴者が操作する視聴覚端末６０（図１１参照）が高速情報通信回線網に接続して情報通信をおこなうことができない場合のために、さらに視聴者が操作する視聴覚端末６０により記録された再生認証ポイント１１０（図１２、図１３参照）を検出した時刻（再生認証ポイント１１０を構成する「検出時刻」に記録された時刻）を受信するように設けられている。また、認証記録手段９２は、さらに視聴覚端末６０により記録された再生認証ポイント１１０を検出した時刻（再生認証ポイント１１０を構成する「検出時刻」に記録された時刻）を認証記録１１５（図１４参照）に記録するように設けられている。
【０２６０】
もっとも、視聴者が視聴覚端末６０により視聴覚番組を再生した時刻を推定することができる視聴者が操作する視聴覚端末６０が再生認証ポイント１１０を取り扱った時刻の記録であれば、「検出時刻」に限ることなく、視聴覚の認証主体による視聴の認証に用いることができるため、これらの視聴覚端末６０により再生認証ポイントが記録された時刻により視聴の認証をおこなうものとしてもよい。
【０２６１】
また、図１６に示す視聴解析手段８５は、前述の視聴覚端末６０（図１１参照）が備える視聴解析手段６６（図１１参照）と同様に、視聴者が操作する視聴覚端末６０が高速情報通信回線網に接続して情報通信をおこなう場合のために、クロック８４が出力する受信手段８３により２以上の再生認証ポイント１１０（図１２参照）を受信した時刻から視聴者による再生操作履歴を解析するように設けられている。また、認証記録手段９２は視聴解析手段８５により解析された再生操作履歴（視聴覚認証システム）１１１ｂ（図１４参照）を、さらに認証記録１１５（図１４参照）に記録するように設けられている。
【０２６２】
なお、図１６に示す視聴覚認証システム８０が視聴解析手段８５を備える場合には、視聴覚端末６０（図１１参照）において視聴解析手段６６（図１１参照）を備える必要がない。これらの機能は視聴覚認証システム８０及び視聴覚端末６０（図１１参照）の協働により実現されればよいものであるから、視聴覚認証システム８０と視聴覚端末６０（図１１参照）とが機能を適宜分担して備えるものとすればよい。もっとも、視聴覚認証システム８０と視聴覚端末６０（図１１参照）との双方において同様の情報処理をおこなうように設けることにより、相互に情報処理の検証をおこなうものとしてもよい。
【０２６３】
また、図１６に示す視聴解析手段８５は、視聴者が操作する視聴覚端末６０（図１１参照）が高速情報通信回線網に接続して情報通信をおこなうことができない場合のために、２以上の視聴者が操作する視聴覚端末６０により記録された再生認証ポイント１１０（図１２、図１３参照）を検出した時刻（再生認証ポイント１１０を構成する「検出時刻」に記録された時刻）から視聴者による再生操作履歴を解析することができるように設けられている。また、認証記録手段９２は、視聴解析手段８５により解析された再生操作履歴（視聴覚認証システム）１１１ｃ（図１４参照）を記録することができるように設けられている。
【０２６４】
このため、図１６に示す視聴解析手段８５は、視聴者が操作する視聴覚端末６０（図１１参照）が備える記録手段６４（図１１参照）に記録された再生認証ポイント１１０（図１２、図１３参照）並びに視聴覚端末６０により記録された再生認証ポイント１１０を検出した時刻（再生認証ポイント１１０を構成する「検出時刻」に記録された時刻）に基づき、視聴者による再生操作履歴を算出することができる。なお、視聴覚端末６０により記録された再生認証ポイント１１０を検出した時刻は、放送又は再生可能な記録媒体を介した視聴者による視聴覚端末６０を用いた視聴覚番組の視聴の後に、視聴者が操作する視聴覚端末６０が高速情報通信回線網に接続して情報通信をおこなうことができる状態において、視聴者が視聴覚端末６０を手動操作により操作しておこなう情報の送信を受けて、視聴覚認証システム８０が備える受信手段８３により、一括して、一時に受信することができる。
【０２６５】
なお、図１６に示す認証記録手段９２は、視聴解析手段８５により出力される再生操作履歴（視聴覚認証システム）１１１ｂ、１１１ｃ（図１４参照）を記録することができるほか、視聴者が操作する視聴覚端末６０（図１１参照）が備える送信手段６５（図１１参照）によって送信される視聴覚端末６０が備える視聴解析手段６６（図１１参照）により出力された再生操作履歴（視聴覚端末）１１１ａ（図１４参照）を視聴覚認証システム８０が備える受信手段８３により受信して認証記録１１５（図１４参照）を構成する情報として記録することができる。
【０２６６】
また、図１６に示す視聴認証手段８６は、視聴覚端末６０（図１１参照）が備える視聴認証手段６７と同様に、認証記録１１５（図１４参照）を構成する再生操作履歴（視聴覚端末）１１１ａ（図１４参照）及び再生操作履歴（視聴覚認証システム）１１１ｂ、１１１ｃ（図１４参照）に基づき、視聴者が所定の範囲内の再生速度により所定の時間だけ視聴覚番組の視聴をおこなったことを認証する情報処理装置である。なお、視聴認証手段８６により出力された視聴認証（視聴覚認証システム）１１４ｂ（図１４参照）は認証記録手段９２により認証記録１１５（図１４参照）を構成する情報として記録することができるように設けられている。
【０２６７】
図１６に示す視聴覚認証システム８０が視聴認証手段８６を備える場合には、視聴覚端末６０（図１１参照）において視聴認証手段６７（図１１参照）を備える必要がない。これらの機能は視聴覚認証システム８０及び視聴覚端末６０（図１１参照）の協働により実現されればよいものであるから、視聴覚認証システム８０と視聴覚端末６０（図１１参照）とが機能を適宜分担して備えるものとすればよい。もっとも、視聴覚認証システム８０と視聴覚端末６０（図１１参照）との双方において同様の情報処理をおこなうように設けることにより、相互に情報処理の検証をおこなうものとしてもよい。
【０２６８】
また、他の実施の形態では、視聴覚認証システム８０（図１６参照）に視聴覚認証システム４０（図８参照）の機能を組み込んだ視聴覚認証システム８０ａ（図１９参照）を構成することができる。この場合には、視聴覚認証システム８０ａ（図１９参照）は、視聴覚認証システム４０が備える動作指示情報作成手段４２（図８、図１９参照）と、動作指示情報送信手段４３（図８、図１９参照）と、受信情報加工手段４５（図８、図１９参照）との各装置をさらに備えるように設けるものとすることができる。あるいは、さらに応答動作記録手段４６（図８参照）と、応答動作比較手段４７（図８参照）と、視聴者認証手段４８（図８参照）と、応答動作履歴データベース５２（図８参照）との各装置を備えるものとしてもよい。なお、視聴覚認証システム８０に視聴覚認証システム４０の機能を組み込むに際して必要な視聴覚認証システム８０及び視聴覚認証システム４０が備える各装置の機能及び構成の説明については既に詳述した通りである。視聴覚の認証主体は、視聴覚認証システム８０ａにより視聴者による視聴覚番組の視聴を認証することで、該視聴者に所定の動作を頻繁に要求することなく、該視聴覚の認証主体による厳密な該視聴の認証をおこなうことができる。
【０２６９】
ここで図１７を参照して、視聴覚認証システム８０（図１６参照）を制御するための制御プログラムについて説明する。視聴覚認証システム８０が備えるマイクロ・プロセッサ９０は視聴覚認証システム８０を制御するための制御プログラムに従い、視聴覚認証システム８０を制御するためのプログラムの実行手順を図１７に示すフローチャートに示す手順により処理をおこなうように設けられている。なお、再生認証ポイント設置手段８１（図１６参照）、番組送信手段８２（図１６参照）、受信手段８３（図１６参照）、クロック８４（図１６参照）、視聴解析手段８５（図１６参照）、視聴認証手段８６（図１６参照）、番組データベース９１（図１６参照）、認証記録手段９２（図１６参照）についての詳細な機能については、既に説明したので重複した説明を省略する。
【０２７０】
図１７に示す制御プログラムは、まず、再生認証ポイント設置手段８１（図１６参照）を用いて、視聴覚番組に所定の時間の間隔で視聴覚番組の番組進行時間を画定する信号である再生認証ポイント１１０（図１２、図１３参照）を設ける（ステップＴ０１）。続いて、番組送信手段８２（図１６参照）を用いて、視聴者が操作する視聴覚端末６０（図１１参照）に視聴覚番組を送信する（ステップＴ０２）。続いて、視聴者が操作する視聴覚端末６０から送信される視聴者が視聴覚端末６０を操作して視聴覚番組を再生することにより視聴覚番組の再生とともに検出される再生認証ポイント１１０を受信手段８３（図１６参照）を用いて受信する（ステップＴ０３）。続いて、クロック８４（図１６参照）を用いて受信手段８３が再生認証ポイント１１０を受信した時刻を出力する（ステップＴ０４）。続いて、認証記録手段９２（図１６参照）を用いて再生認証ポイント１１０並びにクロック８４が出力する受信手段８３が再生認証ポイント１１０を受信した時刻を記録する（ステップＴ０７）。もちろん、視聴覚認証システム８０の実行制御処理においては、以上に挙げた主要な実行処理のほかに補助的な制御処理を含むものとすることもできる。
【０２７１】
また、図１７に示す制御プログラムにおいては、また、視聴解析手段８５（図１６参照）により視聴者の再生操作履歴を解析するとともに再生操作履歴（視聴覚認証システム）１１１ｂ、１１１ｃ（図１４参照）を出力する処理（ステップＴ０５）と、視聴認証手段８６（図１６参照）により視聴者による視聴覚番組の視聴を認証するとともに視聴認証（視聴覚認証システム）１１４ｂ（図１４参照）を出力する処理（ステップＴ０６）を含むように設けられている。
【０２７２】
また、他の実施の形態では、視聴覚認証システム８０（図１６参照）を制御するための図１７に示す制御プログラムに視聴覚認証システム４０（図８参照）を制御するための制御プログラム（図１０参照）がおこなう制御処理を組み込んだ制御プログラム（不図示）により、視聴覚認証システム８０に視聴覚認証システム４０の機能を組み込んだ視聴覚認証システム８０ａ（図１９参照）を制御するように設けることができる。なお、視聴覚認証システム８０を制御するための制御プログラムに視聴覚認証システム４０を制御するための制御プログラムを組み込むに際して必要な視聴覚認証システム８０及び視聴覚認証システム４０を制御するためのプログラムがおこなう制御処理の説明については既に詳述した通りである。この場合には、視聴覚の認証主体は、本制御プログラムにより制御される視聴覚認証システム８０ａ（図１９参照）により、前述の通り、視聴者に所定の動作を頻繁に要求することなく、厳密な視聴の認証をおこなうことができる。
【０２７３】
以下、本願の課題を解決する本願発明の態様を列挙する。
【０２７４】
第１の態様の視聴覚端末は、例えば図１に示す視聴覚番組の視聴者が操作する視聴覚端末２０であって；該視聴覚番組を再生する再生手段２１と；該視聴覚番組を提供する番組提供主体が該視聴覚番組に固有のタイミングで該視聴者に所定の動作を要求する該視聴覚番組に固有の動作指示情報１０１（図３参照）に基づき、該視聴者に該動作を指示する動作指示手段２２と；該視聴者が該視聴覚番組を正常に視聴していることを認証する視聴覚の認証主体に伝達するために動作指示手段２２により該動作が指示されるたびに該視聴者がおこなう該視聴者の応答動作を検出するモーションセンサ２３と；視聴覚端末２０が出力する情報を該視聴の認証を得るために該視聴覚の認証主体が有する視聴覚認証システム４０（図８参照）に送信する送信手段２９と；モーションセンサ２３により検出した検出結果から得られる該視聴者の応答動作に関する情報を送信手段２９で送信可能な信号に信号化する信号化手段２４とを備える。
【０２７５】
例えば図１に示す再生手段２１は、視聴者が操作する視聴覚端末２０に番組提供主体が提供する視聴覚番組を映像と音声とにより提示する。再生手段２１は、液晶表示画面（不図示）と空気伝導スピーカー（不図示）とを有し、視聴者に映像と音声とにより視聴覚番組を提示する。
【０２７６】
例えば図１に示す動作指示手段２２は、視聴覚番組を提供する番組提供主体が視聴覚番組に固有のタイミングにおいて視聴者に所定の動作を要求する視聴覚番組に固有の動作指示情報１０１（図３参照）に基づき、視聴者に動作を指示する。動作指示手段２２は再生手段２１が有する液晶表示画面（不図示）の一部に視聴者がおこなうべき所定の動作の見本をアニメーションや文字（図６参照）により指示する。また、視聴者の注意を喚起するために再生装置２１が有する空気伝導スピーカー（不図示）により通知音を発生する。
【０２７７】
例えば図１に示すモーションセンサ２３は、視聴者が視聴覚番組を正常に視聴していることを認証する視聴覚の認証主体に伝達するために、動作指示手段２２により動作が指示されるたびに視聴者がおこなう視聴者の応答動作を検出する検出装置である。ここで、動作とは、視聴者の身体又はその一部、特に手の動きそのものをいう。この動きは、一次元、二次元又は三次元的なものである。言い換えれば、モーションセンサ２３で検出できるものをいう。モーションセンサ２３は、３軸６自由度加速度センサ（不図示）を有するとともに、視聴者を撮影することで視聴者の応答動作を検出するカメラ（不図示）を補助的に有する。
【０２７８】
例えば図１に示す送信手段２９は、視聴覚端末２０が出力する情報を視聴の認証を得るために視聴覚の認証主体が有する視聴覚認証システム４０（図８参照）に送信する。具体的には、送信手段２９は公衆無線ＬＡＮ（Ｌｏｃａｌ‐Ａｒｅａ‐Ｎｅｔｗｏｒｋ）（不図示）に無線により接続して情報通信をおこなう情報通信機（無線ＬＡＮ通信機（ルーター））（不図示）である。
【０２７９】
例えば図１に示す信号化手段２４は、モーションセンサ２３により検出した検出結果から得られる視聴者の応答動作に関する情報を送信手段２９で送信可能な信号に信号化する。信号化手段２４は、モーションセンサ２３により検出した視聴者の応答動作の検出を、視聴覚の認証主体が定める認証基準に基づき、まず、検出結果（１次情報）として取得する。また、信号化手段２４は、認証基準に基づき、検出結果（１次情報）から視聴者による応答動作を指標化した情報である２次情報（派生情報）を作成する。また、信号化手段２４は、認証基準に基づき、視聴者による応答動作を指標化した２次情報から認証結果である３次情報（派生情報）を作成する。このように、信号化手段２４は、視聴覚の認証主体が定める認証基準に基づいて、モーションセンサ２３により検出した検出結果から得られる視聴者の応答動作に関する情報を送信手段２９により送信可能な信号として信号化する。
【０２８０】
このように構成することにより、視聴覚番組の視聴者は、該視聴者が操作する視聴覚端末が備える該視聴覚番組を再生する再生手段により、該視聴覚番組を再生して視聴することができる。また、該視聴覚番組を提供する番組提供主体が該視聴覚番組に固有のタイミングで該視聴者に所定の動作を要求する該視聴覚番組に固有の動作指示情報に基づき、該視聴者に該動作を指示する動作指示手段により、該視聴覚番組を提供する番組提供主体が該視聴者に要求する該動作を、該動作指示手段により指示される該動作の指示として把握することができる。また、該視聴者が該視聴覚番組を正常に視聴していることを認証する視聴覚の認証主体に伝達するために該動作指示手段により該動作が指示されるたびに該視聴者がおこなう該視聴者の応答動作を検出するモーションセンサにより、該視聴者がおこなう応答動作を該モーションセンサによる検出として検出させることができる。また、該視聴覚端末が出力する情報を該視聴の認証を得るために該視聴覚の認証主体が有する視聴覚認証システムに送信する送信手段により、該視聴覚端末が出力する情報を該視聴覚の認証主体に送信することができる。また、該モーションセンサにより検出した検出結果から得られる該視聴者の応答動作に関する情報を該送信手段で送信可能な信号に信号化する信号化手段により、該モーションセンサにより検出した該視聴者の応答動作の検出を、該モーションセンサにより検出した検出結果から得られる該視聴者の応答動作に関する情報として該送信手段で送信可能な信号に信号化することができる。このため、該送信手段により送信された該モーションセンサにより検出した検出結果から得られる該視聴者の応答動作に関する情報に基づき、該視聴覚の認証主体による該視聴者が該視聴覚番組を該視聴したことについての認証を得ることができる。
【０２８１】
また、第２の態様の視聴覚端末は、第１の態様の視聴覚端末において、例えば図１に示す視聴覚端末２０が備える信号化手段２４は、モーションセンサ２３により検出した該視聴者の応答動作と動作指示手段２２により該視聴者に指示した該動作とが所定の基準に照らして一致するものと認める場合に、該視聴者の応答動作が有効な応答動作であることを認める動作認証を出力する動作の認証部２４ａ（図２参照）を有する。
【０２８２】
例えば図１及び図２に示す信号化手段２４は、モーションセンサ２３が検出した視聴者の応答動作と動作指示手段２２により視聴者に指示した動作とが視聴覚の認証主体が定める所定の基準（例えば、「加速度の差異が最大で所定の値（指標値）（例えば、１．２Ｇ）以下の場合に動作が一致すると認める」と定める認証基準）に照らして一致することを認証する動作の認証部２４ａ（図２参照）を有する。また、信号化手段２４が有する動作の認証部２４ａは、モーションセンサ２３が検出した視聴者の応答動作と動作指示手段２２が視聴者に指示した動作とが視聴覚の認証主体が定める所定の基準に照らして一致するものと認証する場合に、動作認証（視聴覚端末）１０３ａ（図５参照）（３次情報）を出力する。
【０２８３】
このように構成することにより、視聴覚番組の視聴者は、該視聴者が操作する視聴覚端末が備える該信号化手段が、該モーションセンサにより検出した該視聴者の応答動作と該動作指示手段により該視聴者に指示した該動作とが所定の基準に照らして一致するものと認める場合に、該視聴者の応答動作が有効な応答動作であることを認める動作認証を出力する動作の認証部を有することにより、該視聴者の応答動作が有効な応答動作であることを認める動作認証を得ることができる。また、該動作認証は、該視聴覚端末が備える送信手段により該視聴覚の認証主体が有する視聴覚認証システムに送信することができる。このため、該動作認証に基づき、該視聴覚の認証主体による該視聴者が該視聴覚番組を該視聴したことについての認証を得ることができる。
【０２８４】
また、第３の態様の視聴覚端末は、第１の態様の視聴覚端末において、例えば図１に示す視聴覚端末２０が備える、信号化手段２４は、モーションセンサ２３により検出した該視聴者の応答動作と動作指示手段２２により該視聴者に指示した該動作とが所定の基準に照らして一致するものと認める場合に、該視聴者の応答動作が有効な応答動作であることを認める動作認証（視聴覚端末）１０３ａ（図５参照）を出力する動作の認証部２４ａ（図２参照）と；動作指示情報１０１（図３参照）の総数とモーションセンサ２３により検出した該視聴者の応答動作の検出の総数とを比較する動作応答率が所定の基準を満たす場合に、動作応答率に基づく視聴認証（視聴覚端末）１０５ａ（図５参照）を出力する応答の認証部２４ｂ（図２参照）と；視聴覚端末２０が制御処理をおこなう時刻を出力するクロック２８を備え、クロック２８が出力する動作指示手段２２により該視聴者に該動作を指示した時刻からクロック２８が出力するモーションセンサ２３により該視聴者の応答動作を検出した時刻までの該視聴者が応答に要した時間が所定の基準を満たす場合に、該視聴者が応答に要した時間に基づく時間認証１０４ａ（図５参照）を出力する時間の認証部２４ｃ（図２参照）と；の３つの前記認証部からなる群から選ばれたいずれか１以上の認証部を有し；該認証部により出力される認証結果に基づき、該視聴者の応答動作に関する情報を出力し、該視聴者の応答動作に関する情報を信号化するように構成されている。
【０２８５】
例えば図１に示す視聴覚端末２０は、視聴覚端末２０が制御処理をおこなう時刻を出力するクロック２８を備える。
【０２８６】
また、図１（及び図２）に示す信号化手段２４は、前述の動作の認証部２４ａ（図２参照）の他に、応答の認証部２４ｂ（図２参照）と時間の認証部２４ｃ（図２参照）とを有する。
【０２８７】
例えば図１（及び図２）に示す信号化手段２４が有する応答の認証部２４ｂ（図２参照）は、動作指示情報１０１（図３参照）の総数とモーションセンサ２３により検出した視聴者の応答動作の検出の総数とを比較する動作応答率（２次情報）が視聴覚の認証主体が定める所定の基準（例えば、「動作応答率は所定の値（例えば、８０％）以上の場合に認証する」と定める認証基準）を満たす場合に、動作応答率に基づく視聴認証（視聴覚端末）１０５ａ（図５参照）（３次情報）を出力する。
【０２８８】
例えば図１（及び図２）に示す信号化手段２４が有する時間の認証部２４ｃ（図２参照）は、クロック２８が出力するモーションセンサ２３により視聴者の応答動作を検出した時刻が、クロック２８が出力する動作指示手段２２により視聴者に動作を指示した時刻から視聴覚の認証主体が定める所定の時間の範囲内（例えば、認証基準に基づき、視聴者が応答に要した時間が所定の値（例えば３分間）以内の時間の範囲内）である場合に、視聴者が応答に要した時間（２次情報）が適正であるものと認める視聴者が応答に要した時間に基づく時間認証（視聴覚端末）１０４ａ（図５参照）（３次情報）を出力する。
【０２８９】
例えば図１（及び図２）に示す信号化手段２４は、動作の認証部２４ａ（図２参照）と応答の認証部２４ｂ（図２参照）と時間の認証部２４ｃ（図２参照）との３つの認証部からなる群から選ばれたいずれか１以上の認証部を有し；認証部により出力される認証結果に基づき、視聴者の応答動作に関する情報（例えば、「動作の認証、応答の認証、時間の認証の全ての認証基準を満たす」ものとする肯定的な情報、あるいは、例えば、「動作の認証基準を満たさない」とする否定的な情報等）（３次情報）を作成して信号化する。
【０２９０】
このように構成することにより、視聴覚番組の視聴者は、該視聴者が操作する該視聴覚端末が制御処理をおこなう時刻を出力するクロックを備えることにより、該クロックが出力する該視聴覚端末が制御処理をおこなう時刻に基づき、視聴覚の認証主体による該視聴者が該視聴覚番組を該視聴したことについての認証を得ることができる。また、該視聴覚端末が備える該信号化手段は、該モーションセンサにより検出した該視聴者の応答動作と該動作指示手段により該視聴者に指示した該動作とが所定の基準に照らして一致するものと認める場合に、該視聴者の応答動作が有効な応答動作であることを認める動作認証を出力する動作の認証部を有することにより、該視聴者の応答動作が有効な応答動作であることを認める動作認証を得ることができる。また、該動作認証を該視聴覚端末が備える送信手段により視聴覚の認証主体が有する視聴覚認証システムに送信することができる。このため、該動作認証に基づき、該視聴覚の認証主体による該視聴者が該視聴覚番組を該視聴したことについての認証を得ることができる。また、該視聴覚端末が備える該信号化手段は、該動作指示情報の総数と該モーションセンサにより検出した該視聴者の応答動作の検出の総数とを比較する動作応答率が所定の基準を満たす場合に、動作応答率に基づく視聴認証を出力する応答の認証部を有することにより、該動作応答率に基づく視聴認証を得ることができる。また、該動作認証率に基づく視聴認証を該視聴覚端末が備える送信手段により該視聴覚の認証主体が有する視聴覚認証システムに送信することができる。このため、該動作応答率に基づく視聴認証に基づき、該視聴覚の認証主体による該視聴者が該視聴覚番組を該視聴したことについての認証を得ることができる。また、該視聴覚端末が備える該信号化手段は、該クロックが出力する該モーションセンサにより該視聴者の応答動作を検出した時刻が、該クロックが出力する該動作指示手段により該視聴者に該動作を指示した時刻から所定の時間の範囲内である場合に、該視聴者が応答に要した時間が適正であるものと認める該視聴者が応答に要した時間に基づく時間認証を出力する時間の認証部を有することにより、該視聴者が応答に要した時間に基づく時間認証を得ることができる。また、該視聴者が応答に要した時間に基づく時間認証を該視聴覚端末が備える該送信手段により該視聴覚の認証主体が有する視聴覚認証システムに送信することができる。このため、該視聴者が応答に要した時間に基づく時間認証に基づき、該視聴覚の認証主体による該視聴者が該視聴覚番組を該視聴したことについての認証を得ることができる。また、該視聴覚端末が備える該信号化手段が、該動作の認証部、該応答の認証部、該時間の認証部との３つの該認証部からなる群から選ばれたいずれか１以上の認証部を有し；該認証部により出力される認証結果に基づき、該視聴者の応答動作に関する情報を出力し、該視聴者の応答動作に関する情報を信号化するように構成されたことにより、該動作認証、該視聴認証、該時間認証の情報に基づく派生複合的な該視聴覚の認証主体による該視聴者が該視聴覚番組を該視聴したことについての認証を得ることができる。
【０２９１】
また、第４の態様の視聴覚端末は、第１乃至第３の態様のいずれか１の態様の視聴覚端末において、例えば図１に示す視聴覚端末２０が備えるモーションセンサ２３により検出した検出結果を応答動作履歴として記録する応答動作記録手段２５と；モーションセンサ２３が最後に検出した検出結果と応答動作記録手段２５が記録する応答動作履歴の中のモーションセンサ２３が最後に検出した検出結果を除く他の検出結果とを比較する応答動作比較手段２６と；応答動作比較手段２６による比較の結果に基づき、モーションセンサ２３が最後に検出した検出結果が応答動作履歴に含まれる他の検出結果と所定の基準に照らして一致するものと認める場合に、該視聴者を該視聴覚番組の番組提供主体が該視聴覚番組の提供の対象とする視聴者本人として認証する視聴者認証を出力する視聴者認証手段２７とを備える。
【０２９２】
例えば図１に示す応答動作記録手段２５は、モーションセンサ２３により検出した検出結果をその構成情報（「応答動作」）として記録する動作応答情報１０２（図４参照）を応答動作記録手段２５に接続された大容量記憶装置（ハードディスク）である応答動作履歴データベース３１に記録するデータベース管理システムである。応答動作履歴データベース３１は、モーションセンサ２３により検出した検出結果をその構成情報（「応答動作」）として含む動作応答情報１０２の情報を応答動作履歴として記録しておくことができる。動作応答情報１０２は、動作応答情報１０２を構成する「応答動作」の情報としてモーションセンサ２３により視聴者の応答動作を検出した検出結果（１次情報）を記録している。
【０２９３】
例えば図１に示す応答動作記録手段２５は、応答動作履歴データベース３１が記録する応答動作履歴（すなわち、モーションセンサ２３により視聴者の応答動作を検出した検出結果（１次情報）をその構成情報として含む動作応答情報１０２（図４参照））の情報を任意の検索条件により検索して抽出することができる。具体的に例えば、応答動作記録手段２５は、同一の視聴者がおこなった同一の動作の指示に基づく他の検出結果（動作応答情報１０２）を応答動作履歴から検索して抽出する。
【０２９４】
さらに具体的には、図１に示すモーションセンサ２３により検出した検出結果（動作応答情報１０２（図４参照）を構成する「応答動作」の情報）は、信号化手段２４により関連情報が付加されることにより、動作応答情報１０２として応答動作履歴データベース３１に記録されている。動作応答情報１０２を構成する情報としては、動作応答情報１０２に対応する情報である動作指示情報１０１（図３参照）が記録されている。また、動作指示情報１０１を構成する情報としては、「視聴者ＩＤ」、「指示動作」、「指示ＩＤ」の情報が記録されている。このため、応答動作記録手段２５は、動作応答情報１０２を構成する「視聴者ＩＤ」及び「指示動作」の個別の情報が同一で、かつ、「指示ＩＤ」の情報が異なることを検索条件として応答動作履歴を検索することで、同一の視聴者がおこなった同一の動作の指示に基づくモーションセンサ２３により検出した他の検出結果を検索して抽出する。
【０２９５】
例えば図１に示す応答動作比較手段２６は、モーションセンサ２３が最後に検出した検出結果（動作応答情報１０２（図４参照）を構成する「応答動作」の情報）と応答動作記録手段２５により検索されて抽出された他の検出結果（動作応答情報１０２を構成する「応答動作」の情報）とを比較する。応答動作比較手段２６は、複数の動作応答情報１０２を相互に比較することによりモーションセンサ２３により検出した検出結果の差異（２次情報）を定量的に把握する。
【０２９６】
例えば図１に示す視聴者認証手段２７は、応答動作比較手段２６により定量的に把握された応答動作の差異（２次情報）を視聴覚の認証主体が定める所定の基準（認証基準）に照らして評価する認証装置である。視聴者認証手段２７は、モーションセンサ２３が最後に検出した検出結果（動作応答情報１０２（図４参照）を構成する「応答動作」の情報）（１次情報）と応答動作記録手段２５により検索されて抽出された他の検出結果（動作応答情報１０２を構成する「応答動作」の情報）（１次情報）の平均値との差異（２次情報）が視聴覚の認証主体が定める基準の範囲内（例えば、認証基準に基づき、加速度の差異が最大で１．２Ｇ（地球上における重力加速度の１．２倍）以下の範囲内）であると認める場合に、最後にモーションセンサ２３により検出した検出結果に係る応答動作をおこなった視聴者を、視聴覚番組の番組提供主体が視聴覚番組を提供する視聴者本人であるものと認証する。視聴者認証手段２７は、最後に応答動作をおこなった視聴者が視聴者本人であるものと認証する場合に、視聴者認証（視聴覚端末）１０６ａ（図５参照）（３次情報）を出力する。出力された視聴者認証（視聴覚端末）１０６ａ（３次情報）は送信手段２９により視聴覚の認証主体が有する視聴覚認証システム４０（図８参照）に送信される。
【０２９７】
このように構成することにより、視聴覚番組の視聴者は、該視聴者が操作する視聴覚端末が備える該モーションセンサにより検出した検出結果を応答動作履歴として記録する応答動作記録手段により、該モーションセンサにより検出した検出結果を応答動作履歴として記録するとともに、該モーションセンサにより検出した検出結果を任意の条件により検索して抽出することができる。また、該モーションセンサが最後に検出した検出結果と該応答動作記録手段が記録する該応答動作履歴の中の該モーションセンサが最後に検出した検出結果を除く他の検出結果とを比較する応答動作比較手段により、該視聴者が最後におこなった応答動作と該視聴者が以前におこなった応答動作との差異を定量的に把握することができる。また、該応答動作比較手段による比較の結果に基づき、該モーションセンサが最後に検出した検出結果が該応答動作履歴に含まれる他の検出結果と所定の基準に照らして一致するものと認める場合に、該視聴者を該視聴覚番組の番組主体が該視聴覚番組の提供の対象とする視聴者本人として認証する視聴者認証を出力する視聴者認証手段により、該視聴者が該視聴覚の認証主体が定める認証基準により該視聴覚番組の番組提供主体が該視聴覚番組の提供の対象とする視聴者本人であることを認証する該視聴者認証を得ることができる。また、該視聴者認証を該視聴覚端末が備える送信手段により該視聴覚の認証主体が有する視聴覚認証システムに送信することができる。このため、該視聴者認証に基づき、該視聴覚の認証主体による該視聴者が該視聴覚番組を該視聴したことについての認証を得ることができる。
【０２９８】
また、第１乃至第４の態様のいずれか１の態様の視聴覚端末において、例えば図１に示す視聴覚端末２０は、該視聴者が所持する携帯端末として設けることができる。
【０２９９】
例えば図１に示す視聴覚端末２０は、特に、電子回路集積技術を用いることにより、小型化、軽量化が実現されている。このため、視聴覚端末２０を操作する視聴者が片手で手軽に視聴覚端末２０を把持又は所持をして操作をおこなうことができる。
【０３００】
このように構成することにより、視聴覚番組の視聴者は、該視聴者が操作する視聴覚端末が、該視聴者が所持する携帯端末として設けられることにより、該視聴覚端末を使用する時間や場所等の条件について大きく制限を受けることがなく、該視聴者が有するより多くの機会を利用して、該視聴覚番組を視聴することができる。特に、該視聴者が該視聴覚端末を使用して遠隔教育番組を視聴することで、該遠隔教育番組を提供する番組提供主体による遠隔教育がおこなわれる場合には、該視聴者が有するより多くの機会を利用して該遠隔教育をおこなうことができる。また、該遠隔教育番組の受講者である該視聴者による該遠隔教育番組の該視聴は視聴覚の認証主体が有する視聴覚認証システムを用いて認証することができるから、該視聴者並びに該遠隔教育番組を提供する番組提供主体は好適に通信教育、自習型教育等の該遠隔教育を実現することができる。
【０３０１】
また、第１乃至第４の態様のいずれか１の態様の視聴覚端末において、例えば図１に示す視聴覚端末２０が備える再生手段２１は、放送された該視聴覚番組を受信して再生するように構成することができる。
【０３０２】
例えば図１に示す再生手段２１は、放送通信衛星又は地上に設けられた電波発信塔又は有線通信ケーブルのいずれかを介して視聴覚番組の番組提供主体がおこなう無線放送又は有線放送により伝達される視聴覚番組並びに動作指示情報１０１（図３参照）の情報の放送を受信することができるチューナ（不図示）を有する。このため、受信した視聴覚番組を再生手段２１が有するチューナにより再生して視聴者に提示することができる。また、再生手段２１が有するチューナが受信した動作指示情報１０１を再生手段２１が動作指示手段２２に伝達することにより、動作指示手段２２は視聴者に動作の指示をおこなうことができる。
【０３０３】
このように構成することにより、視聴覚番組の視聴者は、該視聴者が操作する視聴覚端末が備える再生手段が、放送された該視聴覚番組を受信して再生するように構成されたことにより、該視聴者が有するより多くの機会を利用して、該放送された該視聴覚番組並びに動作指示情報を受信して該視聴覚番組を視聴することができる。
【０３０４】
また、第１乃至第４の態様のいずれか１の態様の視聴覚端末において、例えば図１に示す視聴覚端末２０が備える再生手段２１は、再生可能な記録媒体に記録された視聴覚番組を再生するように構成することができる。
【０３０５】
例えば図１に示す再生手段２１は、また、ＣＤ‐Ｒ（Ｃｏｍｐａｃｔ‐Ｄｉｓｃ‐Ｒｅｃｏｒｄａｂｌｅ）、ＤＶＤ（Ｄｉｇｉｔａｌ‐Ｖｅｒｓａｔｉｌｅ‐Ｄｉｓｃ）、光磁気ディスク（Ｍａｇｎｅｔｏ‐Ｏｐｔｉｃａｌ‐ｄｉｓｃ）、ＲＯＭ（Ｒｅａｄ‐Ｏｎｌｙ‐Ｍｅｍｏｒｙ）の電磁気学的又は光学的に再生可能な記録媒体に記録された、視聴覚番組の番組提供主体により提供される視聴覚番組を再生することができるマルチメディア・プレイヤ（不図示）を有する。また、再生可能な記録媒体には、動作指示情報１０１（図３参照）の情報も視聴覚の認証主体によりあらかじめ記録されて提供されている。このため、再生手段２１は、再生手段２１が有するマルチメディア・プレイヤにより再生可能な記録媒体から動作指示情報１０１を読み取って、動作指示情報１０１を再生手段２１から動作指示手段２２に受け渡すことができる。これにより、動作指示手段２２は視聴者への動作の指示をおこなうことができる。
【０３０６】
このように構成することにより、視聴覚番組の視聴者は、該視聴者が操作する視聴覚端末が備える再生手段が、再生可能な記録媒体に記録された視聴覚番組を再生するように構成されたことにより、再生可能な記録媒体に記録された該視聴覚番組並びに動作指示情報の情報を再生して利用することができる。このため、該視聴者が有するより多くの機会を利用して、該視聴覚番組を再生して視聴することができる。
【０３０７】
また、第１乃至第４の態様のいずれか１の態様の視聴覚端末において、例えば図１に示す視聴覚端末２０が備える再生手段２１は、電気通信回線を通じて送信可能化された視聴覚番組を再生するように構成することができる。
【０３０８】
例えば図１に示す再生手段２１は、また、無線通信又は有線通信によりワイド・エリア・ネットワーク（ＷＡＮ）（Ｗｉｄｅ‐Ａｒｅａ‐Ｎｅｔｗｏｒｋ）に接続可能な情報通信機（無線ＬＡＮ通信機（ルーター））（不図示）を有する。このため、再生手段２１は、電気通信回線を通じて視聴覚の認証主体が有する視聴覚認証システム４０（図８参照）により送信可能化された視聴覚番組についても、情報通信機（無線ＬＡＮ通信機（ルーター））を用いて視聴覚番組を再生して視聴者に視聴覚番組を提示することができる。また、電気通信回線を通じて動作指示情報１０１（図３参照）を得ることができる。特に、再生手段２１が有する情報通信機（無線ＬＡＮ通信機（ルーター））は、視聴者が視聴覚端末２０を高速電気通信回線網に接続して用いることができる場合には、ストリーミング（ストリーム配信）及びプログレッシブ・ダウンロード他の情報通信技術を用いることで、電気通信回線を通じて送信可能化された視聴覚番組を再生して視聴者に提示することができる。
【０３０９】
このように構成することにより、視聴覚番組の視聴者は、該視聴者が操作する視聴覚端末が備える再生手段が、電気通信回線を通じて送信可能化された該視聴覚番組を再生するように構成されたことにより、電気通信回線を通じて送信可能化された該視聴覚番組の情報並びに動作指示情報を得ることができる。このため、該視聴者が有するより多くの機会を利用して、該視聴覚番組を再生して視聴することができる。
【０３１０】
また、第５の態様の視聴覚端末は、第１乃至第４の態様のいずれか１の態様の視聴覚端末において、例えば図１に示す視聴覚端末２０が備える送信手段２９は、該視聴者による該視聴覚番組の視聴中に該送信をおこなうように構成されている。
【０３１１】
例えば図１に示す送信手段２９は、視聴者による視聴覚番組の視聴中においても、随時、視聴覚端末２０が出力する情報（１次情報、２次情報、３次情報）を視聴覚の認証主体が有する視聴覚認証システム４０（図８参照）に送信することができる。このため、視聴覚端末２０が高速電気通信回線網を用いた双方向の高速情報通信をおこなうことができる場合には、特に好適に、送信手段２９は、随時、視聴覚の認証主体が有する視聴覚認証システム４０（図８参照）に、視聴覚端末２０が出力する情報（１次情報、２次情報、３次情報）を送信することができる。
【０３１２】
このように構成することにより、視聴覚番組の視聴者は、該視聴者が操作する視聴覚端末が備える送信手段は、該視聴者による該視聴覚番組の視聴中に該送信をおこなうように構成されたことにより、該視聴覚端末が出力する情報を、随時、視聴覚の認証主体に送信することができる。このため、該視聴覚番組の視聴と略同時に、該視聴覚の認証主体による該視聴者が該視聴覚番組を該視聴したことについての認証を得ることができる。
【０３１３】
また、第６の態様の視聴覚端末は、第１乃至第５の態様のいずれか１の態様の視聴覚端末において、例えば図１に示す視聴覚端末２０が備える送信手段２９は、該視聴者による該視聴覚番組の再生終了後に該送信をおこなうように構成されている。
【０３１４】
例えば図１に示す視聴覚端末２０を高速電気通信回線網に接続できない場合も存在する。具体的には、視聴覚端末２０がナロー・バンドに接続されているために、視聴覚の認証主体がＷＡＮにおいておこなうストリーミング（ストリーム配信）を利用して視聴覚番組を視聴することができない場合等である。このような場合においても、視聴者は前述の放送又は再生可能な記録媒体を介して伝達される視聴覚番組を視聴覚端末２０により視聴することができる。
【０３１５】
例えば図１に示す視聴覚端末２０が備える記録手段３２は、視聴者が視聴覚番組を視聴している間においては、視聴覚端末２０が出力する情報（１次情報、２次情報、３次情報）を、視聴覚の認証主体が有する視聴覚認証システム４０（図８参照）に送信することなく、随時、記録しておく。
【０３１６】
また、視聴者は視聴覚番組の再生終了後に、図１に示す視聴覚端末２０が十分な通信能力を有する高速電気通信回線網に接続した状態において、送信手段２９により、視聴者による手動操作に従って、記録手段３２に記録された視聴覚端末２０が出力する情報（１次情報、２次情報、３次情報）を、視聴覚の認証主体が有する視聴覚認証システム４０（図８参照）に、一括して、一時に送信する。
【０３１７】
このように構成することにより、視聴覚番組の視聴者は、該視聴者が操作する視聴覚端末が備える該送信手段は、該視聴者による該視聴覚番組の再生終了後に該送信をおこなうように構成されたことにより、該視聴覚端末が高速電気通信回線網に接続できない場合においても、該視聴者が該視聴覚番組を該視聴覚端末により再生して視聴した後に、該送信手段により該視聴覚端末が出力する情報を、一括して、一時に視聴覚の認証主体に送信することができる。
【０３１８】
また、第７の態様のプログラムは、例えば図７に示すように、視聴覚番組の視聴者が操作する視聴覚端末２０（図１参照）を制御するためのプログラムであって；該視聴覚番組を再生する処理と；該視聴覚番組を提供する番組提供主体が該視聴覚番組に固有のタイミングで該視聴者に所定の動作を要求する該視聴覚番組に固有の動作指示情報１０１（図３参照）に基づき、該視聴者に該動作を指示する処理と；該視聴者が該視聴覚番組を正常に視聴していることを認証する視聴覚の認証主体に伝達するために該動作が指示されるたびに該視聴者がおこなう該視聴者の応答動作をモーションセンサ２３により検出する処理と；該モーションセンサにより検出した検出結果から得られる該視聴者の応答動作に関する情報を送信可能な信号に信号化する処理と；該視聴覚端末が出力する情報を該視聴の認証を得るために該視聴覚の認証主体が有する視聴覚認証システムに送信する処理とをおこなうように構成されている。
【０３１９】
例えば、図７に示す制御プログラムが視聴覚端末２０（図１参照）を制御する主要な処理を挙げれば、制御プログラムは、再生手段２１（図１参照）を用いて視聴覚番組を再生する（ステップＭ０１）。また、動作指示情報１０１（図３参照）に基づき、動作指示手段２２（図１参照）を用いて視聴者に動作を指示する（ステップＭ０２）。また、モーションセンサ２３（図１参照）を用いて視聴者の応答動作を検出する（ステップＭ０３）。また、信号化手段２４（図１参照）を用いてモーションセンサ２３による検出を信号化して検出結果（１次情報）として取得する。（ステップＭ０４）。また、信号化手段２４を用いて取得した検出結果（１次情報）に基づき、動作応答情報１０２（図４参照）を作成するとともに、送信手段２９により送信可能な信号に信号化する（ステップＭ０５）。また、送信手段２９（図１参照）を用いて動作応答情報１０２を視聴覚の認証主体が有する視聴覚認証システム４０（図８参照）に送信する（ステップＭ０６）。
【０３２０】
このように構成することにより、プログラムは、視聴者が操作する視聴覚端末を適切に制御して、該視聴覚番組を再生する処理により、該視聴者に該視聴覚番組を再生して提示することができる。また、該視聴覚番組を提供する番組提供主体が該視聴覚番組に固有のタイミングで該視聴者に所定の動作を要求する該視聴覚番組に固有の動作指示情報に基づき、該視聴者に該動作を指示する処理により、該視聴者に該番組提供主体が要求する所定の動作を指示することができる。また、該視聴者が該視聴覚番組を正常に視聴していることを認証する視聴覚の認証主体に伝達するために該動作が指示されるたびに該視聴者がおこなう該視聴者の応答動作をモーションセンサにより検出する処理により、該モーションセンサを用いて該視聴者がおこなう応答動作を検出することができる。また、該モーションセンサにより検出した検出結果から得られる該視聴者の応答動作に関する情報を送信可能な信号に信号化する処理により、該モーションセンサにより検出した検出結果から得られる該視聴者の動作応答に関する情報を視聴覚の認証主体に送信可能な信号として取得あるいは作成することができる。また、該視聴覚端末が出力する情報を該視聴の認証を得るために該視聴覚の認証主体が有する視聴覚認証システムに送信する処理により、該視聴覚端末が出力する情報を該視聴覚の認証主体が有する視聴覚認証システムに送信することができる。このため、該モーションセンサにより検出した検出結果から得られる該視聴者の応答動作に関する情報に基づき、該視聴覚の認証主体による該視聴者が該視聴覚番組を該視聴したことについての認証を得ることができる。
【０３２１】
また、第８の態様の視聴覚認証システムは、例えば図８に示す視聴覚番組の視聴者が該視聴覚番組を正常に視聴していることを認証する視聴覚認証システム４０であって；該視聴覚番組を該視聴者の要求に応じて該視聴者が操作する視聴覚端末２０（図１参照）に送信する番組送信手段４１と；該視聴覚番組を提供する番組提供主体が該視聴覚番組に固有のタイミングで該視聴者に所定の動作を要求する情報によりなる該視聴覚番組に固有の動作指示情報１０１（図３参照）を作成する動作指示情報作成手段４２と；該視聴者が操作する視聴覚端末２０に動作指示情報１０１を送信する動作指示情報送信手段４３と；該視聴者が該視聴覚番組を正常に視聴していることを伝達するために返信する、該視聴者が操作する視聴覚端末２０が出力する視聴覚端末２０が備えるモーションセンサ２３（図１参照）により検出した検出結果から得られる該視聴者の応答動作に関する情報を受信する受信手段４４と；受信した該視聴者の応答動作に関する情報を該視聴者が該視聴覚番組を該視聴したことを認証する情報に加工する受信情報加工手段４５と；該視聴を認証するために、視聴覚認証システム４０が出力する該視聴者が該視聴覚番組を該視聴したことを認証する情報を記録する認証記録手段５３とを備え；受信情報加工手段４５は、受信した該視聴者の応答動作に関する情報を解析し、該視聴者の応答動作を特定する動作解析特定部４５ａを有する。
【０３２２】
例えば図８に示す視聴覚認証システム４０は、ＷＡＮ（Ｗｉｄｅ‐Ａｒｅａ‐Ｎｅｔｗｏｒｋ）に接続された視聴覚の認証主体が有する専用サーバーである。視聴覚認証システム４０は視聴者に対して視聴覚番組の情報を提供することができるＨＴＭＬ言語（ＨｙｐｅｒＴｅｘｔ‐Ｍａｒｋｕｐ‐Ｌａｎｇｕａｇｅ）で作成された専用の情報提供ホームページを有する。視聴覚認証システム４０は専用の情報提供ホームページを通じて視聴者からの番組送信要求１００（図１０参照）を受信する。視聴覚認証システム４０は、また、番組送信要求１００をおこなった視聴者が、視聴覚番組を提供する番組提供主体が視聴覚番組の提供の対象とする視聴者本人であるかどうかを専用の情報提供ホームページ（視聴者簡易認証ページ）を提示して確認する。視聴者本人は、あらかじめ視聴覚の認証主体が発行した「視聴者ＩＤ」（図３参照）並びに「視聴者ＩＤ」に固有の「パスワード」（視聴者簡易認証情報）（不図示）の双方の情報を通知されている。視聴者は、視聴覚認証システム４０が公開する専用の情報提供ホームページの適切な入力欄に「視聴者ＩＤ」並びに「パスワード」の双方の情報を入力する。
【０３２３】
例えば図８に示す番組送信手段４１は、「視聴者ＩＤ」（図３参照）並びに「パスワード」（不図示）を用いて簡易的に視聴覚認証システム４０（図８参照）により視聴者本人であるものと認証された視聴者からの番組送信要求１００（図１０参照）に基づき視聴者が操作する視聴覚端末２０（図１参照）に視聴覚番組を送信する、ＷＡＮに接続されたストリーミング・サーバーである。なお、視聴覚番組の情報は、番組送信手段４１に接続される番組データベース５１に記録されている。
【０３２４】
例えば図８に示す動作指示情報作成手段４２は、視聴覚番組を提供する番組提供主体が視聴覚番組に固有のタイミングで視聴者に所定の動作を要求する情報によりなる視聴覚番組に固有の動作指示情報１０１（図３参照）を作成する。動作指示情報作成手段４２は、動作指示情報作成手段４２に接続された番組データベース５１に記録されている視聴覚番組の番組提供主体により決定された視聴覚番組に固有のタイミングの情報を参照することにより、視聴覚番組に固有のタイミングにおいて、動作指示情報１０１を作成する。
【０３２５】
例えば図８に示す動作指示情報送信手段４３は、視聴覚番組に固有のタイミングで、動作指示情報１０１（図３参照）を視聴者が操作する視聴覚端末２０（図１参照）に送信する情報通信装置である。具体的には、動作指示情報送信手段４３はＷＡＮに接続された情報通信機（高速有線情報通信機（ルーター））である。動作指示情報送信手段４３は、視聴覚番組に固有のタイミングにおいて動作指示情報作成手段４２により作成された動作指示情報１０１を視聴者が操作する視聴覚端末２０に送信する。
【０３２６】
例えば図８に示す受信手段４４は、視聴者が視聴覚番組を正常に視聴していることを伝達するために視聴者が操作する視聴覚端末２０（図１参照）が備える送信手段２９（図１参照）を用いて視聴者が返信する、視聴覚端末２０が備えるモーションセンサ２３（図１参照）により検出した検出結果から得られる視聴者の応答動作に関する情報（１次情報、２次情報、３次情報）を受信する情報通信装置である。具体的には、受信手段４４は、動作指示情報送信手段４３と同様に、ＷＡＮに接続された情報通信機（高速有線情報通信機（ルーター））である。
【０３２７】
また、例えば図８（及び図９）に示す受信情報加工手段４５は、受信手段４４により受信した視聴者が操作する視聴覚端末２０（図１参照）が備えるモーションセンサ２３（図１参照）により検出した検出結果（１次情報）から得られる視聴者の応答動作に関する情報を作成する情報処理装置である。
【０３２８】
例えば図８（及び図９）に示す受信情報加工手段４５は、まず、認証基準に基づいて１次情報（モーションセンサ２３（図１参照）により検出した検出結果）を加工することにより、例えば１次情報を数値解析して作成した定量的な視聴者又は視聴覚端末の運動の情報などの２次情報未満の１次情報の派生情報を作成する。また、受信情報加工手段４５は、１次情報（又は派生情報）から認証基準に基づいて視聴者の応答動作を指標化した指標値である２次情報を作成する。また、受信情報加工手段４５は、認証基準に基づき、２次情報（視聴者の応答動作を指標化した情報）から、認証基準に基づいて視聴者による視聴覚番組の視聴を認証する情報（３次情報）を作成する。
【０３２９】
また、例えば図８（及び図９）に示す受信情報加工手段４５は、受信手段４４により受信した視聴者が操作する視聴覚端末２０（図１参照）が出力するモーションセンサ２３（図１参照）により検出した検出結果（１次情報）を解析し、視聴覚端末２０の３次元空間における運動を特定する動作解析特定部４５ａ（図９参照）を有する。受信情報加工手段４５が有する動作解析特定部４５ａは、検出結果（１次情報）から視聴覚端末２０の３次元空間における運動を数値解析をおこなうことにより加速度、角加速度、速度、角速度、変位（直交座標３軸上）、変位（直交座標３軸周り）の各次元において特定する。
【０３３０】
例えば図８に示す認証記録手段５３は、視聴覚の認証主体が視聴者による視聴覚番組の視聴を認証する根拠となる情報を認証記録１０７（図５参照）として集積して記録するデータベース装置である。認証記録手段５３は、視聴者による視聴覚番組の視聴を認証するために、視聴覚認証システム４０及び視聴覚端末２０（図１参照）が出力する視聴者が視聴覚番組を視聴したことを認証する情報（１次情報、２次情報、３次情報）を、認証記録１０７を構成する情報として集積して記録する。
【０３３１】
このように構成することにより、視聴覚の認証主体は、該視聴覚の認証主体が有する視聴覚認証システムが備える該視聴覚番組を該視聴者の要求に応じて該視聴者が操作する視聴覚端末に送信する番組送信手段により、該視聴者が操作する視聴覚端末に該視聴覚番組を送信することができる。また、該視聴覚番組を提供する番組提供主体が該視聴覚番組に固有のタイミングで該視聴者に所定の動作を要求する情報によりなる該視聴覚番組に固有の動作指示情報を作成する動作指示情報作成手段により、該視聴者に該動作を要求する該動作指示情報を作成することができる。また、該動作指示情報を該視聴者が操作する視聴覚端末に送信する動作指示情報送信手段により、該動作指示情報を該視聴者が操作する視聴覚端末に送信することができる。また、該視聴者が該視聴覚番組を正常に視聴していることを伝達するために返信する、該視聴者が操作する視聴覚端末が出力する該視聴覚端末が備えるモーションセンサにより検出した検出結果から得られる該視聴者の応答動作に関する情報を受信する受信手段により、該視聴者が操作する視聴覚端末が備えるモーションセンサにより検出した該視聴者の応答動作に関する該情報を受信することができる。また、受信した該視聴者の応答動作に関する情報を該視聴者が該視聴覚番組を該視聴したことを認証する情報に加工する受信情報加工手段により、受信した該視聴覚端末が備えるモーションセンサにより検出した該視聴者の応答動作に関する情報を加工して、該視聴者が該視聴覚番組を該視聴したことを認証する情報を得ることができる。また、該視聴を認証するために、該視聴覚認証システムが出力する該視聴者が該視聴覚番組を該視聴したことを認証する情報を記録する認証記録手段を備えることにより、該視聴者が該視聴覚番組を該視聴したことを認証する根拠となる情報を集積して認証記録を構成する情報として記録することができる。このため、該認証記録に基づき、該視聴者が該視聴覚番組を該視聴したことについての認証をおこなうことができる。
【０３３２】
また、第９の態様の視聴覚認証システムは、第８の態様の視聴覚認証システムにおいて、例えば図８に示す視聴覚認証システム４０が備える受信情報加工手段４５は、視聴覚端末２０（図１参照）が備えるモーションセンサ２３により検出した検出結果から得られる該視聴者の応答動作と動作指示情報送信手段４２により送信した動作指示情報１０１（図３参照）が指示する該動作とが所定の基準に照らして一致するものと認める場合に、該視聴者の応答動作が有効な応答動作であることを認める動作認証を出力する動作の認証部４５ｂ（図９参照）を有する。
【０３３３】
例えば図８に示す受信情報加工手段４５が有する動作の認証部４５ｂ（図９参照）は、モーションセンサ２３（図１参照）が検出した検出結果から得られる視聴者の応答動作（１次情報）と動作指示情報１０１（図３参照）が視聴者に指示する動作とが所定の基準（例えば、「加速度の差異が最大で１．２Ｇ以下の場合に動作が一致するものと認める」と定める認証基準）に照らして一致することを認証する場合に、動作認証（視聴覚認証システム）１０３ｂ（図５参照）（３次情報）を出力する。
【０３３４】
このように構成することにより、視聴覚の認証主体は、該視聴覚の認証主体が有する視聴覚認証システムが備える該受信情報加工手段が、該視聴覚端末が備えるモーションセンサにより検出した検出結果から得られる該視聴者の応答動作と該動作指示情報送信手段により送信した動作指示情報が指示する該動作とが所定の基準に照らして一致するものと認める場合に、該視聴者の該応答動作が有効な応答動作であることを認める動作認証を出力する動作の認証部を有することにより、該視聴者の応答動作が有効な応答動作であることを認める動作認証を得ることができる。また、該動作認証は、該視聴覚認証システムが備える認証記録手段により該認証記録を構成する情報として記録することができる。このため、該動作認証に基づき、該視聴者が該視聴覚番組を該視聴したことについての認証をおこなうことができる。
【０３３５】
また、第１０の態様の視聴覚認証システムは、第８又は第９の態様の視聴覚認証システムにおいて、例えば図８に示す視聴覚認証システム４０が制御処理をおこなう時刻を出力するクロック４９を備え；受信情報加工手段４５は、クロック４９が出力する動作指示情報送信手段４３により動作指示情報１０１（図３参照）を送信した時刻からクロック４９が出力する受信手段４４により該視聴者が操作する視聴覚端末２０（図１参照）が送信する視聴覚端末２０が備えるモーションセンサ２３（図１参照）により検出した検出結果から得られる該視聴者の応答動作に関する情報を受信した時刻までの該視聴者との通信に要した時間が所定の時間の範囲内である場合に、該視聴者との通信に要した時間が適正であるものと認める該視聴者との通信に要した時間に基づく時間認証（視聴覚認証システム）１０４ｂ（図５参照）を出力する第１の時間の認証部４５ｃ（図９参照）を有する。
【０３３６】
例えば図８に示す視聴覚認証システム４０は、視聴覚認証システム４０が制御処理をおこなう時刻を出力するクロック４９を備える。
【０３３７】
また、図８に示す受信情報加工手段４５が有する第１の時間の認証部４５ｃ（図９参照）は、クロック４９が出力する動作指示情報送信手段４３により動作指示情報１０１（図３参照）を送信した時刻（送信時刻）から受信手段４４により視聴覚端末２０（図１参照）が送信する視聴覚端末２０が備えるモーションセンサ２３（図１参照）により検出した検出結果から得られる視聴者の応答動作に関する情報を受信した時刻（受信時刻）までの視聴者との通信に要した時間（２次情報）が所定の時間の範囲内（例えば、認証基準に基づき、視聴者との通信に要した時間が５分間以内の時間の範囲内）である場合に、視聴者との通信に要した時間が適正であるものと認める視聴者との通信に要した時間に基づく時間認証（視聴覚認証システム）１０４ｂ（図５参照）（３次情報）を出力する。
【０３３８】
また、図８に示す視聴覚認証システム４０が備える認証記録手段５３は、受信情報加工手段４５が有する第１の時間の認証部４５ｃ（図９参照）が出力する視聴者との通信に要した時間に基づく時間認証（視聴覚認証システム）１０４ｂ（図５参照）（３次情報）を認証記録１０７（図５参照）を構成する情報として記録する。
【０３３９】
このように構成することにより、視聴覚の認証主体は、視聴覚の認証主体が有する該視聴覚認証システムが制御処理をおこなう時刻を出力するクロックを備えることにより、該クロックが出力する該視聴覚認証システムが制御処理をおこなった時刻の情報を視聴者による視聴覚番組の視聴の認証をおこなうために用いることができる。また、該視聴覚認証システムが備える該受信情報加工手段が、該クロックが出力する該動作指示情報送信手段により動作指示情報を送信した時刻から該クロックが出力する該受信手段により該視聴者が操作する該視聴覚端末が送信する該視聴覚端末が備える該モーションセンサにより検出した検出結果から得られる該視聴者の応答動作に関する情報を受信した時刻までの該視聴者との通信に要した時間が所定の時間の範囲内である場合に、該視聴者との通信に要した時間が適正であるものと認める該視聴者との通信に要した時間に基づく時間認証を出力する第１の時間の認証部を有することにより、該視聴者との通信に要した時間に基づく時間認証を、該視聴覚認証システムが備える認証記録手段が記録する認証記録を構成する情報として記録することができる。このため、該視聴者との通信に要した時間に基づく時間認証に基づき、該視聴者が該視聴覚番組を該視聴したことについての認証をおこなうことができる。
【０３４０】
また、第１１の態様の視聴覚認証システムは、第８乃至第１０の態様のいずれか１の態様の視聴覚認証システムにおいて、例えば図８に示す視聴覚認証システム４０が備える受信情報加工手段４５は、受信手段４４により受信した該視聴者が操作する視聴覚端末２０（図１参照）が備えるクロック２８（図１参照）が出力する視聴覚端末２０が該視聴者に該動作を指示した時刻から受信手段４４により受信した該視聴者が操作する視聴覚端末２０が備えるクロック２８が出力する該視聴者の応答動作を視聴覚端末２０が備えるモーションセンサ２３（図１参照）により検出した時刻までの該視聴者が応答に要した時間が所定の時間の範囲内である場合に、該視聴者が応答に要した時間が適正であるものと認める該視聴者が応答に要した時間に基づく時間認証（視聴覚認証システム）１０４ｂ（図５参照）（３次情報）を出力する第２の時間の認証部４５ｄ（図９参照）を有する。
【０３４１】
例えば図８に示す受信情報加工手段４５が備える第２の時間の認証部４５ｄ（図９参照）は、受信手段４４により受信した視聴者が操作する視聴覚端末２０（図１参照）が備えるクロック２８（図１参照）が出力する動作指示手段２２（図１参照）により視聴者に動作を指示した時刻から受信手段４４により受信した視聴者が操作する視聴覚端末２０が備えるクロック２８が出力する視聴者の応答動作を視聴覚端末２０が備えるモーションセンサ２３（図１参照）により検出した時刻までの視聴者が応答に要した時間（２次情報）が所定の時間の範囲内（例えば、認証基準に基づき、視聴者が応答に要した時間が３分間以内の時間の範囲内）である場合に、視聴者が応答に要した時間（２次情報）が適正であるものと認める視聴者が応答に要した時間に基づく時間認証（視聴覚認証システム）１０４ｂ（図５参照）（３次情報）を出力する。
【０３４２】
このように構成することにより、視聴覚の認証主体は、該視聴覚の認証主体が有する該視聴覚認証システムが備える該受信情報加工手段が、該受信手段により受信した該視聴者が操作する該視聴覚端末が備えるクロックが出力する該視聴覚端末が該視聴者に該動作を指示した時刻から該受信手段により受信した該視聴者が操作する視聴覚端末が備えるクロックが出力する該視聴者の応答動作を該視聴覚端末が備えるモーションセンサにより検出した時刻までの該視聴者が応答に要した時間が所定の時間の範囲内である場合に、該視聴者が応答に要した時間が適正であるものと認める該視聴者が応答に要した時間に基づく時間認証を出力する第２の時間の認証部を有することにより、該視聴者が応答に要した時間に基づく時間認証を得ることができる。また、該視聴者が応答に要した時間に基づく時間認証を、該視聴覚端末が備える認証記録手段により認証記録を構成する情報として記録することができる。このため、該視聴者が応答に要した時間に基づく時間認証に基づき、該視聴者が該視聴覚番組を該視聴したことについての認証をおこなうことができる。
【０３４３】
また、第１２の態様の視聴覚認証システムは、第８乃至第１１の態様のいずれか１の態様の視聴覚認証システムにおいて、図８に示す視聴覚認証システム４０は、受信手段４４により受信した視聴者が操作する視聴覚端末２０（図１参照）が備えるモーションセンサ２３（図１参照）により検出した検出結果を応答動作履歴として記録する応答動作記録手段４６と；モーションセンサ２３が最後に検出した検出結果と応答動作記録手段４６が記録する応答動作履歴の中のモーションセンサ２３が最後に検出した検出結果を除く他の検出結果とを比較する応答動作比較手段４７と；応答動作比較手段４７による比較の結果に基づき、モーションセンサ２３が最後に検出した検出結果が該応答動作履歴に含まれる他の検出結果と所定の基準に照らして一致するものと認める場合に、該視聴者を該視聴覚番組の番組提供主体が該視聴覚番組の提供の対象とする視聴者本人として認証する視聴者認証（視聴覚認証システム）１０６ｂ（図５参照）を出力する視聴者認証手段４８とを備える。
【０３４４】
例えば図８に示す応答動作記録手段４６は、前述の視聴者が操作する視聴覚端末２０（図１参照）が備える応答動作記録手段２５（図１参照）と同様に、受信手段４４が受信した視聴者が操作する視聴覚端末２０が備えるモーションセンサ２３（図１参照）が最後に検出した検出結果（１次情報）を応答動作記録手段４６に接続された大容量記憶装置（ハードディスク）である応答動作履歴データベース５２に記録するデータベース管理システムである。このため、応答動作履歴データベース５２は、受信手段４４が受信した全ての視聴者が操作する視聴覚端末２０が備えるモーションセンサ２３が検出した検出結果（１次情報）を応答動作履歴として記録しておくことができる。
【０３４５】
例えば図８に示す応答動作記録手段４６は、前述の視聴者が操作する視聴覚端末２０（図１参照）が備える応答動作記録手段２５（図１参照）と同様に、応答動作履歴データベース５２が記録する応答動作履歴（視聴者が操作する視聴覚端末２０が備えるモーションセンサ２３（図１参照）が検出した検出結果（１次情報））の情報を任意の検索条件により検索して抽出することができる。具体的に例えば、応答動作記録手段４６は、同一の視聴者がおこなった同一の動作の指示に基づく他の検出結果（１次情報）を応答動作履歴から検索して抽出する。
【０３４６】
さらに具体的に例えば、モーションセンサ２３（図１参照）により検出した検出結果（１次情報）は、図８に示す受信手段４４により受信されて受信情報加工手段４５により情報が加工されることにより、動作応答情報１０２（図４参照）を構成する「応答動作」の情報として応答動作履歴データベース５２に記録されている。また、動作応答情報１０２を構成する情報としては、動作応答情報１０２に対応する情報である動作指示情報１０１（図３参照）が記録されているとともに、動作指示情報１０１を構成する情報としては、「視聴者ＩＤ」、「指示動作」、「指示ＩＤ」の情報が記録されている。このため、応答動作記録手段２５は、「視聴者ＩＤ」及び「指示動作」が同一で、かつ、「指示ＩＤ」が異なることを検索条件として応答動作履歴を検索することで、同一の視聴者がおこなった同一の動作の指示に基づく他の検出結果（動作応答情報１０２を構成する「応答動作」の情報）（１次情報）を検索して抽出することができる。
【０３４７】
例えば図８に示す応答動作比較手段４７は、前述の視聴者が操作する視聴覚端末２０（図１参照）が備える応答動作比較手段２６（図１参照）と同様に、モーションセンサ２３（図１参照）が最後に検出した検出結果（動作応答情報１０２（図４参照）を構成する「応答動作」の情報）（１次情報）と応答動作記録手段４６により検索されて抽出された他の検出結果（動作応答情報１０２を構成する「応答動作」の情報）（１次情報）とを比較する。応答動作比較手段４７は、複数の動作応答情報１０２を相互に比較することによりモーションセンサ２３（図１参照）により検出した検出結果（１次情報）の差異（２次情報）を定量的に把握することができる。
【０３４８】
例えば図８に示す視聴者認証手段４８は、前述の視聴者が操作する視聴覚端末２０（図１参照）が備える視聴者認証手段２７（図１参照）と同様に、応答動作比較手段４７により定量的に把握された「応答動作」（１次情報）の差異（２次情報）を視聴覚の認証主体が定める所定の基準に照らして評価する認証装置である。視聴者認証手段４８は、モーションセンサ２３（図１参照）が最後に検出した検出結果（動作応答情報１０２（図４参照）を構成する「応答動作」の情報）（１次情報）と応答動作記録手段４６により検索されて抽出された他の検出結果（動作応答情報１０２を構成する「応答動作」の情報）（１次情報）との「応答動作」（１次情報）の差異（２次情報）が視聴覚の認証主体が定める基準の範囲内（例えば、認証基準に基づき、加速度の差異が最大で１．２Ｇ以下の範囲内）であると認める場合に、最後に応答動作をおこなった視聴者を、番組提供主体が視聴覚番組を提供する視聴者本人であるものと認証する。視聴者認証手段４８は、最後に応答動作をおこなった視聴者が視聴者本人であるものと認証する場合に、視聴者認証（視聴覚認証システム）１０６ｂ（図５参照）（３次情報）を出力する。また、出力された視聴者認証（視聴覚認証システム）１０６ｂを、認証記録手段５３により認証記録１０７（図５参照）を構成する情報として記録する。
【０３４９】
このように構成することにより、視聴覚の認証主体は、該視聴覚の認証主体が有する視聴覚認証システムが備える該受信手段により受信した該視聴者が操作する該視聴覚端末が備える該モーションセンサにより検出した検出結果を応答動作履歴として記録する応答動作記録手段により、該モーションセンサにより検出した検出結果を応答動作履歴として記録するとともに、任意の条件により該モーションセンサにより検出した検出結果を検索して抽出することができる。また、該モーションセンサが最後に検出した検出結果と該応答動作記録手段が記録する応答動作履歴の中の該モーションセンサが最後に検出した検出結果を除く他の検出結果とを比較する応答動作比較手段により、該視聴者が最後におこなった応答動作と該視聴者が以前におこなった応答動作との差異を定量的に把握することができる。また、該応答動作比較手段による比較の結果に基づき、該モーションセンサが最後に検出した検出結果が応答動作履歴に含まれる他の検出結果と所定の基準に照らして一致するものと認める場合に、該視聴者を該視聴覚番組の番組提供主体が該視聴覚番組の提供の対象とする視聴者本人として認証する視聴者認証を出力する視聴者認証手段により、該視聴者が該視聴覚番組の番組提供主体が該視聴覚番組の提供の対象とする視聴者本人であることを認証する視聴者認証を得ることができる。また、該視聴者認証を該視聴覚認証システムが備える認証記録手段により認証記録を構成する情報として記録することができる。このため、該視聴者認証に基づき、該視聴者が該視聴覚番組を該視聴したことについての認証をおこなうことができる。
【０３５０】
また、第１３の態様のプログラムは、例えば図１０に示すように、視聴覚認証システム４０（図８参照）を制御するために用いる視聴覚番組の視聴者が該視聴覚番組を正常に視聴していることを認証する視聴覚認証システムを制御するためのプログラムであって；該視聴者の要求に応じて該視聴覚番組を該視聴者が操作する視聴覚端末２０（図１参照）に送信する処理と；該視聴覚番組を提供する番組提供主体が該視聴覚番組に固有のタイミングで該視聴者に所定の動作を要求する情報によりなる該視聴覚番組に固有の動作指示情報１０１（図３参照）を作成する処理と；動作指示情報１０１を該視聴者が操作する視聴覚端末２０に送信する処理と；該視聴者が該視聴覚番組を正常に視聴していることを伝達するために返信する、該視聴者が操作する視聴覚端末２０が出力する視聴覚端末２０が備えるモーションセンサ２３（図１参照）により検出した検出結果から得られる該視聴者の応答動作に関する情報を受信する処理と；受信した該視聴者の応答動作に関する情報を該視聴者が該視聴覚番組を該視聴したことを認証する情報に加工する処理と；受信した該視聴者の応答動作に関する情報を解析し、該視聴者の応答動作を特定する処理と；該視聴を認証するために、該視聴覚認証システムが出力する該視聴者が該視聴覚番組を該視聴したことを認証する情報を記録する処理とをおこなうように構成されている。
【０３５１】
例えば、図１０に示す制御プログラムが視聴覚認証システム４０（図８参照）を制御する主要な処理を挙げれば、制御プログラムは、視聴者からの番組送信要求１００に応じて番組送信手段４１（図８参照）を用いて番組データベース５１（図８参照）に記録される視聴覚番組を視聴者が操作する視聴覚端末２０（図１参照）に送信する（ステップＳ０１）。また、視聴覚番組を提供する番組提供主体が視聴覚番組に固有のタイミングで視聴者に所定の動作を要求する情報によりなる視聴覚番組に固有の動作指示情報１０１（図３参照）を動作指示情報作成手段４２（図８参照）を用いて作成する（ステップＳ０２）。また、動作指示情報１０１（図３参照）を動作指示情報送信手段４３（図８参照）を用いて視聴者に送信する（ステップＳ０３）。また、視聴者が返信する視聴者が操作する視聴覚端末２０が出力する視聴覚端末２０が備えるモーションセンサ２３（図１参照）により検出した検出結果から得られる視聴者の応答動作に関する情報を受信手段４４（図８参照）を用いて受信する（ステップＳ０４）。また、受信したモーションセンサ２３により検出した検出結果（１次情報）から得られる視聴者の応答動作に関する情報（１次情報、２次情報、３次情報）を受信情報加工手段４５（図８参照）を用いて視聴覚の認証主体が定める認証基準に照らして視聴者が視聴覚番組を視聴したことを認証する情報（１次情報、２次情報、３次情報）に加工して出力する。なお、この際には、受信情報加工手段４５が有する動作解析特定部４５ａ（図９参照）を用いて受信した視聴者の応答動作に関する情報を解析して視聴者の応答動作を特定する（ステップＳ０５）。また、視聴覚認証システムが出力する視聴者が視聴覚番組を視聴したことを認証する情報を認証記録手段５３（図８参照）を用いて記録する（ステップＳ１１）。
【０３５２】
このように構成することにより、プログラムは、視聴覚の認証主体が有する視聴覚認証システムを適切に制御して、視聴者の要求に応じて視聴覚番組を該視聴者が操作する視聴覚端末に送信する処理により、該視聴者が操作する該視聴覚端末に該視聴覚番組を送信することができる。また、該視聴覚番組を提供する番組提供主体が該視聴覚番組に固有のタイミングで該視聴者に所定の動作を要求する情報によりなる該視聴覚番組に固有の動作指示情報を作成する処理により、該視聴者に該動作を要求する動作指示情報を作成することができる。また、該動作指示情報を該視聴者が操作する該視聴覚端末に送信する処理により、該視聴者が操作する該視聴覚端末に該動作指示情報を送信することができる。また、該視聴者が該視聴覚番組を正常に視聴していることを伝達するために返信する、該視聴者が操作する視聴覚端末が出力する該視聴覚端末が備えるモーションセンサにより検出した検出結果から得られる該視聴者の応答動作に関する情報を受信する処理により、該視聴者が返信する該視聴覚端末が備えるモーションセンサにより検出した検出結果から得られる該視聴者の応答動作に関する情報を受信することができる。また、受信した該視聴者の応答動作に関する情報を該視聴者が該視聴覚番組を該視聴したことを認証する情報に加工する処理により、視聴覚の認証主体が定める認証基準に照らして該視聴者が該視聴覚番組を該視聴したことを認証する認証結果を得ることができる。また、受信した該視聴者の応答動作に関する情報を解析し、該視聴者の応答動作を特定する処理により、受信したモーションセンサ−により検出した検出結果に基づき、該視聴覚端末の運動を特定することにより、該視聴覚端末を操作する該視聴者の応答動作を特定して該受信情報加工手段による情報処理を実現することができる。また、該視聴を認証するために、該視聴覚認証システムが出力する該視聴者が該視聴覚番組を該視聴したことを認証する情報を記録する処理により、該視聴者が該視聴覚番組を該視聴したことを認証する情報を該視聴覚認証システムが備える認証記録手段が記録する認証記録を構成する情報として記録することができる。このため、該認証記録に基づき、該視聴者が該視聴覚番組を該視聴したことについての認証をおこなうことができる。
【０３５３】
また、第１４の態様の視聴覚端末は、例えば図１１に示す視聴覚番組の視聴者が操作する視聴覚端末６０であって；視聴覚番組を再生する再生手段６１と；該視聴者による再生操作により再生された該視聴覚番組の中から該視聴覚番組を提供する番組提供主体により該視聴覚番組内に所定の時間の間隔で設けられた信号である再生認証ポイント１１０（図１２、図１３参照）を検出する再生検出手段６２と；再生検出手段６２により再生認証ポイント１１０が検出された時刻を出力するクロック６３と；該視聴者が該視聴覚番組を正常に視聴していることを認証する視聴覚の認証主体に伝達するために、該検出された再生認証ポイント１１０並びに再生認証ポイント１１０が検出された時刻を該視聴覚の認証主体が有する視聴覚認証システム８０（図１６参照）に送信する送信手段とを備える。
【０３５４】
例えば図１１に示す再生手段６１は、視聴覚番組を視聴する視聴者に番組提供主体が提供する視聴覚番組を映像と音声とにより提示する。また、再生手段６１は、前述の視聴覚端末２０（図１参照）が備える再生手段２１（図１参照）と同様に、放送又は再生可能な記録媒体又は電気通信回線のいずれかの情報伝達媒体を介して伝達される視聴覚番組についても視聴者に提供することができる。また、番組提供主体が提供する視聴覚番組の情報の中には、視聴者による視聴覚番組の視聴を確認する目的で、番組提供主体によって所定の時間の間隔で設けられる視聴覚番組の番組進行時間を画定する信号である再生認証ポイント１１０（図１２参照）が視聴覚番組内の時間軸上の各位置（図１３参照）に設けられて視聴者への視聴覚番組の提供がなされている。また、再生認証ポイント１１０が設けられた周期の情報については再生認証ポイント１１０を構成する情報である「周期情報」として視聴覚の認証主体により暗号化されて再生認証ポイント１１０（図１２参照）の情報に記録されている。
【０３５５】
例えば図１１に示す再生検出手段６２は、再生手段６１により再生された視聴覚番組の情報の中から視聴覚番組を提供する番組提供主体により視聴覚番組内に所定の時間の間隔で設けられた視聴覚番組の番組進行時間を画定する信号である再生認証ポイント１１０（図１２参照）を検出する。
【０３５６】
例えば図１１に示すクロック６３は、再生検出手段６２により再生認証ポイント１１０（図１２、図１３参照）が検出された時刻を出力する。クロック６３が出力する時刻は、再生認証ポイント１１０を構成する情報である「検出時刻」の情報として再生認証ポイント１１０の情報に記録される。
【０３５７】
例えば図１１に示す送信手段６５は、再生認証ポイント１１０（図１２、図１３参照）並びに再生認証ポイント１１０を検出した時刻を視聴覚の認証主体が有する視聴覚認証システム８０（図１６参照）に送信する。このため、再生認証ポイント１１０並びに再生認証ポイント１１０を検出した時刻を受信した視聴覚の認証主体は、視聴者が操作する視聴覚端末６０によって視聴覚番組が再生された時刻並びに視聴覚番組が再生された時刻に基づく番組再生時間を把握することができる。
【０３５８】
このように構成することにより、視聴覚番組の視聴者は、該視聴者が操作する視聴覚端末が備える該視聴覚番組を再生する再生手段により、該視聴覚番組を再生して視聴することができる。また、該視聴者による再生操作により再生された該視聴覚番組の中から該視聴覚番組を提供する番組提供主体により該視聴覚番組内に所定の時間の間隔で設けられた信号である再生認証ポイントを検出する再生検出手段により、該視聴覚番組の情報の中から該再生認証ポイントを検出することができる。また、該再生検出手段により該再生認証ポイントが検出された時刻を出力するクロックにより、該再生認証ポイントが検出された時刻の情報を出力して該再生認証ポイントが検出された時刻の情報を視聴の認証を得るために用いることができる。また、該視聴者が該視聴覚番組を正常に視聴していることを認証する視聴覚の認証主体に伝達するために、検出された該再生認証ポイント並びに該再生認証ポイントが検出された時刻を該視聴覚の認証主体が有する視聴覚認証システムに送信する送信手段により、検出された該再生認証ポイント並びに該再生認証ポイントが検出された時刻を該視聴覚の認証主体が有する視聴覚認証システムに送信することができる。このため、該視聴覚の認証主体による該視聴者が該視聴覚番組を該視聴したことについての認証を得ることができる。
【０３５９】
また、第１５の態様の視聴覚端末は、第１４の態様の視聴覚端末において、例えば図１１に示す２以上の再生認証ポイント１１０（図１２、図１３参照）が検出された時刻から該視聴者による再生操作履歴を解析して出力する視聴解析手段６６を備え；送信手段６５は、視聴解析手段６６により出力された再生操作履歴（視聴覚端末）１１１ａ（図１４参照）を、該視聴を認証するために、さらに該視聴覚の認証主体が有する視聴覚認証システム８０（図１６参照）に送信するように構成されている。
【０３６０】
例えば図１１に示す視聴解析手段６６は、２以上の再生認証ポイント１１０（図１２、図１３参照）が検出された時刻から視聴者による視聴覚番組の再生操作の履歴である再生操作履歴を解析して出力する。再生認証ポイント１１０は番組提供主体の決定に基づき、視聴覚の認証主体により番組進行時間に対して（図１３に示す各点１１０ａ上に）一定の周期で設けられているとともに、再生認証ポイント１１０（図１２参照）には視聴者による視聴覚番組の視聴の結果、クロック６３により出力される番組再生時刻が記録されている。
【０３６１】
このため、視聴解析手段６６は、再生認証ポイント１１０（図１２参照）を構成する個別情報である「周期情報」並びに「検出時刻」を参照することにより番組進行時間と番組再生時間とを比較することができる。また、視聴解析手段６６は、番組進行時間と番組再生時間とを比較することにより、視聴者による視聴覚番組の再生速度を把握することができる。このように、視聴解析手段６６は、再生認証ポイント１１０が設けられた視聴覚番組の具体的な再生部分が視聴者による再生操作により再生された時刻を番組進行時間とともに把握することができるから、番組進行時間と番組再生時間とを比較することにより、視聴者が視聴覚番組を再生した再生速度を再生操作履歴として算出することができる。
【０３６２】
また、例えば図１１に示す視聴解析手段６６により解析された視聴者の再生操作履歴は、再生操作履歴（視聴覚端末）１１１ａ（図１４参照）として出力される。また、送信手段６５は、再生操作履歴（視聴覚端末）１１１ａを視聴覚の認証主体が有する視聴覚認証システム８０（図１６参照）に送信する。
【０３６３】
このように構成することにより、視聴覚番組の視聴者は、該視聴者が操作する視聴覚端末が備える２以上の該再生認証ポイントが検出された時刻から該視聴者による再生操作履歴を解析して出力する視聴解析手段により、該視聴者による該再生操作履歴を出力して得ることができる。また、該視聴覚端末が備える送信手段は、該視聴解析手段により出力された再生操作履歴を、該視聴を認証するために、さらに該視聴覚の認証主体が有する視聴覚認証システムに送信するように構成されたことにより、該再生操作履歴を該視聴覚の認証主体が有する視聴覚認証システムに送信することができる。このため、該視聴覚の認証主体による該視聴者が該視聴覚番組を該視聴したことについての認証を得ることができる。
【０３６４】
また、第１６の態様の視聴覚端末は、第１５の態様の視聴覚端末において、例えば図１１に示す視聴覚端末６０は、再生操作履歴（視聴覚端末）１１１ａ（図１４参照）に基づき、該視聴者が所定の範囲内の再生速度により所定の時間だけ該視聴覚番組の該視聴をおこなったことを認証する該再生操作履歴に基づく視聴認証を出力する視聴認証手段６７を備え；送信手段６５は、視聴認証手段６７により出力される再生操作履歴（視聴覚端末）１１１ａに基づく視聴認証（視聴覚端末）１１４ａ（図１４参照）を、さらに該視聴覚の認証主体が有する視聴覚認証システム８０（図１６参照）に送信するように構成されている。
【０３６５】
例えば図１１に示す視聴認証手段６７は、視聴解析手段６６により出力された再生操作履歴（視聴覚端末）１１１ａ（図１４参照）に基づき、視聴者が視聴覚の認証主体が定める所定の範囲内の再生速度（例えば、２倍速以下の再生速度）により所定の時間（例えば、６０分間以上）だけ視聴覚番組の視聴をおこなったことを認証する再生操作履歴（視聴覚端末）１１１ａに基づく視聴認証（視聴覚端末）１１４ａ（図１４参照）を出力する。また、送信手段６５は、視聴認証手段６７により出力される再生操作履歴（視聴覚端末）１１１ａに基づく視聴認証（視聴覚端末）１１４ａを視聴覚の認証主体が有する視聴覚認証システム８０（図１６参照）に送信する。
【０３６６】
このように構成することで、視聴覚番組の視聴者は、該視聴者が操作する視聴覚端末が備える、該再生操作履歴に基づき、該視聴者が所定の範囲内の再生速度により所定の時間だけ該視聴覚番組の該視聴をおこなったことを認証する該再生操作履歴に基づく視聴認証を出力する視聴認証手段により、該再生操作履歴に基づく視聴認証を出力して得ることができる。また、該送信手段は、該視聴認証手段により出力される該再生操作履歴に基づく視聴認証を、さらに該視聴覚の認証主体が有する視聴覚認証システムに送信するように構成されたことにより、該再生操作履歴に基づく視聴認証を該視聴覚の認証主体が有する視聴覚認証システムに送信することができる。このため、該再生操作履歴に基づく視聴認証に基づき、該視聴覚の認証主体による該視聴者が該視聴覚番組を該視聴したことについての認証を得ることができる。
【０３６７】
また、第１４乃至第１６の態様のいずれか１の態様の視聴覚端末において、例えば図１１に示す視聴覚端末６０は、該視聴者が所持する携帯端末として設けることができる。
【０３６８】
例えば図１１に示す視聴覚端末６０は、再生手段６１、再生検出手段６２、クロック６３、記録手段６４、送信手段６５、視聴解析手段６６、視聴認証手段６７、並びにこれらの装置を制御するマイクロ・プロセッサ（ＭＰＵ）７０を備える高機能な視聴覚端末でありながら、特に、電子回路集積技術を用いることにより、小型化、軽量化が実現されている。このため、視聴覚端末６０を操作する視聴者が片手で手軽に視聴覚端末６０を把持して操作することができる。
【０３６９】
このように構成することにより、視聴覚番組の視聴者は、該視聴者が操作する該視聴覚端末が、該視聴者が所持する携帯端末であることにより、該視聴覚端末を使用する時間や場所等の条件について大きく制限を受けることがなく、該視聴者が有するより多くの機会を利用して、該視聴覚番組を視聴することができる。特に、該視聴者が該視聴覚端末を使用して遠隔教育番組を視聴することで、該遠隔教育番組を提供する番組提供主体による遠隔教育がおこなわれる場合には、該視聴者が有するより多くの機会を利用して該遠隔教育をおこなうことができる。また、該遠隔教育番組の受講者である該視聴者による該遠隔教育番組の視聴を視聴覚の認証主体が客観的に認証することができるから、該視聴者並びに該遠隔教育番組を提供する該番組提供主体は好適に通信教育、自習型教育等の該遠隔教育を実現することができる。
【０３７０】
また、第１７の態様の視聴覚端末は、第１４乃至第１６の態様のいずれか１の態様の視聴覚端末において、例えば視聴覚端末６０（図１１参照）に視聴覚端末２０（図１参照）の機能を組み込んだ視聴覚番組の視聴者が操作する図１８に示す視聴覚端末６０ａであって；該視聴覚番組を提供する番組提供主体が該視聴覚番組に固有のタイミングで該視聴者に所定の動作を要求する該視聴覚番組に固有の動作指示情報１０１（図３参照）に基づき、該視聴者に該動作を指示する動作指示手段２２（図１参照）と；該視聴者が該視聴覚番組を正常に視聴していることを認証する視聴覚の認証主体に伝達するために動作指示手段２２（図１参照）により該動作が指示されるたびに該視聴者がおこなう該視聴者の応答動作を検出するモーションセンサ２３（図１参照）と；モーションセンサ２３により検出した検出結果から得られる該視聴者の応答動作に関する情報を該送信手段で送信可能な信号に信号化する信号化手段２４（図１参照）とを備え；該送信手段は、該視聴覚端末が出力する情報を該視聴の認証を得るために該視聴覚の認証主体が有する視聴覚認証システムに送信するように構成されている。
【０３７１】
例えば図１１に示す視聴覚端末６０に視聴覚端末２０（図１参照）の機能を組み込んだ図１８に示す視聴覚端末６０ａを構成することができる。この場合には、視聴覚の認証主体は、視聴覚番組の視聴者が、視聴覚端末６０に視聴覚端末２０の機能を組み込んだ視聴覚端末６０ａ（図１８参照）を用いて視聴覚番組を再生して視聴することにより、視聴者に所定の動作を頻繁に要求することなく、視聴覚の認証主体による厳密な視聴の認証をおこなうことができる。
【０３７２】
具体的には、視聴者が視聴覚端末６０ａ（図１８参照）を用いる場合には、視聴覚の認証主体は、視聴者に頻繁に所定の動作を要求しなくても、再生認証ポイント１１０（図１２、図１３参照）を用いて、視聴者が視聴覚番組を再生していることを認証することができる。このため、視聴覚の認証主体は、頻繁に視聴者に応答動作を要求して視聴の認証をおこなう必要がない。例えば、視聴覚の認証主体は、視聴者が視聴覚端末６０ａにより視聴覚番組を視聴する場合には、視聴者に所定の動作を要求しておこなう視聴の認証の回数を、視聴覚番組の冒頭部、視聴覚番組の番組進行時間の中央部、視聴覚番組の終了部の３回程度の回数として少なく抑えることができる。
【０３７３】
一方で、視聴覚の認証主体は、視聴者が図１８に示す視聴覚端末６０ａを用いる場合には、再生認証ポイント１１０（図１２、図１３参照）を用いた視聴の認証をおこなうのみならず、視聴者に所定の動作を要求して視聴の認証をおこなうことができるから、再生認証ポイント１１０を用いた視聴の認証のみをおこなう視聴の認証の場合と比較して、さらに厳密に視聴の認証をおこなうことができる。言い換えれば、視聴者が視聴覚端末を作動させたまま放置してしまったような場合を検知することができる。以上、第１の態様の部品又は機能を組み込む場合について説明したが、第２から第６の態様の部品又は機能をそれぞれ組み込むものとしてもよい。
【０３７４】
このように構成することにより、視聴覚の認証主体は、該視聴者に所定の動作を頻繁に要求することなく、該視聴覚の認証主体による厳密な該視聴の認証をおこなうことができる。すなわち、視聴覚端末６０の機能があるので、動作指示の頻度が低くても、再生認証ポイント１１０（図１２、図１３参照）を用いて視聴を時々刻々認証できる。したがって、視聴者は、番組視聴中に視聴をある程度妨げ得る応答動作を頻繁に行う必要がない。また、視聴覚端末２０の機能があるので、視聴覚端末を作動させたまま放置するような行為がなかったことを認証できる。このような相乗効果を享受できる。
【０３７５】
また、第１８の態様のプログラムは、例えば図１５に示すように、視聴覚番組の視聴者が操作する視聴覚端末６０（図１１参照）を制御するためのプログラムであって；該視聴覚番組を該視聴者による視聴覚端末６０の操作に従って再生して提示する処理と；該視聴者による再生操作により再生された該視聴覚番組の中から該視聴覚番組を提供する該番組提供主体により該視聴覚番組内に所定の時間の間隔で設けられた信号である再生認証ポイント１１０（図１２、図１３参照）を検出する処理と；再生認証ポイント１１０が検出された時刻を出力する処理と；該視聴者が該視聴覚番組を正常に視聴していることを認証する視聴覚の認証主体に伝達するために、検出された再生認証ポイント１１０並びに再生認証ポイント１１０が検出された時刻を該視聴覚の認証主体が有する視聴覚認証システム８０（図１６参照）に送信する処理とをおこなうように構成されている。
【０３７６】
例えば図１５に示す制御プログラムが視聴覚端末６０（図１１参照）を制御する主要な処理を挙げれば、制御プログラムは、視聴者の視聴覚端末６０の操作に従って再生手段６１（図１１参照）を用いて視聴覚番組を再生して視聴者に提示する（ステップＮ０１）。また、視聴者による再生操作により再生された視聴覚番組の中から視聴覚番組を提供する番組提供主体により視聴覚番組内に所定の時間の間隔で設けられた信号である再生認証ポイント１１０（図１２、図１３参照）を再生検出手段６２（図１１参照）を用いて検出する（ステップＮ０２）。また、クロック６３（図１１参照）を用いて再生検出手段６２により再生認証ポイント１１０が検出された時刻を出力する（ステップＮ０３）。また、視聴者が視聴覚番組を正常に視聴していることを認証する視聴覚の認証主体に伝達するために、再生検出手段６２により検出された再生認証ポイント１１０並びにクロック６３により出力された再生検出手段６２が再生認証ポイント１１０を検出した時刻を送信手段６５（図１１参照）を用いて視聴覚の認証主体が有する視聴覚認証システム８０（図１６参照）に送信する（ステップＮ０４）。
【０３７７】
このように構成することにより、プログラムは、視聴覚番組の視聴者が操作する視聴覚端末を適切に制御して、該視聴覚番組を該視聴者による該視聴覚端末の操作に従って再生して提示する処理により、該視聴者による操作に従って、該視聴者に該視聴覚番組を再生して提示することができる。また、該視聴者による再生操作により再生された該視聴覚番組の中から該視聴覚番組を提供する番組提供主体により該視聴覚番組内に所定の時間の間隔で設けられた信号である再生認証ポイントを検出する処理により、該視聴覚番組の情報の中から該再生認証ポイントを検出することができる。また、該再生認証ポイントが検出された時刻を出力する処理により、該再生認証ポイントが検出された時刻の情報を出力して利用することができる。また、該視聴者が該視聴覚番組を正常に視聴していることを認証する視聴覚の認証主体に伝達するために、該検出された該再生認証ポイント並びに該再生認証ポイントが検出された時刻を該視聴覚の認証主体が有する視聴覚認証システムに送信する処理により、該再生認証ポイント並びに該再生認証ポイントが検出された時刻を該視聴覚の認証主体が有する視聴覚認証システムに送信することができる。このため、該再生認証ポイントの情報並びに該再生認証ポイントが検出された時刻の情報に基づき、該視聴覚の認証主体による該視聴者が該視聴覚番組を該視聴したことについての認証を得ることができる。
【０３７８】
また、第１９の態様の視聴覚端末を制御するためのプログラムは、第１８の態様の視聴覚端末を制御するためのプログラムにおいて、例えば視聴覚端末６０（図１１参照）に視聴覚端末２０（図１参照）の機能を組み込んだ視聴覚番組の視聴者が操作する視聴覚端末６０ａ（図１８参照）を制御するための制御プログラム（不図示）であって；該視聴覚番組を提供する番組提供主体が該視聴覚番組に固有のタイミングで該視聴者に所定の動作を要求する該視聴覚番組に固有の動作指示情報１０１（図３参照）に基づき、該視聴者に該動作を指示する処理と；該視聴者が該視聴覚番組を正常に視聴していることを認証する視聴覚の認証主体に伝達するために該動作が指示されるたびに該視聴者がおこなう該視聴者の応答動作をモーションセンサ２３（図１参照）により検出する処理と；モーションセンサ２３により検出した検出結果から得られる該視聴者の応答動作に関する情報を送信可能な信号に信号化する処理と；該視聴覚端末が出力する情報を該視聴の認証を得るために該視聴覚の認証主体が有する視聴覚認証システムに送信する処理とをおこなうように構成されている。
【０３７９】
例えば視聴覚端末６０（図１１参照）を制御する図１５に示す制御プログラムに視聴覚端末２０（図１参照）を制御する制御プログラム（図７参照）がおこなう制御処理を組み込んだ制御プログラム（不図示）を用いて制御をおこなうことにより、視聴覚端末６０に視聴覚端末２０の機能を組み込んだ視聴覚端末６０ａ（図１８参照）を制御することができる。この場合には、視聴覚の認証主体は、視聴者が、視聴覚番組を本制御プログラムにより制御される視聴覚端末６０ａ（図１８参照）により再生して視聴することにより、前述の通り、視聴者に所定の動作を頻繁に要求することなく、視聴覚の認証主体による厳密な視聴の認証をおこなうことができる。
【０３８０】
このように構成することにより、本制御プログラムは、視聴覚端末を制御するための第１８の態様のプログラムであって；該視聴覚番組を提供する番組提供主体が該視聴覚番組に固有のタイミングで該視聴者に所定の動作を要求する該視聴覚番組に固有の動作指示情報に基づき、該視聴者に該動作を指示する処理と；該視聴者が該視聴覚番組を正常に視聴していることを認証する視聴覚の認証主体に伝達するために該動作が指示されるたびに該視聴者がおこなう該視聴者の応答動作をモーションセンサにより検出する処理と；該モーションセンサにより検出した検出結果から得られる該視聴者の応答動作に関する情報を送信可能な信号に信号化する処理と；該視聴覚端末が出力する情報を該視聴の認証を得るために該視聴覚の認証主体が有する視聴覚認証システムに送信する処理とをおこなうように構成されたことにより、該視聴者に所定の動作を頻繁に要求することなく、該視聴覚の認証主体による厳密な視聴の認証をおこなうことができる。
【０３８１】
また、第２０の態様の視聴覚認証システムは、例えば図１６に示す視聴覚番組の視聴者が該視聴覚番組を正常に視聴していることを認証する視聴覚認証システム８０であって；該視聴覚番組に所定の時間の間隔で該視聴覚番組の番組進行時間を画定する信号である再生認証ポイントを設ける再生認証ポイント設置手段８１と；該視聴覚番組を該視聴者の要求に応じて該視聴者が操作する視聴覚端末６０（図１１参照）に送信する番組送信手段８２と；該視聴者が視聴覚端末６０を用いて該視聴覚番組を再生することにより検出される該視聴覚番組を提供する番組提供主体が該視聴覚番組内に所定の時間の間隔で設けた信号である再生認証ポイント１１０（図１２、図１３参照）を受信する受信手段８３と；受信手段８３により再生認証ポイント１１０を受信した時刻を出力するクロック８４と；該視聴を認証するために、再生認証ポイント１１０並びに再生認証ポイント１１０を受信した時刻を記録する認証記録手段９２とを備える。
【０３８２】
例えば図１６に示す視聴覚認証システム８０は、前述の視聴覚認証システム４０（図８参照）と同様に、視聴覚の認証主体が有するＷＡＮに接続された専用サーバーである。また、前述の視聴覚認証システム４０と同様に、視聴覚番組の視聴者に視聴覚番組の概要等を伝達することができる専用の情報提供ホームページを提示するとともに、視聴者からの番組送信要求１００（図１７参照）に応じて、視聴者を「視聴者ＩＤ」（図１２参照）並びに「視聴者ＩＤ」に固有の「パスワード」（視聴者簡易認証情報）（不図示）の双方の情報を用いて確認する。
【０３８３】
例えば図１６に示す再生認証ポイント設置手段８１は、視聴覚番組の番組提供主体により提供された番組データベース９１に記録される視聴覚番組に視聴覚番組の番組進行時間を画定する再生認証ポイント１１０（図１２参照）を所定の間隔（図１３参照）で設置する情報処理装置である。再生認証ポイント設置手段８１は、視聴覚番組の所定の番組進行時間において再生認証ポイント１１０の情報を視聴覚番組を構成する情報の中に挿入するとともに、再生認証ポイント１１０を構成する「周期情報」の情報に設置する再生認証ポイント１１０により画定する番組進行時間の情報を暗号化して記録する。再生認証ポイント設置手段８１により再生認証ポイント１１０が設置された視聴覚番組は、再び番組データベース９１に記録される。
【０３８４】
例えば図１６に示す番組送信手段８２は、前述の視聴覚認証システム４０（図８参照）が有する番組送信手段４１（図８参照）と同様に、「視聴者ＩＤ」（図１２参照）並びに「視聴者ＩＤ」（図１２参照）に固有の「パスワード」（視聴者簡易認証情報）（不図示）により確認された視聴者本人からの番組送信要求１００（図１７参照）に応じて、番組データベース９１に記録される番組提供主体により提供された視聴覚番組を視聴者が操作する視聴覚端末６０（図１１参照）に送信する、ＷＡＮに接続されたストリーミング・サーバーである。
【０３８５】
例えば図１６に示す受信手段８３は、視聴者が視聴覚端末６０（図１１参照）を用いて視聴覚番組を再生することにより視聴覚端末６０が備える再生検出手段６２により検出されるとともに、視聴覚端末６０が備える送信手段６５（図１１参照）により視聴覚認証システム８０に返信される再生認証ポイント１１０（図１２参照、図１３参照）の情報を受信する。受信手段８３は、ＷＡＮに接続された、情報通信機（高速有線情報通信機（ルーター））である。
【０３８６】
例えば図１６に示すクロック８４は、受信手段８３により再生認証ポイント１１０（図１２、図１３参照）を受信した時刻を出力する。再生認証ポイント１１０を受信した時刻は、概ね視聴者が操作する視聴覚端末６０（図１１参照）により視聴覚番組が再生された時刻であるものということができるから、視聴覚の認証主体は、クロック８４が出力する再生認証ポイント１１０を受信した時刻により、視聴者が操作する視聴覚端末６０により視聴覚番組が再生された時刻並びに視聴覚番組の再生時刻に基づく視聴覚番組の再生時間を把握することができる。
【０３８７】
例えば図１６に示す認証記録手段９２は、再生認証ポイント１１０（図１２、図１３参照）の情報並びにクロック８４が出力する受信手段８３が再生認証ポイント１１０を受信した時刻の情報を認証記録１１５（図１４参照）を構成する情報として記録する。
【０３８８】
このように構成することにより、視聴覚の認証主体は、該視聴覚の認証主体が有する視聴覚番組の視聴者が該視聴覚番組を正常に視聴していることを認証する視聴覚認証システムであって、該視聴覚認証システムが備える、該視聴覚番組に所定の時間の間隔で該視聴覚番組の番組進行時間を画定する信号である再生認証ポイントを設ける再生認証ポイント設置手段により、該視聴覚番組の番組進行時間を画定する所定の時間の間隔において、該視聴覚番組に該再生認証ポイントを設置することができる。また、該視聴覚番組を該視聴者の要求に応じて該視聴者が操作する視聴覚端末に送信する番組送信手段により、該視聴者が操作する該視聴覚端末に該視聴覚番組を送信して該視聴者に該視聴覚番組を提示することができる。また、該視聴者が該視聴覚端末を用いて該視聴覚番組を再生することにより検出される該視聴覚番組を提供する番組提供主体が該視聴覚番組内に所定の時間の間隔で設けた信号である再生認証ポイントを受信する受信手段により、該視聴者が操作する視聴覚端末により返信される該再生認証ポイントを受信することができる。また、該受信手段により該再生認証ポイントを受信した時刻を出力するクロックにより、該再生認証ポイントを受信した時刻の情報を出力して認証をおこなうことができる。また、該視聴を認証するために、該再生認証ポイント並びに該再生認証ポイントを受信した時刻を記録する認証記録手段により、該再生認証ポイント並びに該再生認証ポイントを受信した時刻を認証記録を構成する情報として記録することができる。このため、該認証記録に基づき、該視聴者による該視聴覚番組の該視聴を認証することができる。
【０３８９】
また、第２１の態様の視聴覚認証システムは、第２０の態様の視聴覚認証システムにおいて、例えば図１６に示す視聴覚認証システム８０が備える受信手段８３は、さらに該視聴者が操作する視聴覚端末６０（図１１参照）により記録された再生認証ポイント１１０（図１２、図１３参照）並びに再生認証ポイント１１０を検出した時刻を受信するように構成され；認証記録手段９２は、さらに視聴覚端末６０により記録された再生認証ポイント１１０（図１２、図１３参照）並びに再生認証ポイント１１０を検出した時刻を記録するように構成されている。
【０３９０】
例えば図１６に示す受信手段８３は、さらに視聴者が操作する視聴覚端末６０（図１１参照）が記録する再生認証ポイント１１０（図１２、図１３参照）並びに視聴覚端末６０が備えるクロック６３（図１１参照）により出力される再生認証ポイント１１０を検出した時刻を受信する。また、認証記録手段９２は、さらに視聴覚端末６０が備える記録手段６４（図１１参照）により記録された再生認証ポイント１１０並びに再生認証ポイント１１０を検出した時刻を認証記録１１５（図１４参照）を構成する情報として記録する。
【０３９１】
例えば図１１に示す視聴覚端末６０は、高速で情報通信をおこなうことができない通信環境においても使用される。高速で情報通信をおこなうことができない通信環境にある視聴者が操作する視聴覚端末６０は、放送又は再生可能な記録媒体を介して視聴覚番組を再生する。視聴覚端末６０は、再生認証ポイント１１０（図１２、図１３参照参照）並びに視聴覚端末６０が備えるクロック６３が出力する再生認証ポイント１１０を検出した時刻を視聴覚端末６０が備える記録手段６４に記録する。視聴覚端末６０は、視聴覚番組の再生終了後に高速電気通信回線網に接続した状態において、記録手段６４に記録した再生認証ポイント１１０並びに再生認証ポイント１１０を検出した時刻を視聴覚認証システム８０（図１６参照）に送信することにより視聴覚の認証主体による視聴の認証を得ることができる。
【０３９２】
このように構成することにより、視聴覚の認証主体は、該視聴覚の認証主体が有する視聴覚認証システムが備える該受信手段が、さらに該視聴者が操作する視聴覚端末により記録された該再生認証ポイント並びに該再生認証ポイントを検出した時刻を受信するように構成されたことにより、該視聴者が該視聴覚端末を高速電気通信回線網に接続して該視聴覚番組を視聴することができない場合にも、該視聴覚端末が備える記録手段に記録された該再生認証ポイント並びに該再生認証ポイントを検出した時刻を受信することにより該視聴者が該視聴覚端末により該視聴覚番組を再生した時刻並びに該視聴覚番組の再生時間を把握することができる。また、認証記録手段は、さらに該視聴覚端末により記録された該再生認証ポイント並びに該再生認証ポイントを検出した時刻を記録するように構成されたことにより、該再生認証ポイント並びに該再生認証ポイントを検出した時刻を認証記録を構成する情報として記録することができる。このため、該認証記録に基づき、該視聴者による該視聴覚番組の該視聴を認証することができる。
【０３９３】
また、第２２の態様の視聴覚認証システムは、第２０の態様の視聴覚認証システムにおいて、例えば図１６に示す視聴覚認証システム８０は、２以上の再生認証ポイント１１０（図１２、図１３参照）を受信した時刻から該視聴者による再生操作履歴を解析して出力する視聴解析手段８５を備え；認証記録手段９２は、視聴解析手段８５により出力された受信時刻に基づく再生操作履歴（視聴覚認証システム）１１１ｂ（図１４参照）をさらに記録するように構成されている。
【０３９４】
例えば図１６に示す視聴解析手段８５は、クロック８４が出力する受信手段８３が２以上の再生認証ポイント１１０（図１２、図１３参照）を受信した時刻から受信時刻に基づく再生操作履歴（視聴覚認証システム）１１１ｂ（図１４参照）を解析して出力する。また、認証記録手段９２は視聴解析手段８５により出力された受信時刻に基づく再生操作履歴（視聴覚認証システム）１１１ｂを、認証記録１１５（図１４参照）を構成する情報として記録する。
【０３９５】
このように構成することにより、視聴覚の認証主体は、該視聴覚の認証主体が有する視聴覚認証システムが備える２以上の該再生認証ポイントを受信した時刻から該視聴者による再生操作履歴を解析して出力する視聴解析手段により、受信時刻に基づく再生操作履歴を得ることができる。また、認証記録手段が、該視聴解析手段により出力された受信時刻に基づく再生操作履歴をさらに記録することにより、受信時刻に基づく再生操作履歴を認証記録を構成する情報として記録することができる。このため、該認証記録に基づき、該視聴者が該視聴覚番組を該視聴したことについての認証をおこなうことができる。
【０３９６】
また、第２３の態様の視聴覚認証システムは、第２１の態様の視聴覚認証システムにおいて、例えば図１６に示す視聴覚認証システム８０が備える２以上の該視聴者が操作する視聴覚端末６０（図１１参照）により記録された再生認証ポイント１１０（図１２、図１３参照）並びに再生認証ポイント１１０を視聴覚端末６０が検出した時刻から該視聴者による再生操作履歴を解析して出力する視聴解析手段８５を備え；認証記録手段９２は、視聴解析手段８５により出力された記録時刻に基づく再生操作履歴（視聴覚認証システム）１１１ｃ（図１４参照）をさらに記録するように構成されている。
【０３９７】
例えば図１６に示す視聴解析手段８５は、２以上の視聴者が操作する視聴覚端末６０（図１１参照）が備えるクロック６３（図１１参照）により出力された再生認証ポイント１１０（図１２、図１３参照）並びに再生認証ポイント１１０を視聴覚端末６０が検出した時刻から視聴者による再生操作履歴を解析して出力する。このため、前述の通り、高速で情報通信をおこなうことができない通信環境で視聴覚番組を視聴した視聴者が、後に視聴覚端末６０が備える記録手段６４に記録された再生認証ポイント１１０並びに再生認証ポイント１１０を検出した時刻を送信した場合にも、視聴解析手段８５により再生操作履歴を解析して出力することができる。
【０３９８】
例えば図１６に示す視聴解析手段８５は、視聴覚端末６０（図１１参照）が備える記録手段６４（図１１参照）に記録されたクロック６３（図１１参照）が出力した時刻に基づいて視聴解析手段８５により解析をおこない記録時刻に基づく再生操作履歴（視聴覚認証システム）１１１ｃ（図１４参照）を出力する。また、認証記録手段９２は、再生操作履歴（視聴覚認証システム）１１１ｃを認証記録１１５（図１４参照）を構成する情報として記録する。
【０３９９】
このように構成することにより、視聴覚の認証主体は、該視聴覚の認証主体が有する視聴覚認証システムが備える、２以上の該視聴者が操作する視聴覚端末により記録された該再生認証ポイント並びに該再生認証ポイントを検出した時刻から該視聴者による再生操作履歴を解析して出力する視聴解析手段により、記録時刻に基づく再生操作履歴を得ることができる。また、認証記録手段は、該視聴解析手段により出力された記録時刻に基づく再生操作履歴をさらに記録することにより、記録時刻に基づく再生操作履歴を認証記録を構成する情報として記録することができる。このため、該認証記録に基づき、該視聴者が該視聴覚番組を視聴したことについての認証をおこなうことができる。
【０４００】
また、第２４の態様の視聴覚認証システムは、第２２又は第２３の態様の視聴覚認証システムにおいて、例えば図１６に示す再生操作履歴１１１（図１４参照）に基づき、該視聴者が所定の範囲内の再生速度により所定の時間だけ該視聴覚番組の該視聴をおこなったことを認証する再生操作履歴１１１に基づく視聴認証を出力する視聴認証手段８６を備え；認証記録手段９２は、視聴認証手段８６により出力された再生操作履歴１１１に基づく視聴認証（視聴覚認証システム）１１４ｂ（図１４参照）を、さらに記録するように構成されている。
【０４０１】
例えば図１６に示す視聴認証手段８６は、視聴解析手段８５により出力された再生操作履歴１１１（図１４参照）に基づき、視聴者が視聴覚の認証主体が定める所定の範囲内の再生速度（例えば、２倍速以下の再生速度）により所定の時間（例えば、６０分間以上）だけ視聴覚番組の視聴をおこなったことを認証する。また、認証記録手段９２は、視聴認証手段８６により出力された再生操作履歴に基づく視聴認証（視聴覚認証システム）１１４ｂ（図１４参照）を、認証記録１１５（図１４参照）を構成する情報として記録する。
【０４０２】
このように構成することにより、視聴覚の認証主体は、該視聴覚の認証主体が有する視聴覚認証システムが備える、該再生操作履歴に基づき、該視聴者が所定の範囲内の再生速度により所定の時間だけ該視聴覚番組の該視聴をおこなったことを認証する再生操作履歴に基づく視聴認証を出力する視聴認証手段により、該再生操作履歴に基づく視聴認証を得ることができる。また、認証記録手段は、該視聴認証手段により出力された該再生操作履歴に基づく視聴認証を、さらに記録するように構成されたことにより、該再生操作履歴に基づく視聴認証を認証記録を構成する情報として記録することができる。このため、該認証記録に基づき、該視聴覚の認証主体は、該視聴者が該視聴覚番組を該視聴したことについての認証をおこなうことができる。
【０４０３】
また、第２５の態様の視聴覚認証システムは、第２０乃至第２４の態様のいずれか１の態様の視聴覚認証システムにおいて、例えば図１６に示す視聴覚認証システム８０に視聴覚認証システム４０（図８参照）の機能を組み込んだ視聴覚番組の視聴者が前記視聴覚番組を正常に視聴していることを認証する視聴覚認証システム８０ａ（図１９参照）であって；該視聴覚番組を提供する番組提供主体が該視聴覚番組に固有のタイミングで該視聴者に所定の動作を要求する情報によりなる該視聴覚番組に固有の動作指示情報１０１（図３参照）を作成する動作指示情報作成手段４２（図８参照）と；該視聴者が操作する視聴覚端末に動作指示情報１０１を送信する動作指示情報送信手段４３（図８参照）と；受信した該視聴者の応答動作に関する情報を該視聴者が該視聴覚番組を該視聴したことを認証する情報に加工する受信情報加工手段４５（図８参照）とを備え；受信情報加工手段４５は、受信した該視聴者の応答動作に関する情報を解析し、該視聴者の応答動作を特定する動作解析特定部４５ａ（図９参照）を有し；受信手段４４（図８参照）は、該視聴者が該視聴覚番組を正常に視聴していることを伝達するために返信する、該視聴者が操作する視聴覚端末が出力する該視聴覚端末が備えるモーションセンサ２３（図１参照）により検出した検出結果から得られる該視聴者の応答動作に関する情報を受信するように構成され；認証記録手段５３（図８参照）は、該視聴を認証するために、該視聴覚認証システムが出力する該視聴者が該視聴覚番組を該視聴したことを認証する情報を記録するように構成されている。
【０４０４】
例えば図１６に示す視聴覚認証システム８０に視聴覚認証システム４０（図８参照）の機能を組み込んだ図１９に示す視聴覚認証システム８０ａを構成することができる。この場合には、視聴覚の認証主体は、視聴覚認証システム８０ａにより、前述の通り、視聴者による視聴覚番組の視聴を認証することにより、該視聴者に所定の動作を頻繁に要求することなく、該視聴覚の認証主体による厳密な該視聴の認証をおこなうことができる。なお、以上では、第８の態様の機能又は部品を組み込む場合について説明したが、第９から第１２の態様の機能又は部品をそれぞれ組み込むものとしてもよい。
【０４０５】
このように構成することにより、視聴覚の認証主体は、第２０乃至第２４の態様のいずれか１の態様の視聴覚認証システムであって；該視聴覚番組を提供する番組提供主体が該視聴覚番組に固有のタイミングで該視聴者に所定の動作を要求する情報によりなる該視聴覚番組に固有の動作指示情報を作成する動作指示情報作成手段と；該視聴者が操作する視聴覚端末に該動作指示情報を送信する動作指示情報送信手段と；受信した該視聴者の応答動作に関する情報を該視聴者が該視聴覚番組を該視聴したことを認証する情報に加工する受信情報加工手段とを備え；該受信情報加工手段は、受信した該視聴者の応答動作に関する情報を解析し、該視聴者の応答動作を特定する動作解析特定部を有し；該受信手段は、該視聴者が該視聴覚番組を正常に視聴していることを伝達するために返信する、該視聴者が操作する視聴覚端末が出力する該視聴覚端末が備えるモーションセンサにより検出した検出結果から得られる該視聴者の応答動作に関する情報を受信するように構成され；該認証記録手段は、該視聴を認証するために、該視聴覚認証システムが出力する該視聴者が該視聴覚番組を該視聴したことを認証する情報を記録するように構成されたことにより、該視聴者に所定の動作を頻繁に要求することなく、該視聴覚の認証主体による厳密な該視聴の認証をおこなうことができる。
【０４０６】
また、第２６の態様のプログラムは、例えば図１７に示すように、視聴覚番組の視聴者が該視聴覚番組を正常に視聴していることを認証する視聴覚認証システム８０（図１６参照）を制御するためのプログラムであって；該視聴覚番組に所定の時間の間隔で該視聴覚番組の番組進行時間を画定する信号である再生認証ポイント１１０（図１２、図１３参照）を設ける処理と；該視聴者が操作する視聴覚端末６０（図１１参照）の要求に応じて該視聴覚番組を視聴覚端末６０に送信する処理と；該視聴者が視聴覚端末６０を用いて該視聴覚番組を再生することにより検出される該視聴覚番組を提供する番組提供主体が該視聴覚番組内に所定の時間の間隔で設けた信号である再生認証ポイント１１０を該視聴者が操作する視聴覚端末６０から受信する処理と；再生認証ポイント１１０を受信した時刻を出力する処理と；該視聴を認証するために、再生認証ポイント１１０並びに再生認証ポイント１１０を受信した時刻を記録する処理とをおこなうように構成されている。
【０４０７】
例えば図１７に示す制御プログラムが視聴覚認証システム８０（図１６参照）を制御する主要な処理を挙れば、制御プログラムは、視聴覚の認証主体が定める再生認証ポイント設置情報１１３に基づき、再生認証ポイント設置手段（図１６参照）を用いて、視聴覚番組に所定の時間の間隔で視聴覚番組の番組進行時間を画定する信号である再生認証ポイント１１０（図１２、図１３参照）を設ける（ステップＴ０１）。また、番組送信手段８２（図１６参照）を用いて、視聴覚番組を視聴者が操作する視聴覚端末６０（図１１参照）に送信する（ステップＴ０２）。また、受信手段８３（図１６参照）を用いて、視聴者が視聴覚端末６０を用いて視聴覚番組を再生することにより検出される視聴覚番組を提供する番組提供主体が視聴覚番組内に所定の時間の間隔で設けた番組進行時間を画定する信号である再生認証ポイント１１０を視聴者が操作する視聴覚端末６０から受信する（ステップＴ０３）。また、クロック８４（図１６参照）を用いて、受信手段８３が再生認証ポイント１１０を受信した時刻を記録する（ステップＴ０４）。また、視聴覚認証システム８０が備える認証記録手段９２（図１６参照）を用いて、再生認証ポイント１１０並びに受信手段８３が再生認証ポイント１１０を受信した時刻を記録する（ステップＴ０７）。
【０４０８】
このように構成することにより、プログラムは、視聴覚認証システムを制御することにより、該視聴覚番組に所定の時間の間隔で該視聴覚番組の番組進行時間を画定する信号である再生認証ポイントを設ける処理により、該視聴覚番組の情報に該視聴覚番組の番組提供主体が定める所定の時間の間隔で該再生認証ポイントの情報を加えて設けることができる。また、該視聴者が操作する視聴覚端末の要求に応じて該視聴覚番組を該視聴覚端末に送信する処理により、該視聴覚端末に該視聴覚番組を送信することができる。また、該視聴者が該視聴覚端末を用いて該視聴覚番組を再生することにより検出される該視聴覚番組を提供する番組提供主体が該視聴覚番組内に所定の時間の間隔で設けた信号である再生認証ポイントを該視聴者が操作する視聴覚端末から受信する処理により、該視聴覚端末から該再生認証ポイントを受信することができる。また、該再生認証ポイントを受信した時刻を出力する処理により、該再生認証ポイントを受信した時刻を出力することができる。また、該視聴を認証するために、該再生認証ポイント並びに該再生認証ポイントを受信した時刻を記録する処理により、該再生認証ポイント並びに該再生認証ポイントを受信した時刻を認証記録を構成する情報として記録することができる。このため、該認証記録に基づき、該視聴者が該視聴覚番組を該視聴したことについての認証をおこなうことができる。
【０４０９】
また、第２７の態様の視聴覚認証システムを制御するためのプログラムは、第２６の態様の視聴覚認証システムを制御するためのプログラムにおいて、例えば視聴覚認証システム８０（図１６参照）を制御するための図１７に示す制御プログラムに視聴覚認証システム４０（図８参照）を制御するための制御プログラム（図１０参照）がおこなう制御処理を組み込んだ、視聴覚認証システム８０に視聴覚認証システム４０の機能を組み込んだ視聴覚番組の視聴者が前記視聴覚番組を正常に視聴していることを認証する視聴覚認証システム８０ａ（図１９参照）を制御するためのプログラム（不図示）であって；該視聴覚番組を提供する番組提供主体が該視聴覚番組に固有のタイミングで該視聴者に所定の動作を要求する情報によりなる該視聴覚番組に固有の動作指示情報１０１（図３参照）を作成する処理と；動作指示情報１０１を該視聴者が操作する視聴覚端末に送信する処理と；該視聴者が該視聴覚番組を正常に視聴していることを伝達するために返信する、該視聴者が操作する視聴覚端末が出力する該視聴覚端末が備えるモーションセンサ２３（図１参照）により検出した検出結果から得られる該視聴者の応答動作に関する情報を受信する処理と；受信した該視聴者の応答動作に関する情報を該視聴者が該視聴覚番組を該視聴したことを認証する情報に加工する処理と；受信した該視聴者の応答動作に関する情報を解析し、該視聴者の応答動作を特定する処理と；該視聴を認証するために、該視聴覚認証システムが出力する該視聴者が該視聴覚番組を該視聴したことを認証する情報を記録する処理とをおこなうように構成されている。
【０４１０】
例えば視聴覚認証システム８０（図１６参照）を制御するための図１７に示す制御プログラムに視聴覚認証システム４０（図８参照）を制御するための制御プログラム（図１０参照）がおこなう制御処理を組み込んだ制御プログラム（不図示）により、視聴覚認証システム８０に視聴覚認証システム４０の機能を組み込んだ視聴覚認証システム８０ａ（図１９参照）を制御することができる。この場合には、視聴覚の認証主体は、視聴覚番組を本制御プログラムにより制御される視聴覚認証システム８０ａ（図１９参照）により、前述の通り、視聴者に所定の動作を頻繁に要求することなく、視聴覚の認証主体による厳密な視聴の認証をおこなうことができる。
【０４１１】
このように構成することにより、本制御プログラムは、視聴覚認証システムを制御するための第２６の態様のプログラムであって；該視聴覚番組を提供する番組提供主体が該視聴覚番組に固有のタイミングで該視聴者に所定の動作を要求する情報によりなる該視聴覚番組に固有の動作指示情報を作成する処理と；該動作指示情報を該視聴者が操作する視聴覚端末に送信する処理と；該視聴者が該視聴覚番組を正常に視聴していることを伝達するために返信する、該視聴者が操作する視聴覚端末が出力する該視聴覚端末が備えるモーションセンサにより検出した検出結果から得られる該視聴者の応答動作に関する情報を受信する処理と；受信した該視聴者の応答動作に関する情報を該視聴者が該視聴覚番組を該視聴したことを認証する情報に加工する処理と；受信した該視聴者の応答動作に関する情報を解析し、該視聴者の応答動作を特定する処理と；該視聴を認証するために、該視聴覚認証システムが出力する該視聴者が該視聴覚番組を該視聴したことを認証する情報を記録する処理とをおこなうように構成されたことにより、該視聴者に所定の動作を頻繁に要求することなく、該視聴覚の認証主体による厳密な該視聴の認証をおこなうことができる。
【符号の説明】
【０４１２】
１：番組の映像素材
２：放送局
３：放送衛星
４：衛星放送受信チューナ
５：テレビ
８：通信回線
１２：解答用紙
１３：ＦＡＸ
１４：郵送
１５：遠隔教育のセンター
２０：視聴覚端末
２１：再生手段
２２：動作指示手段
２３：モーションセンサ
２４：信号化手段
２４ａ：動作の認証部
２４ｂ：応答の認証部
２４ｃ：時間の認証部
２５：応答動作記録手段
２６：応答動作比較手段
２７：視聴者認証手段
２８：クロック
２９：送信手段
３０：マイクロ・プロセッサ（ＭＰＵ）
３１：応答動作履歴データベース
３２：記録手段
３３：ランダム・アクセス・メモリ（ＲＡＭ）
４０：視聴覚認証システム
４１：番組送信手段
４２：動作指示情報作成手段
４３：動作指示情報送信手段
４４：受信手段
４５：受信情報加工手段
４５ａ：動作解析特定部
４５ｂ：動作の認証部
４５ｃ：第１の時間の認証部
４５ｄ：第２の時間の認証部
４６：応答動作記録手段
４７：応答動作比較手段
４８：視聴者認証手段
４９：クロック
５０：中央演算装置（ＣＰＵ）
５１：番組データベース
５２：応答動作履歴データベース
５３：認証記録手段
５４：ランダム・アクセス・メモリ（ＲＡＭ）
６０：視聴覚端末
６１：再生手段
６２：再生検出手段
６３：クロック
６４：記録手段
６５：送信手段
６６：視聴解析手段
６７：視聴認証手段
７０：マイクロ・プロセッサ（ＭＰＵ）
７１：ランダム・アクセス・メモリ（ＲＡＭ）
８０：視聴覚認証システム
８１：再生認証ポイント設置手段
８２：番組送信手段
８３：受信手段
８４：クロック
８５：視聴解析手段
８６：視聴認証手段
９０：中央演算装置（ＣＰＵ）
９１：番組データベース
９２：認証記録手段
９３：ランダム・アクセス・メモリ（ＲＡＭ）
１００：番組送信要求
１０１：動作指示情報
１０２：動作応答情報
１０３：動作認証
１０３ａ：動作認証（視聴覚端末）
１０３ｂ：動作認証（視聴覚認証システム）
１０４：時間認証
１０４ａ：視聴者が応答に要した時間に基づく時間認証（視聴覚端末）
１０４ｂ：視聴者との通信に要した時間に基づく時間認証（視聴覚認証システム）
１０５：視聴認証
１０５ａ：動作応答率に基づく視聴認証（視聴覚端末）
１０６：視聴者認証
１０６ａ：視聴者認証（視聴覚端末）
１０６ｂ：視聴者認証（視聴覚認証システム）
１０７：認証記録
１１０：再生認証ポイント
１１１：再生操作履歴
１１１ａ：再生操作履歴（視聴覚端末）
１１１ｂ：受信時刻に基づく再生操作履歴（視聴覚認証システム）
１１１ｃ：記録時刻に基づく再生操作履歴（視聴覚認証システム）
１１２：受信時刻
１１３：記録時刻
１１４：視聴認証
１１４ａ：再生操作履歴に基づく視聴認証（視聴覚端末）
１１４ｂ：再生操作履歴に基づく視聴認証（視聴覚認証システム）
１１５：認証記録
１１６：認証ポイント設置情報
【図１】
0005480706.tif 000002
【図２】
0005480706.tif 000003
【図３】
0005480706.tif 000004
【図４】
0005480706.tif 000005
【図５】
0005480706.tif 000006
【図６】
0005480706.tif 000007
【図７】
0005480706.tif 000008
【図８】
0005480706.tif 000009
【図９】
0005480706.tif 000010
【図１０】
0005480706.tif 000011
【図１１】
0005480706.tif 000012
【図１２】
0005480706.tif 000013
【図１３】
0005480706.tif 000014
【図１４】
0005480706.tif 000015
【図１５】
0005480706.tif 000016
【図１６】
0005480706.tif 000017
【図１７】
0005480706.tif 000018
【図１８】
0005480706.tif 000019
【図１９】
0005480706.tif 000020
【図２０】
0005480706.tif 000021